(57)【要約】  本開示の実施例は、チャネルブラインド検出方法、信号伝送方法及び関連機器を提供する。該方法において、特定時間領域範囲における端末のブラインド検出必要回数が最大ブラインド検出能力を超えると、端末が、前記特定時間領域範囲内のブラインド検出機会の一部をスキップし、残りのブラインド検出機会でチャネルのブラインド検出を行うことを含む。ここで、前記最大ブラインド検出能力は、前記特定時間領域範囲における前記端末の最大ブラインド検出回数であり、前記特定時間領域範囲における前記端末の余剰ブラインド検出必要回数は、前記最大ブラインド検出能力を超えない。本開示の実施例によれば、端末の性能を向上させることができる。【選択図】  図２
2021516920.tif 000002
【特許請求の範囲】
【請求項１】
特定時間領域範囲における端末側機器のブラインド検出必要回数が最大ブラインド検出能力を超えると、端末側機器が、前記特定時間領域範囲内のブラインド検出機会の一部をスキップし、残りのブラインド検出機会でチャネルのブラインド検出を行うことを含み、
ここで、前記最大ブラインド検出能力は、前記特定時間領域範囲における前記端末側機器の最大ブラインド検出回数であり、前記特定時間領域範囲における前記端末側機器の余剰ブラインド検出必要回数は、前記最大ブラインド検出能力を超えない、チャネルブラインド検出方法。
【請求項２】
前記端末側機器が、前記特定時間領域範囲内のブラインド検出機会の一部をスキップし、残りのブラインド検出機会でチャネルのブラインド検出を行うことは、
前記端末側機器が、前記特定時間領域範囲内の探索空間内の少なくとも１つのアグリゲーションレベルＡＬの一部の物理ダウンリンク制御チャネルＰＤＣＣＨ候補位置をスキップし、残りのＰＤＣＣＨ候補位置に対してチャネルのブラインド検出を行うこと、
前記端末側機器が、前記特定時間領域範囲内の一部の探索空間をスキップし、残りの探索空間でチャネルのブラインド検出を行うこと、
前記端末側機器が、前記特定時間領域範囲内の一部の制御リソース集合ＣＯＲＥＳＥＴ内の探索空間をスキップし、残りのＣＯＲＥＳＥＴ内の探索空間でチャネルのブラインド検出を行うこと、
の少なくとも１つを含む、請求項１に記載の方法。
【請求項３】
前記特定時間領域範囲内に複数のＰＤＣＣＨ傍受機会又は複数の探索空間タイプが存在し、前記端末側機器が、前記特定時間領域範囲内の一部の探索空間をスキップすることは、
前記端末側機器が、前記特定時間領域範囲内の一部のＰＤＣＣＨ傍受機会の探索空間を、傍受機会の出現する時間順に連続的にスキップすること、又は
前記端末側機器が、前記特定時間領域範囲内の一部のＰＤＣＣＨ傍受機会の探索空間を、傍受機会の出現する時間順に間隔的にスキップすることを含む、請求項２に記載の方法。
【請求項４】
前記端末側機器が、前記特定時間領域範囲内の一部のＰＤＣＣＨ傍受機会の探索空間を、傍受機会の出現する時間順に間隔的にスキップすることは、
前記端末側機器が、初回の間隔的に選択する際に前記特定時間領域範囲内の全てのＰＤＣＣＨ傍受機会であるＰＤＣＣＨ傍受機会集合のうち、一部のＰＤＣＣＨ傍受機会を、傍受機会の出現する時間順に間隔的に選択することと、
選択されたＰＤＣＣＨ傍受機会における前記端末側機器のブラインド検出必要回数が前記最大ブラインド検出能力を超え、又は、選択されたＰＤＣＣＨ傍受機会の制御チャネルエレメントＣＣＥ数が最大ＣＣＥ数を超えると、現在の間隔的に選択される一部のＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択することを繰り返し実行することと、
選択されたＰＤＣＣＨ傍受機会における前記端末側機器のブラインド検出必要回数が前記最大ブラインド検出能力よりも小さく、且つＣＣＥ数が最大ＣＣＥ数よりも小さくなると、現在のＰＤＣＣＨ傍受機会集合のうちの選択されていないＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択することを繰り返し実行することとを含み、
ここで、前記端末側機器が、選択されていないＰＤＣＣＨ傍受機会の探索空間をスキップする、請求項３に記載の方法。
【請求項５】
前記のＰＤＣＣＨ傍受機会集合のうち一部のＰＤＣＣＨ傍受機会を間隔的に選択することの停止条件は、
選択されたＰＤＣＣＨ傍受機会内のブラインド検出必要回数が前記最大ブラインド検出能力に等しく、且つＣＣＥ数が前記最大ＣＣＥ数以下であること、又は
選択されたＰＤＣＣＨ傍受機会内のＣＣＥ数が前記最大ＣＣＥ数と等しく、且つブラインド検出必要回数が前記最大ブラインド検出能力以下であること、又は
選択されたＰＤＣＣＨ傍受機会内の全てのＰＤＣＣＨ候補位置に対応するブラインド検出回数が前記最大ブラインド検出能力を超えるか、又は対応するＣＣＥ数が前記最大ＣＣＥ数を超え、且つ前記端末側機器が傍受するＰＤＣＣＨ傍受機会として、現在の間隔的に選択される一部のＰＤＣＣＨ傍受機会を含まないこと、又は
前記のＰＤＣＣＨ傍受機会集合のうち一部のＰＤＣＣＨ傍受機会を間隔的に選択することで１つのＰＤＣＣＨ傍受機会のみが選択される場合、選択されたＰＤＣＣＨ傍受機会内のブラインド検出必要回数が前記最大ブラインド検出能力を超えるか又はＣＣＥ数が最大ＣＣＥ数を超え、且つ前記端末側機器が傍受するＰＤＣＣＨ傍受機会として、前記１つのＰＤＣＣＨ傍受機会を含まないことを含む、請求項４に記載の方法。
【請求項６】
前記端末側機器が、前記特定時間領域範囲内の探索空間内の少なくとも１つのＡＬの一部のＰＤＣＣＨ候補位置をスキップすることは、
前記特定時間領域範囲内の探索空間毎にＡＬ毎に複数のＰＤＣＣＨ候補位置が存在する場合、特定時間領域範囲内の余剰ブラインド検出必要回数が前記最大ブラインド検出能力を超えなくなるまで、前記端末側機器が、前記特定時間領域範囲内の探索空間毎にＡＬ毎の一部のＰＤＣＣＨ候補位置を順次スキップすること、又は
前記特定時間領域範囲内に１つのＰＤＣＣＨ候補位置のみを有するＡＬが存在する場合、前記端末側機器が、前記特定時間領域範囲内の探索空間毎に複数のＰＤＣＣＨ候補位置を有する他のＡＬの一部のＰＤＣＣＨ候補位置をスキップすること、又は
前記端末側機器が、前記特定時間領域範囲内の探索空間毎のＡＬの一部のＰＤＣＣＨ候補位置を、前記特定時間領域範囲における前記端末側機器のブラインド検出必要回数が前記最大ブラインド検出能力を超えなくなるまで、特定ＡＬ順にスキップし、ここで、ＰＤＣＣＨ候補位置をスキップするプロセスでは、１つのＰＤＣＣＨ候補位置しか残っていないＡＬに対し、前記端末側機器が、該ＡＬのＰＤＣＣＨ候補位置のスキップを一時停止することを含む、請求項２に記載の方法。
【請求項７】
前記端末側機器が、特定時間領域範囲内の余剰ブラインド検出必要回数が前記最大ブラインド検出能力を超えなくなるまで、先に探索空間、次に傍受機会、その後ＡＬの順にＰＤＣＣＨ候補位置のスキップを行う、請求項６に記載の方法。
【請求項８】
前記端末側機器が、前記特定時間領域範囲内の一部の探索空間をスキップすることは、
前記端末側機器が、傍受周期の大きさに応じて、前記特定時間領域範囲内の一部の探索空間をスキップすること、又は
前記端末側機器が、無線ネットワーク一時識別ＲＮＴＩに従って、前記特定時間領域範囲内の一部の探索空間をスキップすること、又は
前記端末側機器が、共通伝送探索空間ＣＳＳを伝送するＣＯＲＥＳＥＴである特定ＣＯＲＥＳＥＴ内のユーザ専用探索空間ＵＳＳをスキップすることを含む、請求項２に記載の方法。
【請求項９】
前記端末側機器が、前記特定時間領域範囲内の一部のＣＯＲＥＳＥＴ内の探索空間をスキップすることは、
前記端末側機器が、マッピング方式に応じて、前記特定時間領域範囲内の一部のＣＯＲＥＳＥＴ内の探索空間をスキップすること、又は
前記端末側機器が、前記特定時間領域範囲内の特定ＣＯＲＥＳＥＴ内の探索空間を優先的にスキップすることを含み、
ここで、前記特定ＣＯＲＥＳＥＴは、前記特定時間領域範囲内の複数のＣＯＲＥＳＥＴのうち疑似コロケーションＱＣＬとビーム管理による目標ＱＣＬとの整合度が最も低いＣＯＲＥＳＥＴである、請求項２に記載の方法。
【請求項１０】
前記端末側機器が、マッピング方式に応じて、前記特定時間領域範囲内の一部のＣＯＲＥＳＥＴ内の探索空間をスキップすることは、
前記端末側機器が、前記特定時間領域範囲内のローカルマッピングのＣＯＲＥＳＥＴ内の探索空間を優先的にスキップすること、又は
前記端末側機器が、前記特定時間領域範囲内の分散マッピングのＣＯＲＥＳＥＴ内の探索空間を優先的にスキップすることを含む、請求項９に記載の方法。
【請求項１１】
前記特定時間領域範囲は、スロットｓｌｏｔである、請求項１〜１０のいずれか１項に記載の方法。
【請求項１２】
特定時間領域範囲における端末側機器のブラインド検出必要回数が、前記特定時間領域範囲における前記端末側機器の最大ブラインド検出回数である最大ブラインド検出能力を超えると、ネットワーク側機器が、前記端末側機器がスキップする前記特定時間領域範囲内のブラインド検出機会の一部を決定することと、
前記ネットワーク側機器が、残りのブラインド検出機会で信号を伝送することとを含み、
ここで、前記特定時間領域範囲における前記端末側機器の余剰ブラインド検出必要回数は、前記最大ブラインド検出能力を超えない、信号伝送方法。
【請求項１３】
前記ネットワーク側機器が、前記端末側機器がスキップする前記特定時間領域範囲内のブラインド検出機会の一部を決定することは、
前記ネットワーク側機器が、前記端末側機器がスキップする前記特定時間領域範囲内の探索空間内の少なくとも１つのＡＬの一部のＰＤＣＣＨ候補位置を決定すること、
前記ネットワーク側機器が、前記端末側機器がスキップする前記特定時間領域範囲内の一部の探索空間を決定すること、
前記ネットワーク側機器が、前記端末側機器がスキップする前記特定時間領域範囲内の一部のＣＯＲＥＳＥＴ内の探索空間を決定すること、
の少なくとも１つを含む、請求項１２に記載の方法。
【請求項１４】
前記特定時間領域範囲内に複数のＰＤＣＣＨ傍受機会又は複数の探索空間タイプが存在し、前記ネットワーク側機器が、前記端末側機器がスキップする前記特定時間領域範囲内の一部の探索空間を決定することは、
前記ネットワーク側機器が、前記端末側機器が連続的にスキップする前記特定時間領域範囲内の一部のＰＤＣＣＨ傍受機会の探索空間を、傍受機会の出現する時間順に決定すること、又は
前記ネットワーク側機器が、前記端末側機器が間隔的にスキップする前記特定時間領域範囲内の一部のＰＤＣＣＨ傍受機会の探索空間を、傍受機会の出現する時間順に決定することを含む、請求項１３に記載の方法。
【請求項１５】
前記ネットワーク側機器が、前記端末側機器が間隔的にスキップする前記特定時間領域範囲内の一部のＰＤＣＣＨ傍受機会の探索空間を、傍受機会の出現する時間順に決定することは、
前記ネットワーク側機器が、初回の間隔的に選択する際に前記特定時間領域範囲内の全てのＰＤＣＣＨ傍受機会であるＰＤＣＣＨ傍受機会集合のうち、一部のＰＤＣＣＨ傍受機会を、傍受機会の出現する時間順に間隔的に選択することと、
選択されたＰＤＣＣＨ傍受機会における前記端末側機器のブラインド検出必要回数が前記最大ブラインド検出能力を超え、又は、選択されたＰＤＣＣＨ傍受機会の制御チャネルエレメントＣＣＥ数が最大ＣＣＥ数を超えると、現在の間隔的に選択される一部のＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択することを繰り返し実行することと、
選択されたＰＤＣＣＨ傍受機会における前記端末側機器のブラインド検出必要回数が前記最大ブラインド検出能力よりも小さく、且つＣＣＥ数が最大ＣＣＥ数よりも小さくなると、現在のＰＤＣＣＨ傍受機会集合のうちの選択されていないＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択することを繰り返し実行することとを含み、
ここで、前記端末側機器が、選択されていないＰＤＣＣＨ傍受機会の探索空間をスキップする、請求項１４に記載の方法。
【請求項１６】
前記のＰＤＣＣＨ傍受機会集合のうち一部のＰＤＣＣＨ傍受機会を間隔的に選択することの停止条件は、
選択されたＰＤＣＣＨ傍受機会内のブラインド検出必要回数が前記最大ブラインド検出能力に等しく、且つＣＣＥ数が前記最大ＣＣＥ数以下であること、又は
選択されたＰＤＣＣＨ傍受機会内のＣＣＥ数が前記最大ＣＣＥ数と等しく、且つブラインド検出必要回数が前記最大ブラインド検出能力以下であること、又は
選択されたＰＤＣＣＨ傍受機会内の全てのＰＤＣＣＨ候補位置に対応するブラインド検出回数が前記最大ブラインド検出能力を超えるか、又は対応するＣＣＥ数が前記最大ＣＣＥ数を超え、且つ前記端末側機器が傍受するＰＤＣＣＨ傍受機会として、現在の間隔的に選択される一部のＰＤＣＣＨ傍受機会を含まないこと、又は
前記のＰＤＣＣＨ傍受機会集合のうち一部のＰＤＣＣＨ傍受機会を間隔的に選択することで１つのＰＤＣＣＨ傍受機会のみが選択される場合、選択されたＰＤＣＣＨ傍受機会内のブラインド検出必要回数が前記最大ブラインド検出能力を超えるか又はＣＣＥ数が最大ＣＣＥ数を超え、且つ前記端末側機器が傍受するＰＤＣＣＨ傍受機会として、前記１つのＰＤＣＣＨ傍受機会を含まないことを含む、請求項１５に記載の方法。
【請求項１７】
前記ネットワーク側機器が、前記端末側機器がスキップする前記特定時間領域範囲内の探索空間内の少なくとも１つのＡＬの一部のＰＤＣＣＨ候補位置を決定することは、
前記特定時間領域範囲内の探索空間毎にＡＬ毎に複数のＰＤＣＣＨ候補位置が存在する場合、前記ネットワーク側機器が、前記端末側機器が順次スキップする前記特定時間領域範囲内の探索空間毎にＡＬ毎の一部のＰＤＣＣＨ候補位置を決定すること、又は
前記特定時間領域範囲内に１つのＰＤＣＣＨ候補位置のみを有するＡＬが存在する場合、前記ネットワーク側機器が、前記端末側機器がスキップする前記特定時間領域範囲内の探索空間毎に複数のＰＤＣＣＨ候補位置を有する他のＡＬの一部のＰＤＣＣＨ候補位置を決定すること、又は
前記ネットワーク側機器が、前記端末側機器がスキップする前記特定時間領域範囲内の探索空間毎のＡＬの一部のＰＤＣＣＨ候補位置を、特定ＡＬ順に決定し、ここで、ＰＤＣＣＨ候補位置をスキップするプロセスでは、１つのＰＤＣＣＨ候補位置しか残っていないＡＬに対し、前記端末側機器が、該ＡＬのＰＤＣＣＨ候補位置のスキップを一時停止することを含む、請求項１３に記載の方法。
【請求項１８】
前記端末側機器が、特定時間領域範囲内の余剰ブラインド検出必要回数が前記最大ブラインド検出能力を超えなくなるまで、先に探索空間、次に傍受機会、その後ＡＬの順にＰＤＣＣＨ候補位置のスキップを行う、請求項１７に記載の方法。
【請求項１９】
前記ネットワーク側機器が、前記端末側機器がスキップする前記特定時間領域範囲内の一部の探索空間を決定することは、
前記ネットワーク側機器が、傍受周期の大きさに応じて、前記端末側機器がスキップする前記特定時間領域範囲内の一部の探索空間を決定すること、又は
前記ネットワーク側機器が、ＲＮＴＩに従って、前記端末側機器がスキップする前記特定時間領域範囲内の一部の探索空間を決定すること、又は
前記ネットワーク側機器が、前記端末側機器がスキップするＣＳＳを伝送するＣＯＲＥＳＥＴである特定ＣＯＲＥＳＥＴ内のＵＳＳを決定することを含む、請求項１３に記載の方法。
【請求項２０】
前記ネットワーク側機器が、端末側機器がスキップする前記特定時間領域範囲内の一部のＣＯＲＥＳＥＴ内の探索空間を決定することは、
前記ネットワーク側機器が、マッピング方式に応じて、前記端末側機器がスキップする前記特定時間領域範囲内の一部のＣＯＲＥＳＥＴ内の探索空間を決定すること、又は
前記ネットワーク側機器が、前記端末側機器が優先的にスキップする前記特定時間領域範囲内の特定ＣＯＲＥＳＥＴ内の探索空間を決定することを含み、
ここで、前記特定ＣＯＲＥＳＥＴは、前記特定時間領域範囲内の複数のＣＯＲＥＳＥＴのうちＱＣＬとビーム管理による目標ＱＣＬとの整合度が最も低いＣＯＲＥＳＥＴである、請求項１３に記載の方法。
【請求項２１】
前記ネットワーク側機器が、マッピング方式に応じて、前記端末側機器がスキップする前記特定時間領域範囲内の一部のＣＯＲＥＳＥＴ内の探索空間を決定することは、
前記ネットワーク側機器が、前記端末側機器が優先的にスキップする前記特定時間領域範囲内のローカルマッピングのＣＯＲＥＳＥＴ内の探索空間を決定すること、又は
前記ネットワーク側機器が、前記端末側機器が優先的にスキップする前記特定時間領域範囲内の分散マッピングのＣＯＲＥＳＥＴ内の探索空間を決定することを含む、請求項２０に記載の方法。
【請求項２２】
前記特定時間領域範囲は、ｓｌｏｔである、請求項１２〜２１のいずれか１項に記載の方法。
【請求項２３】
特定時間領域範囲における端末側機器のブラインド検出必要回数が最大ブラインド検出能力を超えると、前記特定時間領域範囲内のブラインド検出機会の一部をスキップし、残りのブラインド検出機会でチャネルのブラインド検出を行うためのブラインド検出モジュールを含み、
ここで、前記最大ブラインド検出能力は、前記特定時間領域範囲における前記端末側機器の最大ブラインド検出回数であり、前記特定時間領域範囲における前記端末側機器の余剰ブラインド検出必要回数は、前記最大ブラインド検出能力を超えない、端末側機器。
【請求項２４】
前記ブラインド検出モジュールは、
特定時間領域範囲における端末側機器のブラインド検出必要回数が最大ブラインド検出能力を超えると、前記特定時間領域範囲内の探索空間内の少なくとも１つのアグリゲーションレベルＡＬの一部の物理ダウンリンク制御チャネルＰＤＣＣＨ候補位置をスキップし、残りのＰＤＣＣＨ候補位置に対してチャネルのブラインド検出を行うための第１ブラインド検出ユニットと、
特定時間領域範囲における端末側機器のブラインド検出必要回数が最大ブラインド検出能力を超えると、前記特定時間領域範囲内の一部の探索空間をスキップし、残りの探索空間でチャネルのブラインド検出を行うための第２ブラインド検出ユニットと、
特定時間領域範囲における端末側機器のブラインド検出必要回数が最大ブラインド検出能力を超えると、前記特定時間領域範囲内の一部のＣＯＲＥＳＥＴ内の探索空間をスキップし、残りのＣＯＲＥＳＥＴ内の探索空間でチャネルのブラインド検出を行うための第３ブラインド検出ユニットと、
の少なくとも１つを含む、請求項２３に記載の端末側機器。
【請求項２５】
特定時間領域範囲における端末側機器のブラインド検出必要回数が、前記特定時間領域範囲における前記端末側機器の最大ブラインド検出回数である最大ブラインド検出能力を超えると、前記端末側機器がスキップする前記特定時間領域範囲内のブラインド検出機会の一部を決定するための決定モジュールと、
前記ネットワーク側機器が、残りのブラインド検出機会で信号を伝送するための伝送モジュールとを含み、
ここで、前記特定時間領域範囲における前記端末側機器の余剰ブラインド検出必要回数は、前記最大ブラインド検出能力を超えない、ネットワーク側機器。
【請求項２６】
前記決定モジュールは、
特定時間領域範囲における端末側機器のブラインド検出必要回数が最大ブラインド検出能力を超えると、前記端末側機器がスキップする前記特定時間領域範囲内の探索空間内の少なくとも１つのＡＬの一部のＰＤＣＣＨ候補位置を決定するための第１決定ユニットと、
特定時間領域範囲における端末側機器のブラインド検出必要回数が最大ブラインド検出能力を超えると、前記端末側機器がスキップする前記特定時間領域範囲内の一部の探索空間を決定するための第２決定ユニットと、
特定時間領域範囲における端末側機器のブラインド検出必要回数が最大ブラインド検出能力を超えると、前記端末側機器がスキップする前記特定時間領域範囲内の一部のＣＯＲＥＳＥＴ内の探索空間を決定するための第３決定ユニットと、
の少なくとも１つを含む、請求項２５に記載のネットワーク側機器。
【請求項２７】
トランシーバと、メモリと、プロセッサと、前記メモリに格納されて前記プロセッサで動作可能なコンピュータプログラムを含む端末側機器であって、
前記プロセッサは、前記メモリに格納されているコンピュータプログラムを読み取って実行すると、
特定時間領域範囲における端末側機器のブラインド検出必要回数が最大ブラインド検出能力を超えると、前記特定時間領域範囲内のブラインド検出機会の一部をスキップし、残りのブラインド検出機会でチャネルのブラインド検出を行うプロセスを実行し、
ここで、前記最大ブラインド検出能力は、前記特定時間領域範囲における前記端末側機器の最大ブラインド検出回数であり、前記特定時間領域範囲における前記端末側機器の余剰ブラインド検出必要回数は、前記最大ブラインド検出能力を超えない、端末側機器。
【請求項２８】
前記の前記特定時間領域範囲内のブラインド検出機会の一部をスキップし、残りのブラインド検出機会でチャネルのブラインド検出を行うことは、
前記特定時間領域範囲内の探索空間内の少なくとも１つのアグリゲーションレベルＡＬの一部のＰＤＣＣＨ候補位置をスキップし、残りのＰＤＣＣＨ候補位置に対してチャネルのブラインド検出を行うこと、
前記特定時間領域範囲内の一部の探索空間をスキップし、残りの探索空間でチャネルのブラインド検出を行うこと、
前記特定時間領域範囲内の一部のＣＯＲＥＳＥＴ内の探索空間をスキップし、残りのＣＯＲＥＳＥＴ内の探索空間でチャネルのブラインド検出を行うこと、
の少なくとも１つを含む、請求項２７に記載の端末側機器。
【請求項２９】
前記特定時間領域範囲内に複数のＰＤＣＣＨ傍受機会又は複数の探索空間タイプが存在し、前記の前記特定時間領域範囲内の一部の探索空間をスキップすることは、
前記特定時間領域範囲内の一部のＰＤＣＣＨ傍受機会の探索空間を、傍受機会の出現する時間順に連続的にスキップすること、又は
前記特定時間領域範囲内の一部のＰＤＣＣＨ傍受機会の探索空間を、傍受機会の出現する時間順に間隔的にスキップすることを含む、請求項２８に記載の端末側機器。
【請求項３０】
前記の前記特定時間領域範囲内の一部のＰＤＣＣＨ傍受機会の探索空間を、傍受機会の出現する時間順に間隔的にスキップすることは、
前記端末側機器が、初回の間隔的に選択する際に前記特定時間領域範囲内の全てのＰＤＣＣＨ傍受機会であるＰＤＣＣＨ傍受機会集合のうち、一部のＰＤＣＣＨ傍受機会を、傍受機会の出現する時間順に間隔的に選択することと、
選択されたＰＤＣＣＨ傍受機会における前記端末側機器のブラインド検出必要回数が前記最大ブラインド検出能力を超え、又は、選択されたＰＤＣＣＨ傍受機会の制御チャネルエレメントＣＣＥ数が最大ＣＣＥ数を超えると、現在の間隔的に選択される一部のＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択することを繰り返し実行することと、
選択されたＰＤＣＣＨ傍受機会における前記端末側機器のブラインド検出必要回数が前記最大ブラインド検出能力よりも小さく、且つＣＣＥ数が最大ＣＣＥ数よりも小さくなると、現在のＰＤＣＣＨ傍受機会集合のうちの選択されていないＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択することを繰り返し実行することとを含み、
ここで、前記端末側機器が、選択されていないＰＤＣＣＨ傍受機会の探索空間をスキップする、請求項２９に記載の端末側機器。
【請求項３１】
前記のＰＤＣＣＨ傍受機会集合のうち一部のＰＤＣＣＨ傍受機会を間隔的に選択することの停止条件は、
選択されたＰＤＣＣＨ傍受機会内のブラインド検出必要回数が前記最大ブラインド検出能力に等しく、且つＣＣＥ数が前記最大ＣＣＥ数以下であること、又は
選択されたＰＤＣＣＨ傍受機会内のＣＣＥ数が前記最大ＣＣＥ数と等しく、且つブラインド検出必要回数が前記最大ブラインド検出能力以下であること、又は
選択されたＰＤＣＣＨ傍受機会内の全てのＰＤＣＣＨ候補位置に対応するブラインド検出回数が前記最大ブラインド検出能力を超えるか、又は対応するＣＣＥ数が前記最大ＣＣＥ数を超え、且つ前記端末側機器が傍受するＰＤＣＣＨ傍受機会として、現在の間隔的に選択される一部のＰＤＣＣＨ傍受機会を含まないこと、又は
前記のＰＤＣＣＨ傍受機会集合のうち一部のＰＤＣＣＨ傍受機会を間隔的に選択することで１つのＰＤＣＣＨ傍受機会のみが選択される場合、選択されたＰＤＣＣＨ傍受機会内のブラインド検出必要回数が前記最大ブラインド検出能力を超えるか又はＣＣＥ数が最大ＣＣＥ数を超え、且つ前記端末側機器が傍受するＰＤＣＣＨ傍受機会として、前記１つのＰＤＣＣＨ傍受機会を含まないことを含む、請求項３０に記載の端末側機器。
【請求項３２】
前記の前記特定時間領域範囲内の探索空間内の少なくとも１つのＡＬの一部のＰＤＣＣＨ候補位置をスキップすることは、
前記特定時間領域範囲内の探索空間毎にＡＬ毎に複数のＰＤＣＣＨ候補位置が存在する場合、特定時間領域範囲内の余剰ブラインド検出必要回数が前記最大ブラインド検出能力を超えなくなるまで、前記特定時間領域範囲内の探索空間毎にＡＬ毎の一部のＰＤＣＣＨ候補位置を順次スキップすること、又は
前記特定時間領域範囲内に１つのＰＤＣＣＨ候補位置のみを有するＡＬが存在する場合、前記特定時間領域範囲内の探索空間毎に複数のＰＤＣＣＨ候補位置を有する他のＡＬの一部のＰＤＣＣＨ候補位置をスキップすること、又は
前記特定時間領域範囲内の探索空間毎のＡＬの一部のＰＤＣＣＨ候補位置を、前記特定時間領域範囲における前記端末側機器のブラインド検出必要回数が前記最大ブラインド検出能力を超えなくなるまで、特定ＡＬ順にスキップし、ここで、ＰＤＣＣＨ候補位置をスキップするプロセスでは、１つのＰＤＣＣＨ候補位置しか残っていないＡＬに対し、前記端末側機器が、該ＡＬのＰＤＣＣＨ候補位置のスキップを一時停止することを含む、請求項２８に記載の端末側機器。
【請求項３３】
前記の前記特定時間領域範囲内の一部の探索空間をスキップすることは、
傍受周期の大きさに応じて、前記特定時間領域範囲内の一部の探索空間をスキップすること、又は
ＲＮＴＩに従って、前記特定時間領域範囲内の一部の探索空間をスキップすること、又は
前記端末側機器がＣＳＳを伝送するＣＯＲＥＳＥＴである特定ＣＯＲＥＳＥＴ内のＵＳＳをスキップすることを含む、請求項２８に記載の端末側機器。
【請求項３４】
前記の前記特定時間領域範囲内の一部のＣＯＲＥＳＥＴ内の探索空間をスキップすることは、
マッピング方式に応じて、前記特定時間領域範囲内の一部のＣＯＲＥＳＥＴ内の探索空間をスキップすること、又は
前記特定時間領域範囲内の特定ＣＯＲＥＳＥＴ内の探索空間を優先的にスキップすることを含み、
ここで、前記特定ＣＯＲＥＳＥＴは、前記特定時間領域範囲内の複数のＣＯＲＥＳＥＴのうち疑似コロケーションＱＣＬとビーム管理による目標ＱＣＬとの整合度が最も低いＣＯＲＥＳＥＴである、請求項２８に記載の端末側機器。
【請求項３５】
トランシーバと、メモリと、プロセッサと、前記メモリに格納されて前記プロセッサで動作可能なコンピュータプログラムを含むネットワーク側機器であって、
前記プロセッサは、前記メモリに格納されているコンピュータプログラムを読み取って実行すると、
特定時間領域範囲における端末側機器のブラインド検出必要回数が、前記特定時間領域範囲における前記端末側機器の最大ブラインド検出回数である最大ブラインド検出能力を超えると、前記端末側機器がスキップする前記特定時間領域範囲内のブラインド検出機会の一部を決定するプロセスと、
残りのブラインド検出機会で信号を伝送するプロセスとを実行し、ここで、前記特定時間領域範囲における前記端末側機器の余剰ブラインド検出必要回数は、前記最大ブラインド検出能力を超えず、
又は、
特定時間領域範囲における端末側機器のブラインド検出必要回数が、前記特定時間領域範囲における前記端末側機器の最大ブラインド検出回数である最大ブラインド検出能力を超えると、前記端末側機器がスキップする前記特定時間領域範囲内のブラインド検出機会の一部を決定するプロセスと、
残りのブラインド検出機会で信号を伝送するプロセスとを実行し、ここで、前記特定時間領域範囲における前記端末側機器の余剰ブラインド検出必要回数は、前記最大ブラインド検出能力を超えない、ネットワーク側機器。
【請求項３６】
前記の前記端末側機器がスキップする前記特定時間領域範囲内のブラインド検出機会の一部を決定することは、
前記端末側機器がスキップする前記特定時間領域範囲内の探索空間内の少なくとも１つのＡＬの一部のＰＤＣＣＨ候補位置を決定すること、
前記端末側機器がスキップする前記特定時間領域範囲内の一部の探索空間を決定すること、
前記端末側機器がスキップする前記特定時間領域範囲内の一部のＣＯＲＥＳＥＴ内の探索空間を決定すること、
の少なくとも１つを含む、請求項３５に記載のネットワーク側機器。
【請求項３７】
前記特定時間領域範囲内に複数のＰＤＣＣＨ傍受機会又は複数の探索空間タイプが存在し、前記の前記端末側機器がスキップする前記特定時間領域範囲内の一部の探索空間を決定することは、
前記端末側機器が連続的にスキップする前記特定時間領域範囲内の一部のＰＤＣＣＨ傍受機会の探索空間を、傍受機会の出現する時間順に決定すること、又は
前記端末側機器が間隔的にスキップする前記特定時間領域範囲内の一部のＰＤＣＣＨ傍受機会の探索空間を、傍受機会の出現する時間順に決定することを含む、請求項３６に記載のネットワーク側機器。
【請求項３８】
前記の前記端末側機器が間隔的にスキップする前記特定時間領域範囲内の一部のＰＤＣＣＨ傍受機会の探索空間を、傍受機会の出現する時間順に決定することは、
初回の間隔的に選択する際に前記特定時間領域範囲内の全てのＰＤＣＣＨ傍受機会であるＰＤＣＣＨ傍受機会集合のうち、一部のＰＤＣＣＨ傍受機会を、傍受機会の出現する時間順に間隔的に選択することと、
選択されたＰＤＣＣＨ傍受機会における前記端末側機器のブラインド検出必要回数が前記最大ブラインド検出能力を超え、又は、選択されたＰＤＣＣＨ傍受機会の制御チャネルエレメントＣＣＥ数が最大ＣＣＥ数を超えると、現在の間隔的に選択される一部のＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択することを繰り返し実行することと、
選択されたＰＤＣＣＨ傍受機会における前記端末側機器のブラインド検出必要回数が前記最大ブラインド検出能力よりも小さく、且つＣＣＥ数が最大ＣＣＥ数よりも小さくなると、現在のＰＤＣＣＨ傍受機会集合のうちの選択されていないＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択することを繰り返し実行することとを含み、
ここで、前記端末側機器が、選択されていないＰＤＣＣＨ傍受機会の探索空間をスキップする、請求項３７に記載のネットワーク側機器。
【請求項３９】
前記のＰＤＣＣＨ傍受機会集合のうち一部のＰＤＣＣＨ傍受機会を間隔的に選択することの停止条件は、
選択されたＰＤＣＣＨ傍受機会内のブラインド検出必要回数が前記最大ブラインド検出能力に等しく、且つＣＣＥ数が前記最大ＣＣＥ数以下であること、又は
選択されたＰＤＣＣＨ傍受機会内のＣＣＥ数が前記最大ＣＣＥ数と等しく、且つブラインド検出必要回数が前記最大ブラインド検出能力以下であること、又は
選択されたＰＤＣＣＨ傍受機会内の全てのＰＤＣＣＨ候補位置に対応するブラインド検出回数が前記最大ブラインド検出能力を超えるか、又は対応するＣＣＥ数が前記最大ＣＣＥ数を超え、且つ前記端末側機器が傍受するＰＤＣＣＨ傍受機会として、現在の間隔的に選択される一部のＰＤＣＣＨ傍受機会を含まないこと、又は
前記のＰＤＣＣＨ傍受機会集合のうち一部のＰＤＣＣＨ傍受機会を間隔的に選択することで１つのＰＤＣＣＨ傍受機会のみが選択される場合、選択されたＰＤＣＣＨ傍受機会内のブラインド検出必要回数が前記最大ブラインド検出能力を超えるか又はＣＣＥ数が最大ＣＣＥ数を超え、且つ前記端末側機器が傍受するＰＤＣＣＨ傍受機会として、前記１つのＰＤＣＣＨ傍受機会を含まないことを含む、請求項３８に記載のネットワーク側機器。
【請求項４０】
前記の前記端末側機器がスキップする前記特定時間領域範囲内の探索空間内の少なくとも１つのＡＬの一部のＰＤＣＣＨ候補位置を決定することは、
前記特定時間領域範囲内の探索空間毎にＡＬ毎に複数のＰＤＣＣＨ候補位置が存在する場合、前記端末側機器が順次スキップする前記特定時間領域範囲内の探索空間毎にＡＬ毎の一部のＰＤＣＣＨ候補位置を決定すること、又は
前記特定時間領域範囲内に１つのＰＤＣＣＨ候補位置のみを有するＡＬが存在する場合、前記端末側機器がスキップする前記特定時間領域範囲内の探索空間毎に複数のＰＤＣＣＨ候補位置を有する他のＡＬの一部のＰＤＣＣＨ候補位置を決定すること、又は
前記端末側機器がスキップする前記特定時間領域範囲内の探索空間毎のＡＬの一部のＰＤＣＣＨ候補位置を、特定ＡＬ順に決定し、ここで、ＰＤＣＣＨ候補位置をスキップするプロセスでは、１つのＰＤＣＣＨ候補位置しか残っていないＡＬに対し、前記端末側機器が、該ＡＬのＰＤＣＣＨ候補位置のスキップを一時停止することを含む、請求項３６に記載のネットワーク側機器。
【請求項４１】
前記の前記端末側機器がスキップする前記特定時間領域範囲内の一部の探索空間を決定することは、
傍受周期の大きさに応じて、前記端末側機器がスキップする前記特定時間領域範囲内の一部の探索空間を決定すること、又は
ＲＮＴＩに従って、前記端末側機器がスキップする前記特定時間領域範囲内の一部の探索空間を決定すること、又は
前記端末側機器がスキップするＣＳＳを伝送するＣＯＲＥＳＥＴである特定ＣＯＲＥＳＥＴ内のＵＳＳを決定することを含む、請求項３６に記載のネットワーク側機器。
【請求項４２】
前記の端末側機器がスキップする前記特定時間領域範囲内の一部のＣＯＲＥＳＥＴ内の探索空間を決定することは、
マッピング方式に応じて、前記端末側機器がスキップする前記特定時間領域範囲内の一部のＣＯＲＥＳＥＴ内の探索空間を決定すること、又は
前記端末側機器が優先的にスキップする前記特定時間領域範囲内の特定ＣＯＲＥＳＥＴ内の探索空間を決定することを含み、
ここで、前記特定ＣＯＲＥＳＥＴは、前記特定時間領域範囲内の複数のＣＯＲＥＳＥＴのうちＱＣＬとビーム管理による目標ＱＣＬとの整合度が最も低いＣＯＲＥＳＥＴである、請求項３６に記載のネットワーク側機器。
【請求項４３】
コンピュータプログラムが格納されているコンピュータ読み取り可能な記憶媒体であって、
該プログラムがプロセッサによって実行されると、請求項１〜１１のいずれか一項に記載のチャネルブラインド検出方法のことが実現され、
又は、該プログラムがプロセッサによって実行されると、請求項１２〜２２のいずれか一項に記載の信号伝送方法のことが実現される、コンピュータ読み取り可能な記憶媒体。
【発明の詳細な説明】
【技術分野】
【０００１】
本願は、２０１８年４月３日に中国特許庁に提出された中国特許出願２０１８１０２８８５７５．６の優先権、及び、２０１８年５月１１日に中国特許庁に提出された中国特許出願２０１８１０４４８３２４．Ｘの優先権を主張し、その全ての内容が援用によりここに取り込まれる。
本開示は、通信技術分野に係り、特にチャネルブラインド検出方法、信号伝送方法及び関連機器に係る。
【背景技術】
【０００２】
将来の無線移動通信システムにおいて、ネットワーク側機器は、端末のために複数の探索空間（ｓｅａｒｃｈ  ｓｐａｃｅ）を配置し、且つ異なる探索空間は、同じ又は異なる傍受周期を有する。また、探索空間毎に含まれる物理ダウンリンク制御チャネル候補位置ＰＤＣＣＨ  ｃａｎｄｉｄａｔｅ（Ｐｈｙｓｉｃａｌ  Ｄｏｗｎｌｉｎｋ  Ｃｏｎｔｒｏｌ  Ｃｈａｎｎｅｌ  ｃａｎｄｉｄａｔｅ）の数がブロッキング確率（ｂｌｏｃｋｉｎｇ  ｐｒｏｂａｂｉｌｉｔｙ）、リンク適応（ｌｉｎｋ  ａｄａｐｔａｔｉｏｎ）などの性能に直接影響するため、一定数のＰＤＣＣＨ  ｃａｎｄｉｄａｔｅを配置する必要がある。しかしながら、実際の応用において、１つの時間領域リソース（例えば、スロット）における端末のブラインド検出能力には限界がある一方、伝送の柔軟性を確保するために探索空間毎に一定数のＰＤＣＣＨ  ｃａｎｄｉｄａｔｅを配置する必要があるので、１つの時間領域リソースにおける端末のブラインド検出必要回数が、該時間領域リソースにおける端末の最大ブラインド検出能力を超えてしまい、端末の性能が比較的に低い。
【発明の概要】
【発明が解決しようとする課題】
【０００３】
本開示の実施例は、端末側機器の性能が比較的に低いという問題を解決するために、チャネルブラインド検出方法、信号伝送方法及び関連機器を提供する。
【課題を解決するための手段】
【０００４】
第１方面において、本開示の実施例は、チャネルブラインド検出方法を提供する。
該方法において、
特定時間領域範囲における端末側機器のブラインド検出必要回数が最大ブラインド検出能力を超えると、端末側機器が、前記特定時間領域範囲内のブラインド検出機会の一部をスキップし、残りのブラインド検出機会でチャネルのブラインド検出を行うことを含み、
ここで、前記最大ブラインド検出能力は、前記特定時間領域範囲における前記端末側機器の最大ブラインド検出回数であり、前記特定時間領域範囲における前記端末側機器の余剰ブラインド検出必要回数は、前記最大ブラインド検出能力を超えない。
【０００５】
本開示の一部実施例において、
前記端末側機器が、前記特定時間領域範囲内のブラインド検出機会の一部をスキップし、残りのブラインド検出機会でチャネルのブラインド検出を行うことは、
前記端末側機器が、前記特定時間領域範囲内の探索空間内の少なくとも１つのアグリゲーションレベルＡＬ（Ａｇｇｒｅｇａｔｉｏｎ  Ｌｅｖｅｌ）の一部の物理ダウンリンク制御チャネルＰＤＣＣＨ候補位置をスキップし、残りのＰＤＣＣＨ候補位置に対してチャネルのブラインド検出を行うこと、
前記端末側機器が、前記特定時間領域範囲内の一部の探索空間をスキップし、残りの探索空間でチャネルのブラインド検出を行うこと、
前記端末側機器が、前記特定時間領域範囲内の一部の制御リソース集合ＣＯＲＥＳＥＴ（ｃｏｎｔｒｏｌ  ｒｅｓｏｕｒｃｅ  ｓｅｔ）内の探索空間をスキップし、残りのＣＯＲＥＳＥＴ内の探索空間でチャネルのブラインド検出を行うこと、
の少なくとも１つを含む。
【０００６】
本開示の一部実施例において、
前記特定時間領域範囲内に複数のＰＤＣＣＨ傍受機会又は複数の探索空間タイプが存在し、前記端末側機器が、前記特定時間領域範囲内の一部の探索空間をスキップすることは、
前記端末側機器が、前記特定時間領域範囲内の一部のＰＤＣＣＨ傍受機会の探索空間を、傍受機会の出現する時間順に連続的にスキップすること、又は
前記端末側機器が、前記特定時間領域範囲内の一部のＰＤＣＣＨ傍受機会の探索空間を、傍受機会の出現する時間順に間隔的にスキップすることを含む。
【０００７】
本開示の一部実施例において、
前記端末側機器が、前記特定時間領域範囲内の一部のＰＤＣＣＨ傍受機会の探索空間を、傍受機会の出現する時間順に間隔的にスキップすることは、
前記端末側機器が、初回の間隔的に選択する際に前記特定時間領域範囲内の全てのＰＤＣＣＨ傍受機会であるＰＤＣＣＨ傍受機会集合のうち、一部のＰＤＣＣＨ傍受機会を、傍受機会の出現する時間順に間隔的に選択することと、
選択されたＰＤＣＣＨ傍受機会における前記端末側機器のブラインド検出必要回数が前記最大ブラインド検出能力を超え、又は、選択されたＰＤＣＣＨ傍受機会の制御チャネルエレメントＣＣＥ数が最大ＣＣＥ数を超えると、現在の間隔的に選択される一部のＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択することを繰り返し実行することと、
選択されたＰＤＣＣＨ傍受機会における前記端末側機器のブラインド検出必要回数が前記最大ブラインド検出能力よりも小さく、且つＣＣＥ数が最大ＣＣＥ数よりも小さくなると、現在のＰＤＣＣＨ傍受機会集合のうちの選択されていないＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択するステップを繰り返し実行することとを含み、
ここで、前記端末側機器が、選択されていないＰＤＣＣＨ傍受機会の探索空間をスキップする。
【０００８】
本開示の一部実施例において、
前記のＰＤＣＣＨ傍受機会集合のうち一部のＰＤＣＣＨ傍受機会を間隔的に選択することの停止条件は、
選択されたＰＤＣＣＨ傍受機会内のブラインド検出必要回数が前記最大ブラインド検出能力に等しく、且つＣＣＥ数が前記最大ＣＣＥ数以下であること、又は
選択されたＰＤＣＣＨ傍受機会内のＣＣＥ数が前記最大ＣＣＥ数と等しく、且つブラインド検出必要回数が前記最大ブラインド検出能力以下であること、又は
選択されたＰＤＣＣＨ傍受機会内の全てのＰＤＣＣＨ候補位置に対応するブラインド検出回数が前記最大ブラインド検出能力を超えるか、又は対応するＣＣＥ数が前記最大ＣＣＥ数を超え、且つ前記端末側機器が傍受するＰＤＣＣＨ傍受機会として、現在の間隔的に選択される一部のＰＤＣＣＨ傍受機会を含まないこと、又は
前記のＰＤＣＣＨ傍受機会集合のうち一部のＰＤＣＣＨ傍受機会を間隔的に選択することで１つのＰＤＣＣＨ傍受機会のみが選択される場合、選択されたＰＤＣＣＨ傍受機会内のブラインド検出必要回数が前記最大ブラインド検出能力を超えるか又はＣＣＥ数が最大ＣＣＥ数を超え、且つ前記端末側機器が傍受するＰＤＣＣＨ傍受機会として、前記１つのＰＤＣＣＨ傍受機会を含まないことを含む。
【０００９】
本開示の一部実施例において、
前記端末側機器が、前記特定時間領域範囲内の探索空間内の少なくとも１つのＡＬの一部のＰＤＣＣＨ候補位置をスキップすることは、
前記特定時間領域範囲内の探索空間毎にＡＬ毎に複数のＰＤＣＣＨ候補位置が存在する場合、特定時間領域範囲内の余剰ブラインド検出必要回数が前記最大ブラインド検出能力を超えなくなるまで、前記端末側機器が、前記特定時間領域範囲内の探索空間毎にＡＬ毎の一部のＰＤＣＣＨ候補位置を順次スキップすること、又は
前記特定時間領域範囲内に１つのＰＤＣＣＨ候補位置のみを有するＡＬが存在する場合、前記端末側機器が、前記特定時間領域範囲内の探索空間毎に複数のＰＤＣＣＨ候補位置を有する他のＡＬの一部のＰＤＣＣＨ候補位置をスキップすること、又は
前記端末側機器が、前記特定時間領域範囲内の探索空間毎のＡＬの一部のＰＤＣＣＨ候補位置を、前記特定時間領域範囲における前記端末側機器のブラインド検出必要回数が前記最大ブラインド検出能力を超えなくなるまで、特定ＡＬ順にスキップし、ここで、ＰＤＣＣＨ候補位置をスキップするプロセスでは、１つのＰＤＣＣＨ候補位置しか残っていないＡＬに対し、前記端末側機器が、該ＡＬのＰＤＣＣＨ候補位置のスキップを一時停止することを含む。
【００１０】
本開示の一部実施例において、
前記端末側機器が、特定時間領域範囲内の余剰ブラインド検出必要回数が前記最大ブラインド検出能力を超えなくなるまで、先に探索空間、次に傍受機会、その後ＡＬの順にＰＤＣＣＨ候補位置のスキップを行う。
【００１１】
本開示の一部実施例において、
前記端末側機器が、前記特定時間領域範囲内の一部の探索空間をスキップすることは、
前記端末側機器が、傍受周期の大きさに応じて、前記特定時間領域範囲内の一部の探索空間をスキップすること、又は
前記端末側機器が、無線ネットワーク一時識別ＲＮＴＩ（Ｒａｄｉｏ  Ｎｅｔｗｏｒｋ  Ｔｅｍｐｏｒａｒｙ  Ｉｄｅｎｔｉｔｙ）に従って、前記特定時間領域範囲内の一部の探索空間をスキップすること、又は
前記端末側機器が、共通伝送探索空間ＣＳＳ（Ｃｏｍｍｏｎ  Ｓｅａｒｃｈ  Ｓｐａｃｅ）を伝送するＣＯＲＥＳＥＴである特定ＣＯＲＥＳＥＴ内のユーザ専用探索空間ＵＳＳ（ＵＥ  ｓｐｅｃｉｆｉｃ  ｓｅａｒｃｈ  ｓｐａｃｅ）をスキップすることを含む。
【００１２】
本開示の一部実施例において、
前記端末側機器が、前記特定時間領域範囲内の一部のＣＯＲＥＳＥＴ内の探索空間をスキップすることは、
前記端末側機器が、マッピング方式に応じて、前記特定時間領域範囲内の一部のＣＯＲＥＳＥＴ内の探索空間をスキップすること、又は
前記端末側機器が、前記特定時間領域範囲内の特定ＣＯＲＥＳＥＴ内の探索空間を優先的にスキップすることを含み、
ここで、前記特定ＣＯＲＥＳＥＴは、前記特定時間領域範囲内の複数のＣＯＲＥＳＥＴのうち疑似コロケーションＱＣＬ（Ｑｕａｓｉ−Ｃｏｌｏｃａｔｉｏｎ）とビーム管理による目標ＱＣＬとの整合度が最も低いＣＯＲＥＳＥＴである。
【００１３】
本開示の一部実施例において、
前記端末側機器が、マッピング方式に応じて、前記特定時間領域範囲内の一部のＣＯＲＥＳＥＴ内の探索空間をスキップすることは、
前記端末側機器が、前記特定時間領域範囲内のローカルマッピングのＣＯＲＥＳＥＴ内の探索空間を優先的にスキップすること、又は
前記端末側機器が、前記特定時間領域範囲内の分散マッピングのＣＯＲＥＳＥＴ内の探索空間を優先的にスキップすることを含む。
【００１４】
本開示の一部実施例において、前記特定時間領域範囲は、スロット（ｓｌｏｔ）である。
【００１５】
第２方面において、本開示の実施例は、信号伝送方法を更に提供する。
該方法において、
特定時間領域範囲における端末側機器のブラインド検出必要回数が、前記特定時間領域範囲における前記端末側機器の最大ブラインド検出回数である最大ブラインド検出能力を超えると、ネットワーク側機器が、前記端末側機器がスキップする前記特定時間領域範囲内のブラインド検出機会の一部を決定することと、
前記ネットワーク側機器が、残りのブラインド検出機会で信号を伝送することとを含み、
ここで、前記特定時間領域範囲における前記端末側機器の余剰ブラインド検出必要回数は、前記最大ブラインド検出能力を超えない。
【００１６】
本開示の一部実施例において、
前記ネットワーク側機器が、前記端末側機器がスキップする前記特定時間領域範囲内のブラインド検出機会の一部を決定することは、
前記ネットワーク側機器が、前記端末側機器がスキップする前記特定時間領域範囲内の探索空間内の少なくとも１つのＡＬの一部のＰＤＣＣＨ候補位置を決定すること、
前記ネットワーク側機器が、前記端末側機器がスキップする前記特定時間領域範囲内の一部の探索空間を決定すること、
前記ネットワーク側機器が、前記端末側機器がスキップする前記特定時間領域範囲内の一部のＣＯＲＥＳＥＴ内の探索空間を決定すること、
の少なくとも１つを含む。
【００１７】
本開示の一部実施例において、
前記特定時間領域範囲内に複数のＰＤＣＣＨ傍受機会又は複数の探索空間タイプが存在し、前記ネットワーク側機器が、前記端末側機器がスキップする前記特定時間領域範囲内の一部の探索空間を決定することは、
前記ネットワーク側機器が、前記端末側機器が連続的にスキップする前記特定時間領域範囲内の一部のＰＤＣＣＨ傍受機会の探索空間を、傍受機会の出現する時間順に決定すること、又は
前記ネットワーク側機器が、前記端末側機器が間隔的にスキップする前記特定時間領域範囲内の一部のＰＤＣＣＨ傍受機会の探索空間を、傍受機会の出現する時間順に決定することを含む。
【００１８】
本開示の一部実施例において、
前記ネットワーク側機器が、前記端末側機器が間隔的にスキップする前記特定時間領域範囲内の一部のＰＤＣＣＨ傍受機会の探索空間を、傍受機会の出現する時間順に決定することは、
前記ネットワーク側機器が、初回の間隔的に選択する際に前記特定時間領域範囲内の全てのＰＤＣＣＨ傍受機会であるＰＤＣＣＨ傍受機会集合のうち、一部のＰＤＣＣＨ傍受機会を、傍受機会の出現する時間順に間隔的に選択することと、
選択されたＰＤＣＣＨ傍受機会における前記端末側機器のブラインド検出必要回数が前記最大ブラインド検出能力を超え、又は、選択されたＰＤＣＣＨ傍受機会の制御チャネルエレメントＣＣＥ数が最大ＣＣＥ数を超えると、現在の間隔的に選択される一部のＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択することを繰り返し実行することと、
選択されたＰＤＣＣＨ傍受機会における前記端末側機器のブラインド検出必要回数が前記最大ブラインド検出能力よりも小さく、且つＣＣＥ数が最大ＣＣＥ数よりも小さくなると、現在のＰＤＣＣＨ傍受機会集合のうちの選択されていないＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択することを繰り返し実行することとを含み、
ここで、前記端末側機器が、選択されていないＰＤＣＣＨ傍受機会の探索空間をスキップする。
【００１９】
本開示の一部実施例において、
前記のＰＤＣＣＨ傍受機会集合のうち一部のＰＤＣＣＨ傍受機会を間隔的に選択することの停止条件は、
選択されたＰＤＣＣＨ傍受機会内のブラインド検出必要回数が前記最大ブラインド検出能力に等しく、且つＣＣＥ数が前記最大ＣＣＥ数以下であること、又は
選択されたＰＤＣＣＨ傍受機会内のＣＣＥ数が前記最大ＣＣＥ数と等しく、且つブラインド検出必要回数が前記最大ブラインド検出能力以下であること、又は
選択されたＰＤＣＣＨ傍受機会内の全てのＰＤＣＣＨ候補位置に対応するブラインド検出回数が前記最大ブラインド検出能力を超えるか、又は対応するＣＣＥ数が前記最大ＣＣＥ数を超え、且つ前記端末側機器が傍受するＰＤＣＣＨ傍受機会として、現在の間隔的に選択される一部のＰＤＣＣＨ傍受機会を含まないこと、又は
前記のＰＤＣＣＨ傍受機会集合のうち一部のＰＤＣＣＨ傍受機会を間隔的に選択することで１つのＰＤＣＣＨ傍受機会のみが選択される場合、選択されたＰＤＣＣＨ傍受機会内のブラインド検出必要回数が前記最大ブラインド検出能力を超えるか又はＣＣＥ数が最大ＣＣＥ数を超え、且つ前記端末側機器が傍受するＰＤＣＣＨ傍受機会として、前記１つのＰＤＣＣＨ傍受機会を含まないことを含む。
【００２０】
本開示の一部実施例において、
前記ネットワーク側機器が、前記端末側機器がスキップする前記特定時間領域範囲内の探索空間内の少なくとも１つのＡＬの一部のＰＤＣＣＨ候補位置を決定することは、
前記特定時間領域範囲内の探索空間毎にＡＬ毎に複数のＰＤＣＣＨ候補位置が存在する場合、前記ネットワーク側機器が、前記端末側機器が順次スキップする前記特定時間領域範囲内の探索空間毎にＡＬ毎の一部のＰＤＣＣＨ候補位置を決定すること、又は
前記特定時間領域範囲内に１つのＰＤＣＣＨ候補位置のみを有するＡＬが存在する場合、前記ネットワーク側機器が、前記端末側機器がスキップする前記特定時間領域範囲内の探索空間毎に複数のＰＤＣＣＨ候補位置を有する他のＡＬの一部のＰＤＣＣＨ候補位置を決定すること、又は
前記ネットワーク側機器が、前記端末側機器がスキップする前記特定時間領域範囲内の探索空間毎のＡＬの一部のＰＤＣＣＨ候補位置を、特定ＡＬ順に決定し、ここで、ＰＤＣＣＨ候補位置をスキップするプロセスでは、１つのＰＤＣＣＨ候補位置しか残っていないＡＬに対し、前記端末側機器が、該ＡＬのＰＤＣＣＨ候補位置のスキップを一時停止することを含む。
【００２１】
本開示の一部実施例において、
前記端末側機器が、特定時間領域範囲内の余剰ブラインド検出必要回数が前記最大ブラインド検出能力を超えなくなるまで、先に探索空間、次に傍受機会、その後ＡＬの順にＰＤＣＣＨ候補位置のスキップを行う。
【００２２】
本開示の一部実施例において、
前記ネットワーク側機器が、前記端末側機器がスキップする前記特定時間領域範囲内の一部の探索空間を決定することは、
前記ネットワーク側機器が、傍受周期の大きさに応じて、前記端末側機器がスキップする前記特定時間領域範囲内の一部の探索空間を決定すること、又は
前記ネットワーク側機器が、ＲＮＴＩに従って、前記端末側機器がスキップする前記特定時間領域範囲内の一部の探索空間を決定すること、又は
前記ネットワーク側機器が、前記端末側機器がスキップするＣＳＳを伝送するＣＯＲＥＳＥＴである特定ＣＯＲＥＳＥＴ内のＵＳＳを決定することを含む。
【００２３】
本開示の一部実施例において、
前記ネットワーク側機器が、端末側機器がスキップする前記特定時間領域範囲内の一部のＣＯＲＥＳＥＴ内の探索空間を決定することは、
前記ネットワーク側機器が、マッピング方式に応じて、前記端末側機器がスキップする前記特定時間領域範囲内の一部のＣＯＲＥＳＥＴ内の探索空間を決定すること、又は
前記ネットワーク側機器が、前記端末側機器が優先的にスキップする前記特定時間領域範囲内の特定ＣＯＲＥＳＥＴ内の探索空間を決定することを含み、
ここで、前記特定ＣＯＲＥＳＥＴは、前記特定時間領域範囲内の複数のＣＯＲＥＳＥＴのうちＱＣＬとビーム管理による目標ＱＣＬとの整合度が最も低いＣＯＲＥＳＥＴである。
【００２４】
本開示の一部実施例において、
前記ネットワーク側機器が、マッピング方式に応じて、前記端末側機器がスキップする前記特定時間領域範囲内の一部のＣＯＲＥＳＥＴ内の探索空間を決定することは、
前記ネットワーク側機器が、前記端末側機器が優先的にスキップする前記特定時間領域範囲内のローカルマッピングのＣＯＲＥＳＥＴ内の探索空間を決定すること、又は
前記ネットワーク側機器が、前記端末側機器が優先的にスキップする前記特定時間領域範囲内の分散マッピングのＣＯＲＥＳＥＴ内の探索空間を決定することを含む。
【００２５】
本開示の一部実施例において、
前記特定時間領域範囲は、ｓｌｏｔである。
【００２６】
第３方面において、本開示の実施例は、端末側機器を更に提供する。
該端末側機器は、
特定時間領域範囲における端末側機器のブラインド検出必要回数が最大ブラインド検出能力を超えると、前記特定時間領域範囲内のブラインド検出機会の一部をスキップし、残りのブラインド検出機会でチャネルのブラインド検出を行うためのブラインド検出モジュールを含み、
ここで、前記最大ブラインド検出能力は、前記特定時間領域範囲における前記端末側機器の最大ブラインド検出回数であり、前記特定時間領域範囲における前記端末側機器の余剰ブラインド検出必要回数は、前記最大ブラインド検出能力を超えない。
【００２７】
本開示の一部実施例において、
前記ブラインド検出モジュールは、
特定時間領域範囲における端末側機器のブラインド検出必要回数が最大ブラインド検出能力を超えると、前記特定時間領域範囲内の探索空間内の少なくとも１つのアグリゲーションレベルＡＬの一部の物理ダウンリンク制御チャネルＰＤＣＣＨ候補位置をスキップし、残りのＰＤＣＣＨ候補位置に対してチャネルのブラインド検出を行うための第１ブラインド検出ユニットと、
特定時間領域範囲における端末側機器のブラインド検出必要回数が最大ブラインド検出能力を超えると、前記特定時間領域範囲内の一部の探索空間をスキップし、残りの探索空間でチャネルのブラインド検出を行うための第２ブラインド検出ユニットと、
特定時間領域範囲における端末側機器のブラインド検出必要回数が最大ブラインド検出能力を超えると、前記特定時間領域範囲内の一部のＣＯＲＥＳＥＴ内の探索空間をスキップし、残りのＣＯＲＥＳＥＴ内の探索空間でチャネルのブラインド検出を行うための第３ブラインド検出ユニットと、
の少なくとも１つを含む。
【００２８】
第４方面において、本開示の実施例は、ネットワーク側機器を更に提供する。
該ネットワーク側機器は、
特定時間領域範囲における端末側機器のブラインド検出必要回数が、前記特定時間領域範囲における前記端末側機器の最大ブラインド検出回数である最大ブラインド検出能力を超えると、前記端末側機器がスキップする前記特定時間領域範囲内のブラインド検出機会の一部を決定するための決定モジュールと、
前記ネットワーク側機器が、残りのブラインド検出機会で信号を伝送するための伝送モジュールとを含み、
ここで、前記特定時間領域範囲における前記端末側機器の余剰ブラインド検出必要回数は、前記最大ブラインド検出能力を超えない。
【００２９】
本開示の一部実施例において、
前記決定モジュールは、
特定時間領域範囲における端末側機器のブラインド検出必要回数が最大ブラインド検出能力を超えると、前記端末側機器がスキップする前記特定時間領域範囲内の探索空間内の少なくとも１つのＡＬの一部のＰＤＣＣＨ候補位置を決定するための第１決定ユニットと、
特定時間領域範囲における端末側機器のブラインド検出必要回数が最大ブラインド検出能力を超えると、前記端末側機器がスキップする前記特定時間領域範囲内の一部の探索空間を決定するための第２決定ユニットと、
特定時間領域範囲における端末側機器のブラインド検出必要回数が最大ブラインド検出能力を超えると、前記端末側機器がスキップする前記特定時間領域範囲内の一部のＣＯＲＥＳＥＴ内の探索空間を決定するための第３決定ユニットと、
の少なくとも１つを含む。
【００３０】
第５方面において、本開示の実施例は、端末側機器を更に提供する。
トランシーバと、メモリと、プロセッサと、前記メモリに格納されて前記プロセッサで動作可能なコンピュータプログラムを含む端末側機器であって、
前記プロセッサは、前記メモリに格納されているコンピュータプログラムを読み取って実行すると、
特定時間領域範囲における端末側機器のブラインド検出必要回数が最大ブラインド検出能力を超えると、前記特定時間領域範囲内のブラインド検出機会の一部をスキップし、残りのブラインド検出機会でチャネルのブラインド検出を行うプロセスを実行し、
ここで、前記最大ブラインド検出能力は、前記特定時間領域範囲における前記端末側機器の最大ブラインド検出回数であり、前記特定時間領域範囲における前記端末側機器の余剰ブラインド検出必要回数は、前記最大ブラインド検出能力を超えない。
【００３１】
本開示の一部実施例において、
前記の前記特定時間領域範囲内のブラインド検出機会の一部をスキップし、残りのブラインド検出機会でチャネルのブラインド検出を行うことは、
前記特定時間領域範囲内の探索空間内の少なくとも１つのアグリゲーションレベルＡＬの一部のＰＤＣＣＨ候補位置をスキップし、残りのＰＤＣＣＨ候補位置に対してチャネルのブラインド検出を行うこと、
前記特定時間領域範囲内の一部の探索空間をスキップし、残りの探索空間でチャネルのブラインド検出を行うこと、
前記特定時間領域範囲内の一部のＣＯＲＥＳＥＴ内の探索空間をスキップし、残りのＣＯＲＥＳＥＴ内の探索空間でチャネルのブラインド検出を行うこと、
の少なくとも１つを含む。
【００３２】
本開示の一部実施例において、
前記特定時間領域範囲内に複数のＰＤＣＣＨ傍受機会又は複数の探索空間タイプが存在し、前記の前記特定時間領域範囲内の一部の探索空間をスキップすることは、
前記特定時間領域範囲内の一部のＰＤＣＣＨ傍受機会の探索空間を、傍受機会の出現する時間順に連続的にスキップすること、又は
前記特定時間領域範囲内の一部のＰＤＣＣＨ傍受機会の探索空間を、傍受機会の出現する時間順に間隔的にスキップすることを含む。
【００３３】
本開示の一部実施例において、
前記の前記特定時間領域範囲内の一部のＰＤＣＣＨ傍受機会の探索空間を、傍受機会の出現する時間順に間隔的にスキップすることは、
前記端末側機器が、初回の間隔的に選択する際に前記特定時間領域範囲内の全てのＰＤＣＣＨ傍受機会であるＰＤＣＣＨ傍受機会集合のうち、一部のＰＤＣＣＨ傍受機会を、傍受機会の出現する時間順に間隔的に選択することと、
選択されたＰＤＣＣＨ傍受機会における前記端末側機器のブラインド検出必要回数が前記最大ブラインド検出能力を超え、又は、選択されたＰＤＣＣＨ傍受機会の制御チャネルエレメントＣＣＥ数が最大ＣＣＥ数を超えると、現在の間隔的に選択される一部のＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択することを繰り返し実行することと、
選択されたＰＤＣＣＨ傍受機会における前記端末側機器のブラインド検出必要回数が前記最大ブラインド検出能力よりも小さく、且つＣＣＥ数が最大ＣＣＥ数よりも小さくなると、現在のＰＤＣＣＨ傍受機会集合のうちの選択されていないＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択するステップを繰り返し実行することとを含み、
ここで、前記端末側機器が、選択されていないＰＤＣＣＨ傍受機会の探索空間をスキップする。
【００３４】
本開示の一部実施例において、
前記のＰＤＣＣＨ傍受機会集合のうち一部のＰＤＣＣＨ傍受機会を間隔的に選択することの停止条件は、
選択されたＰＤＣＣＨ傍受機会内のブラインド検出必要回数が前記最大ブラインド検出能力に等しく、且つＣＣＥ数が前記最大ＣＣＥ数以下であること、又は
選択されたＰＤＣＣＨ傍受機会内のＣＣＥ数が前記最大ＣＣＥ数と等しく、且つブラインド検出必要回数が前記最大ブラインド検出能力以下であること、又は
選択されたＰＤＣＣＨ傍受機会内の全てのＰＤＣＣＨ候補位置に対応するブラインド検出回数が前記最大ブラインド検出能力を超えるか、又は対応するＣＣＥ数が前記最大ＣＣＥ数を超え、且つ前記端末側機器が傍受するＰＤＣＣＨ傍受機会として、現在の間隔的に選択される一部のＰＤＣＣＨ傍受機会を含まないこと、又は
前記のＰＤＣＣＨ傍受機会集合のうち一部のＰＤＣＣＨ傍受機会を間隔的に選択することで１つのＰＤＣＣＨ傍受機会のみが選択される場合、選択されたＰＤＣＣＨ傍受機会内のブラインド検出必要回数が前記最大ブラインド検出能力を超えるか又はＣＣＥ数が最大ＣＣＥ数を超え、且つ前記端末側機器が傍受するＰＤＣＣＨ傍受機会として、前記１つのＰＤＣＣＨ傍受機会を含まないことを含む。
【００３５】
本開示の一部実施例において、
前記の前記特定時間領域範囲内の探索空間内の少なくとも１つのＡＬの一部のＰＤＣＣＨ候補位置をスキップすることは、
前記特定時間領域範囲内の探索空間毎にＡＬ毎に複数のＰＤＣＣＨ候補位置が存在する場合、特定時間領域範囲内の余剰ブラインド検出必要回数が前記最大ブラインド検出能力を超えなくなるまで、前記特定時間領域範囲内の探索空間毎にＡＬ毎の一部のＰＤＣＣＨ候補位置を順次スキップすること、又は
前記特定時間領域範囲内に１つのＰＤＣＣＨ候補位置のみを有するＡＬが存在する場合、前記特定時間領域範囲内の探索空間毎に複数のＰＤＣＣＨ候補位置を有する他のＡＬの一部のＰＤＣＣＨ候補位置をスキップすること、又は
前記特定時間領域範囲内の探索空間毎のＡＬの一部のＰＤＣＣＨ候補位置を、前記特定時間領域範囲における前記端末側機器のブラインド検出必要回数が前記最大ブラインド検出能力を超えなくなるまで、特定ＡＬ順にスキップし、ここで、ＰＤＣＣＨ候補位置をスキップするプロセスでは、１つのＰＤＣＣＨ候補位置しか残っていないＡＬに対し、前記端末側機器が、該ＡＬのＰＤＣＣＨ候補位置のスキップを一時停止することを含む。
【００３６】
本開示の一部実施例において、
前記の前記特定時間領域範囲内の一部の探索空間をスキップすることは、
傍受周期の大きさに応じて、前記特定時間領域範囲内の一部の探索空間をスキップすること、又は、
ＲＮＴＩに従って、前記特定時間領域範囲内の一部の探索空間をスキップすること、又は、
前記端末側機器がＣＳＳを伝送するＣＯＲＥＳＥＴである特定ＣＯＲＥＳＥＴ内のＵＳＳをスキップすることを含む。
【００３７】
本開示の一部実施例において、
前記の前記特定時間領域範囲内の一部のＣＯＲＥＳＥＴ内の探索空間をスキップすることは、
マッピング方式に応じて、前記特定時間領域範囲内の一部のＣＯＲＥＳＥＴ内の探索空間をスキップすること、又は
前記特定時間領域範囲内の特定ＣＯＲＥＳＥＴ内の探索空間を優先的にスキップすることを含み、
ここで、前記特定ＣＯＲＥＳＥＴは、前記特定時間領域範囲内の複数のＣＯＲＥＳＥＴのうち疑似コロケーションＱＣＬとビーム管理による目標ＱＣＬとの整合度が最も低いＣＯＲＥＳＥＴである。
【００３８】
第６方面において、本開示の実施例は、ネットワーク側機器を更に提供する。
トランシーバと、メモリと、プロセッサと、前記メモリに格納されて前記プロセッサで動作可能なコンピュータプログラムを含むネットワーク側機器であって、
前記プロセッサは、前記メモリに格納されているコンピュータプログラムを読み取って実行すると、
特定時間領域範囲における端末側機器のブラインド検出必要回数が、前記特定時間領域範囲における前記端末側機器の最大ブラインド検出回数である最大ブラインド検出能力を超えると、前記端末側機器がスキップする前記特定時間領域範囲内のブラインド検出機会の一部を決定するプロセスと、
残りのブラインド検出機会で信号を伝送するプロセスとを実行し、ここで、前記特定時間領域範囲における前記端末側機器の余剰ブラインド検出必要回数は、前記最大ブラインド検出能力を超えず、
又は、
特定時間領域範囲における端末側機器のブラインド検出必要回数が、前記特定時間領域範囲における前記端末側機器の最大ブラインド検出回数である最大ブラインド検出能力を超えると、前記端末側機器がスキップする前記特定時間領域範囲内のブラインド検出機会の一部を決定するプロセスと、
残りのブラインド検出機会で信号を伝送するプロセスとを実行し、ここで、前記特定時間領域範囲における前記端末側機器の余剰ブラインド検出必要回数は、前記最大ブラインド検出能力を超えない。
【００３９】
本開示の一部実施例において、
前記の前記端末側機器がスキップする前記特定時間領域範囲内のブラインド検出機会の一部を決定することは、
前記端末側機器がスキップする前記特定時間領域範囲内の探索空間内の少なくとも１つのＡＬの一部のＰＤＣＣＨ候補位置を決定すること、
前記端末側機器がスキップする前記特定時間領域範囲内の一部の探索空間を決定すること、
前記端末側機器がスキップする前記特定時間領域範囲内の一部のＣＯＲＥＳＥＴ内の探索空間を決定すること、
の少なくとも１つを含む。
【００４０】
本開示の一部実施例において、
前記特定時間領域範囲内に複数のＰＤＣＣＨ傍受機会又は複数の探索空間タイプが存在し、前記の前記端末側機器がスキップする前記特定時間領域範囲内の一部の探索空間を決定することは、
前記端末側機器が連続的にスキップする前記特定時間領域範囲内の一部のＰＤＣＣＨ傍受機会の探索空間を、傍受機会の出現する時間順に決定すること、又は
前記端末側機器が間隔的にスキップする前記特定時間領域範囲内の一部のＰＤＣＣＨ傍受機会の探索空間を、傍受機会の出現する時間順に決定することを含む。
【００４１】
本開示の一部実施例において、
前記の前記端末側機器が間隔的にスキップする前記特定時間領域範囲内の一部のＰＤＣＣＨ傍受機会の探索空間を、傍受機会の出現する時間順に決定することは、
初回の間隔的に選択する際に前記特定時間領域範囲内の全てのＰＤＣＣＨ傍受機会であるＰＤＣＣＨ傍受機会集合のうち、一部のＰＤＣＣＨ傍受機会を、傍受機会の出現する時間順に間隔的に選択することと、
選択されたＰＤＣＣＨ傍受機会における前記端末側機器のブラインド検出必要回数が前記最大ブラインド検出能力を超え、又は、選択されたＰＤＣＣＨ傍受機会の制御チャネルエレメントＣＣＥ数が最大ＣＣＥ数を超えると、現在の間隔的に選択される一部のＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択することを繰り返し実行することと、
選択されたＰＤＣＣＨ傍受機会における前記端末側機器のブラインド検出必要回数が前記最大ブラインド検出能力よりも小さく、且つＣＣＥ数が最大ＣＣＥ数よりも小さくなると、現在のＰＤＣＣＨ傍受機会集合のうちの選択されていないＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択するステップを繰り返し実行することとを含み、
ここで、前記端末側機器が、選択されていないＰＤＣＣＨ傍受機会の探索空間をスキップする。
【００４２】
本開示の一部実施例において、
前記のＰＤＣＣＨ傍受機会集合のうち一部のＰＤＣＣＨ傍受機会を間隔的に選択することの停止条件は、
選択されたＰＤＣＣＨ傍受機会内のブラインド検出必要回数が前記最大ブラインド検出能力に等しく、且つＣＣＥ数が前記最大ＣＣＥ数以下であること、又は
選択されたＰＤＣＣＨ傍受機会内のＣＣＥ数が前記最大ＣＣＥ数と等しく、且つブラインド検出必要回数が前記最大ブラインド検出能力以下であること、又は
選択されたＰＤＣＣＨ傍受機会内の全てのＰＤＣＣＨ候補位置に対応するブラインド検出回数が前記最大ブラインド検出能力を超えるか、又は対応するＣＣＥ数が前記最大ＣＣＥ数を超え、且つ前記端末側機器が傍受するＰＤＣＣＨ傍受機会として、現在の間隔的に選択される一部のＰＤＣＣＨ傍受機会を含まないこと、又は
前記のＰＤＣＣＨ傍受機会集合のうち一部のＰＤＣＣＨ傍受機会を間隔的に選択することで１つのＰＤＣＣＨ傍受機会のみが選択される場合、選択されたＰＤＣＣＨ傍受機会内のブラインド検出必要回数が前記最大ブラインド検出能力を超えるか又はＣＣＥ数が最大ＣＣＥ数を超え、且つ前記端末側機器が傍受するＰＤＣＣＨ傍受機会として、前記１つのＰＤＣＣＨ傍受機会を含まないことを含む。
【００４３】
本開示の一部実施例において、
前記の前記端末側機器がスキップする前記特定時間領域範囲内の探索空間内の少なくとも１つのＡＬの一部のＰＤＣＣＨ候補位置を決定することは、
前記特定時間領域範囲内の探索空間毎にＡＬ毎に複数のＰＤＣＣＨ候補位置が存在する場合、前記端末側機器が順次スキップする前記特定時間領域範囲内の探索空間毎にＡＬ毎の一部のＰＤＣＣＨ候補位置を決定すること、又は
前記特定時間領域範囲内に１つのＰＤＣＣＨ候補位置のみを有するＡＬが存在する場合、前記端末側機器がスキップする前記特定時間領域範囲内の探索空間毎に複数のＰＤＣＣＨ候補位置を有する他のＡＬの一部のＰＤＣＣＨ候補位置を決定すること、又は
前記端末側機器がスキップする前記特定時間領域範囲内の探索空間毎のＡＬの一部のＰＤＣＣＨ候補位置を、特定ＡＬ順に決定し、ここで、ＰＤＣＣＨ候補位置をスキップするプロセスでは、１つのＰＤＣＣＨ候補位置しか残っていないＡＬに対し、前記端末側機器が、該ＡＬのＰＤＣＣＨ候補位置のスキップを一時停止することを含む。
【００４４】
本開示の一部実施例において、
前記の前記端末側機器がスキップする前記特定時間領域範囲内の一部の探索空間を決定することは、
傍受周期の大きさに応じて、前記端末側機器がスキップする前記特定時間領域範囲内の一部の探索空間を決定すること、又は
ＲＮＴＩに従って、前記端末側機器がスキップする前記特定時間領域範囲内の一部の探索空間を決定すること、又は
前記端末側機器がスキップするＣＳＳを伝送するＣＯＲＥＳＥＴである特定ＣＯＲＥＳＥＴ内のＵＳＳを決定することを含む。
【００４５】
本開示の一部実施例において、
前記の端末側機器がスキップする前記特定時間領域範囲内の一部のＣＯＲＥＳＥＴ内の探索空間を決定することは、
マッピング方式に応じて、前記端末側機器がスキップする前記特定時間領域範囲内の一部のＣＯＲＥＳＥＴ内の探索空間を決定すること、又は
前記端末側機器が優先的にスキップする前記特定時間領域範囲内の特定ＣＯＲＥＳＥＴ内の探索空間を決定することを含み、
ここで、前記特定ＣＯＲＥＳＥＴは、前記特定時間領域範囲内の複数のＣＯＲＥＳＥＴのうちＱＣＬとビーム管理による目標ＱＣＬとの整合度が最も低いＣＯＲＥＳＥＴである。
【００４６】
第７方面において、本開示の実施例は、記憶媒体を更に提供する。
コンピュータプログラムが格納されているコンピュータ読み取り可能な記憶媒体であって、
該プログラムがプロセッサによって実行されると、本開示の実施例によるチャネルブラインド検出方法のことが実現され、
又は、該プログラムがプロセッサによって実行されると、本開示の実施例による信号伝送方法のことが実現される。
発明の効果
【００４７】
本開示の実施例において、特定時間領域範囲における端末側機器のブラインド検出必要回数が最大ブラインド検出能力を超える場合、端末側機器は、前記特定時間領域範囲内のブラインド検出機会の一部をスキップし、残りのブラインド検出機会でチャネルのブラインド検出を行う。ここで、前記最大ブラインド検出能力は、前記特定時間領域範囲における前記端末側機器の最大ブラインド検出回数であり、前記特定時間領域範囲における前記端末側機器の余剰ブラインド検出必要回数は、前記最大ブラインド検出能力を超えない。ブラインド検出機会の一部をスキップすることによって、前記特定時間領域範囲における端末側機器の余剰ブラインド検出必要回数が前記最大ブラインド検出能力を超えないようにするので、端末側機器の性能を向上させる。
【図面の簡単な説明】
【００４８】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【００４９】
【図１】図１は、本開示の実施例の応用可能なネットワーク構造図である。
【図２】図２は、本開示の実施例によるチャネルブラインド検出方法のフローチャートである。
【図３】図３は、本開示の実施例によるブラインド検出機会のスキップを示す図である。
【図４】図４は、本開示の実施例による別のブラインド検出機会のスキップを示す図である。
【図５】図５は、本開示の実施例による別のブラインド検出機会のスキップを示す図である。
【図６】図６は、本開示の実施例による傍受機会を示す図である。
【図７】図７は、本開示の実施例による別のブラインド検出機会のスキップを示す図である。
【図８】図８は、本開示の実施例による別の傍受機会を示す図である。
【図９】図９は、本開示の実施例による別のブラインド検出機会のスキップを示す図である。
【図１０】図１０は、本開示の実施例による別のブラインド検出機会のスキップを示す図である。
【図１１】図１１は、本開示の実施例によるチャネルブラインド検出方法のフローチャートである。
【図１２】図１２は、本開示の実施例による端末側機器の構造図である。
【図１３】図１３は、本開示の実施例による別の端末側機器の構造図である。
【図１４】図１４は、本開示の実施例によるネットワーク側機器の構造図である。
【図１５】図１５は、本開示の実施例による別のネットワーク側機器の構造図である。
【図１６】図１６は、本開示の実施例による別の端末側機器の構造図である。
【図１７】図１７は、本開示の実施例による別のネットワーク側機器の構造図である。
【発明を実施するための形態】
【００５０】
本開示の解決しようとする技術課題、技術手段及び利点をより明確にするために、以下、図面及び具体的な実施例を通じて詳細に記載する。
【００５１】
図１を参照する。図１は、本開示の実施例の応用可能なネットワーク構造図である。図１に示すように、端末側機器１１とネットワーク側機器１２が含まれる。ここで、端末側機器１１は、ユーザ端末ＵＥ（Ｕｓｅｒ  Ｅｑｕｉｐｍｅｎｔ）又は他の端末機器であり、例えば携帯電話、タブレットパソコン（Ｔａｂｌｅｔ  Ｐｅｒｓｏｎａｌ  Ｃｏｍｐｕｔｅｒ）、ラップトップ型パソコン（Ｌａｐｔｏｐ  Ｃｏｍｐｕｔｅｒ）、パーソナルデジタルアシスタントＰＤＡ（ｐｅｒｓｏｎａｌ  ｄｉｇｉｔａｌ  ａｓｓｉｓｔａｎｔ）、モバイルインターネットデバイスＭＩＤ（Ｍｏｂｉｌｅ  Ｉｎｔｅｒｎｅｔ  Ｄｅｖｉｃｅ）又はウェアラブルデバイス（Ｗｅａｒａｂｌｅ  Ｄｅｖｉｃｅ）などの端末側機器である。なお、本開示の実施例では、端末側機器１１の具体的な種類を限定しない。端末側機器１１は、ネットワーク側機器１２と通信可能である。ネットワーク側機器１２は、たとえばマクロ基地局、ＬＴＥ  ｅＮＢ、５Ｇ  ＮＲ  ＮＢなどの基地局である。ネットワーク側機器１２は、低電力ノードＬＰＮ（ｌｏｗ  ｐｏｗｅｒ  ｎｏｄｅ）、ｐｉｃｏ、ｆｅｍｔｏなどのスモール基地局であってもよく、又はアクセスポイントＡＰ（ａｃｃｅｓｓ  ｐｏｉｎｔ）であってもよい。基地局は、中央ユニットＣＵ（ｃｅｎｔｒａｌ  ｕｎｉｔ）及びその管理／制御下の複数の伝送受信ポイントＴＲＰ（Ｔｒａｎｓｍｉｓｓｉｏｎ  Ｒｅｃｅｐｔｉｏｎ  Ｐｏｉｎｔ）からなるネットワークノードであってもよい。なお、本開示の実施例では、ネットワーク側機器１２の具体的な種類を限定しない。
【００５２】
図２を参照する。図２は、本開示の実施例によるチャネルブラインド検出方法のフローチャートであり、図２に示すように、以下のステップを含む。
ステップ２０１において、特定時間領域範囲における端末のブラインド検出必要回数が最大ブラインド検出能力を超えると、端末は、前記特定時間領域範囲内のブラインド検出機会の一部をスキップし、残りのブラインド検出機会でチャネルのブラインド検出を行う。
ここで、前記最大ブラインド検出能力は、前記特定時間領域範囲における前記端末の最大ブラインド検出回数であり、前記特定時間領域範囲における前記端末の余剰ブラインド検出必要回数は、前記最大ブラインド検出能力を超えない。
【００５３】
上記の特定時間領域範囲は、ｓｌｏｔであり、例えば１つのｓｌｏｔである。もちろん、他の時間領域範囲、例えば１つのサブフレーム又は複数のシンボルなどであってもよく、これらに限定されない。
【００５４】
上記の特定時間領域範囲における端末のブラインド検出必要回数は、上記の特定時間領域範囲内の配置に基づいて決められるが、具体的な決定方式として、本開示の実施例において限定しない。また、上記最大ブラインド検出能力は、４４、４６などの他の最大ブラインド検出回数のように、予め配置されたものやプロトコルで定義されたものなどである。例えば、ネットワーク側機器が端末に対し配置するユーザ専用探索空間集合（ＵＥ−ｓｐｅｃｉｆｉｃ  ｓｅａｒｃｈ  ｓｐａｃｅ  ｓｅｔ）１では、１ｓｌｏｔ内にＯ（Ｏ＝３とする）個の傍受機会（ｍｏｎｉｔｏｒｉｎｇ  ｏｃｃａｓｉｏｎ）を有し、探索空間集合（ｓｅａｒｃｈ  ｓｐａｃｅ  ｓｅｔ）内に合計１４個のＰＤＣＣＨ  ｃａｎｄｉｄａｔｅを有する。また、ＣＳＳには７個のＰＤＣＣＨ  ｃａｎｄｉｄａｔｅを含む。このように、ＣＳＳとＵＳＳとが同一のｓｌｏｔに出現した場合、ブラインド検出総回数は、１４×３＋７＝４９となり、上記最大ブラインド検出能力が４４であると、該ｓｌｏｔ内で端末のブラインド検出必要回数４９は、４４よりも大きい。即ち、ｓｌｏｔ内で端末のブラインド検出必要回数は、最大ブラインド検出能力を超える。
【００５５】
また、上記の特定時間領域範囲内のブラインド検出機会の一部をスキップすることは、該特定時間領域範囲内の一部のＰＤＣＣＨ候補位置及び一部の探索空間などのうちの少なくとも１つをスキップして、前記特定時間領域範囲における端末の余剰ブラインド検出必要回数が前記最大ブラインド検出能力を超えないようにすることである。即ち、本開示の実施例において、ブラインド検出機会は、ＰＤＣＣＨ候補位置や探索空間など、端末のブラインド検出が必要なリソースである。一方、上記残りのブラインド検出機会は、上記特定時間領域範囲内で上記スキップされる一部のブラインド検出機会以外のブラインド検出機会であり、例えば、スキップされないＰＤＣＣＨ候補位置及び一部の探索空間などである。
【００５６】
なお、本開示の実施例において、前記特定時間領域範囲における端末の余剰ブラインド検出必要回数が前記最大ブラインド検出能力を超えないことは、端末がスキップする一部のブラインド検出機会を除き、上記特定時間領域範囲において端末が更に行う必要のあるブラインド検出回数が前記最大ブラインド検出能力を超えないと理解する。上記余剰ブラインド検出必要回数は、上記スキップ操作を経て、上記特定時間領域範囲における端末のブラインド検出が必要な余剰の回数と理解してもよい。例えば、上記の例のように、１ｓｌｏｔにおける端末のブラインド検出必要回数が４９であり、最大ブラインド検出能力が４４であると、端末は、１つの傍受機会をスキップする。例えば、端末は、３番目のＰＤＣＣＨ傍受機会（ｍｏｎｉｔｏｒｉｎｇ  ｏｃｃａｓｉｏｎ）でＰＤＣＣＨをブラインド検出しない。よって、該ｓｌｏｔにおける端末の余剰ブラインド検出必要回数は、４９−１４＝３５となり、４４を超えていない。
【００５７】
なお、本開示の実施例において、前記特定時間領域範囲内のブラインド検出機会の一部をスキップすることと、残りのブラインド検出機会でチャネルのブラインド検出を行うことについて、両者の間のタイミング関係を限定しない。例えば、前記特定時間領域範囲内のブラインド検出機会の一部をスキップしてから、残りのブラインド検出機会でチャネルのブラインド検出を行ってもよいし、残りのブラインド検出機会でチャネルのブラインド検出を行ってから、前記特定時間領域範囲内のブラインド検出機会の一部をスキップしてもよいし、両者を間隔的に行ってもよい。
【００５８】
以上のステップにより、端末が前記特定時間領域範囲内のブラインド検出機会の一部をスキップすることを実現し、前記特定時間領域範囲における端末の余剰ブラインド検出必要回数が前記最大ブラインド検出能力を超えないようにするとともに、残りのブラインド検出機会でチャネルのブラインド検出を行うことによって、端末の性能を向上させる。また、通信システムにおいて、探索空間（ｓｅａｒｃｈ  ｓｐａｃｅ）毎に配置するＰＤＣＣＨ  ｃａｎｄｉｄａｔｅの数を減らす必要がないため、通信システムのシステム性能を保証することができる。
【００５９】
本開示の実施例において、上記ステップにより、特定時間領域範囲（１ｓｌｏｔ）における端末のブラインド検出回数が端末の最大ブラインド検出能力を超えた場合、端末が一定の規則に従ってブランインド検出機会の一部（例えばＰＤＣＣＨ  ｃａｎｄｉｄａｔｅのブラインド検出）をスキップすることを実現し、端末が下り制御チャネルを傍受する際に端末の最大ブラインド検出能力を超えないようにする。ここで、上記規則は、端末に予め配置されたもの、プロトコルで予め定義されたもの、ネットワーク側機器と端末との事前交渉で決められるものなどが考えられる。以下、具体的な実施形態を通じて、どのように一部のブラインド検出機会をスキップするかについて詳細に説明する。
【００６０】
選択可能な実施形態として、上記端末が、前記特定時間領域範囲内のブラインド検出機会の一部をスキップし、残りのブラインド検出機会でチャネルのブラインド検出を行うことは、
前記端末が、前記特定時間領域範囲内の探索空間内の少なくとも１つのＡＬの一部のＰＤＣＣＨ候補位置（ＰＤＣＣＨ  ｃａｎｄｉｄａｔｅ）をスキップし、残りのＰＤＣＣＨ候補位置に対してチャネルのブラインド検出を行うこと、
前記端末が、前記特定時間領域範囲内の一部の探索空間をスキップし、残りの探索空間でチャネルのブラインド検出を行うこと、
前記端末が、前記特定時間領域範囲内の一部のＣＯＲＥＳＥＴ内の探索空間をスキップし、残りのＣＯＲＥＳＥＴ内の探索空間でチャネルのブラインド検出を行うこと、
の少なくとも１つを含む。
【００６１】
ここで、上記の少なくとも１つのＡＬの一部のＰＤＣＣＨ候補位置をスキップすることは、ＡＬの一部又は全部を選択し、選択されたＡＬの各々の一部のＰＤＣＣＨ候補位置をスキップし、且つＡＬ毎に少なくとも１つのＰＤＣＣＨ候補位置がスキップされないことを保証する。即ち、上記の少なくとも１つのＡＬの一部のＰＤＣＣＨ候補位置は、少なくとも１つのＡＬの各々の一部のＰＤＣＣＨ候補位置であり、即ち、ＡＬ毎に少なくとも１つのＰＤＣＣＨ候補位置がスキップされない。少なくとも１つのＡＬの一部のＰＤＣＣＨ候補位置をスキップすることは、探索空間毎に上記少なくとも１つのＡＬの一部のＰＤＣＣＨ候補位置をスキップしてもよい。即ち、探索空間毎にスキップされるＰＤＣＣＨ候補位置は、同一であってもよい。
【００６２】
この実施形態において、ＡＬによるスキップを行うので、前記特定時間領域範囲における端末の余剰ブラインド検出必要回数が前記最大ブラインド検出能力を超えないことを保証するができるとともに、端末のブラインド検出性能を保証することもでき、ＡＬ毎に端末毎のブラインド検出を実現することができる。
【００６３】
上記の端末が前記特定時間領域範囲内の一部の探索空間をスキップすることは、該特定時間領域範囲内の複数の探索空間のうちの一部の探索空間をスキップして残りの探索空間でブラインド検出を行うか、又は、複数のＰＤＣＣＨ傍受機会のうちの一部のＰＤＣＣＨ傍受機会の探索空間をスキップして他のＰＤＣＣＨ傍受機会の探索空間でブラインド検出を行う。
【００６４】
この実施形態において、一部の探索空間を直接スキップできるので、前記特定時間領域範囲における端末のブラインド検出必要回数が前記最大ブラインド検出能力を超えないことを、複雑な計算手順を必要とせずに、端末が迅速かつ簡単に実現することができる。
【００６５】
また、上記の前記特定時間領域範囲内の一部のＣＯＲＥＳＥＴ内の探索空間をスキップすることは、該特定時間領域範囲内の複数のＣＯＲＥＳＥＴのうちの一部のＣＯＲＥＳＥＴの探索空間をスキップし、残りＣＯＲＥＳＥＴの探索空間でブラインド検出を行うことである。同様に、この実施形態において、前記特定時間領域範囲における端末のブラインド検出必要回数が前記最大ブラインド検出能力を超えないことを、複雑な計算手順を必要とせずに、端末が迅速かつ簡単に実現することができる。
【００６６】
なお、この実施形態において、前記特定時間領域範囲における端末の余剰ブラインド検出必要回数が前記最大ブラインド検出能力を超えないことは、上記事項の１つ又は複数によって実現することができる。具体的には、端末のニーズ、サービスのニーズ又はシナリオのニーズなどの方式に応じて決められ、柔軟性を高めることができる。
【００６７】
一部の具体的な実施形態に関して、上記の実施形態を例示する。
選択可能に、前記特定時間領域範囲内に複数のＰＤＣＣＨ傍受機会（ＰＤＣＣＨ  ｍｏｎｉｔｏｒｉｎｇ  ｏｃｃａｓｉｏｎ）又は複数の探索空間タイプが存在し、前記端末が、前記特定時間領域範囲内の一部の探索空間をスキップすることは、
前記端末が、前記特定時間領域範囲内の一部のＰＤＣＣＨ傍受機会の探索空間を、傍受機会の出現する時間順に連続的にスキップすること、又は、
前記端末が、前記特定時間領域範囲内の一部のＰＤＣＣＨ傍受機会の探索空間を、傍受機会の出現する時間順に間隔的にスキップすることを含む。
【００６８】
ここで、上記の前記特定時間領域範囲内の一部のＰＤＣＣＨ傍受機会の探索空間を連続的にスキップすることは、スキップされた一部のＰＤＣＣＨ傍受機会にスキップされないＰＤＣＣＨ傍受機会が存在しないことである。即ち、上記の一部のＰＤＣＣＨ傍受機会は、１つ又は複数のＰＤＣＣＨ傍受機会を含むが、複数のＰＤＣＣＨ傍受機会を含む場合、前記複数のＰＤＣＣＨ傍受機会は、時間的に間隔を置いて出現する。
【００６９】
上記の前記特定時間領域範囲内の一部のＰＤＣＣＨ傍受機会の探索空間を間隔的にスキップすることは、スキップされた一部のＰＤＣＣＨ傍受機会とスキップされないＰＤＣＣＨ傍受機会とが連続する。即ち、上記の一部のＰＤＣＣＨ傍受機会は、１つ又は複数のＰＤＣＣＨ傍受機会を含むが、複数のＰＤＣＣＨ傍受機会を含む場合、前記複数のＰＤＣＣＨ傍受機会は、時間上、連続的に出現する。
【００７０】
この実施形態において、一部のＰＤＣＣＨ傍受機会（ＰＤＣＣＨ  ｍｏｎｉｔｏｒｉｎｇ  ｏｃｃａｓｉｏｎ）の一部の探索空間（ｓｅａｒｃｈ  ｓｐａｃｅ）のすべてのＰＤＣＣＨ  ｃａｎｄｉｄａｔｅを端末が連続的に又は間隔をおいてスキップすることを実現する。例えば、１ｓｌｏｔ内に複数のＰＤＣＣＨ傍受機会又は複数の探索空間タイプが存在する場合、ｓｌｏｔ内の全ての探索空間（ｓｅａｒｃｈ  ｓｐａｃｅ）において端末のブラインド検出必要回数が端末の最大ブラインド検出能力を超えると、端末は、傍受機会の出現する時間順に一部の傍受機会をスキップする。例えばｓｌｏｔ内にＮ個の傍受機会が含まれ、上位Ｍ個の傍受機会における端末のブラインド検出必要回数が端末の最大ブラインド検出能力に達すると（即ち、上位Ｍ個の傍受機会における端末のブラインド検出必要回数が端末の最大ブラインド検出能力に等しい）、端末は、傍受機会Ｍ＋１，Ｍ＋２，…とのＭ−Ｎ個の傍受機会においてＰＤＣＣＨのブラインド検出をしない。
【００７１】
また例えば、１ｓｌｏｔ内に複数のＰＤＣＣＨ傍受機会又は複数の探索空間タイプが存在する場合、ｓｌｏｔ内のすべての探索空間における端末のブラインド検出必要回数が端末の最大ブラインド検出能力を超えると、端末は、傍受機会の出現する時間順に傍受機会の一部を間隔的にスキップする。例えば、ｓｌｏｔ内に２Ｐ個の傍受機会が含まれる場合、端末は、ブラインド検出必要回数が端末の最大ブラインド検出能力を超えなくなるまで、まず奇数番号の傍受機会をスキップする。
【００７２】
この実施形態において、連続又は間隔を置かれた一部のＰＤＣＣＨ傍受機会の探索空間を単に直接スキップすることにより、複雑な計算を必要とせずに、前記特定時間領域範囲における端末の余剰ブラインド検出必要回数が前記最大ブラインド検出能力を超えないことを簡単に実現し、端末の性能を向上させることができる。
【００７３】
例えば、基地局が端末に対し配置するユーザ専用探索空間集合（ＵＥ−ｓｐｅｃｉｆｉｃ  ｓｅａｒｃｈ  ｓｐａｃｅ  ｓｅｔ）１では、１ｓｌｏｔにＯ（本例では、Ｏ＝３とする）個の傍受機会を有する。探索空間集合（ｓｅａｒｃｈ  ｓｐａｃｅ  ｓｅｔ）に合計１４個のＰＤＣＣＨ  ｃａｎｄｉｄａｔｅを有するとする。ＣＳＳには７個のＰＤＣＣＨ  ｃａｎｄｉｄａｔｅを含む。ＣＳＳとＵＳＳとが同一のｓｌｏｔに出現した場合、ブラインド検出総回数は、１４×３＋７＝４９＞４４となり、即ち、１ｓｌｏｔにおける端末の最大ブラインド検出能力を超える。この場合、端末は、傍受機会の出現する時間順に一部の傍受機会をスキップする。例えば、図３に示すように、この例ではｓｌｏｔ内のＵＳＳに３つの傍受機会が含まれ、３番目の傍受機会における端末のブラインド検出必要回数が端末の最大ブラインド検出能力に達したので、端末は、３番目のＰＤＣＣＨ傍受機会でＰＤＣＣＨをブラインド検出しない。
【００７４】
また例えば、基地局が端末に対し配置するユーザ専用探索空間集合（ＵＥ−ｓｐｅｃｉｆｉｃ  ｓｅａｒｃｈ  ｓｐａｃｅ  ｓｅｔ）では、１ｓｌｏｔにＯ（本例では、Ｏ＝４とする）個の傍受機会を有する。探索空間集合（ｓｅａｒｃｈ  ｓｐａｃｅ  ｓｅｔ）に合計１１個のＰＤＣＣＨ  ｃａｎｄｉｄａｔｅを有するとする。ＣＳＳには７個のＰＤＣＣＨ  ｃａｎｄｉｄａｔｅを含む。ＣＳＳとＵＳＳとが同一のｓｌｏｔに出現した場合、ブラインド検出総回数は、１１×４＋７＝５１＞４４となり、即ち、１ｓｌｏｔにおける端末の最大ブラインド検出能力を超える。この場合、端末は、傍受機会の出現する時間順に一部の傍受機会を間隔的にスキップする。本例では、例えば、図４に示すように、ｓｌｏｔに４つの傍受機会が含まれ、端末は、ブラインド検出必要回数が端末の最大ブラインド検出能力を超えなくなるまで、まず奇数番号の傍受機会をスキップする。この例では、端末がＰＤＣＣＨ傍受機会１をスキップすることで、ブラインド検出必要回数が端末の最大ブラインド検出能力よりも小さくなることを実現することができる。
【００７５】
なお、本実施形態において、ＰＤＣＣＨ傍受機会の探索空間をスキップすることは、ＰＤＣＣＨ傍受機会の全ての探索空間をスキップすることであるが、もちろん、一部の実施形態において、ＰＤＣＣＨ傍受機会の一部の探索空間をスキップしてもよく、これに限定されるものではなく、前記特定時間領域範囲における前記端末の余剰ブラインド検出必要回数が前記最大ブラインド検出能力を超えないことが満たされていればよい。
【００７６】
選択可能に、前記端末が、前記特定時間領域範囲内の一部のＰＤＣＣＨ傍受機会の探索空間を、傍受機会の出現する時間順に間隔的にスキップすることは、
前記端末が、初回の間隔的に選択する際に前記特定時間領域範囲内の全てのＰＤＣＣＨ傍受機会であるＰＤＣＣＨ傍受機会集合のうち、一部のＰＤＣＣＨ傍受機会を、傍受機会の出現する時間順に間隔的に選択することと、
選択されたＰＤＣＣＨ傍受機会における前記端末のブラインド検出必要回数が前記最大ブラインド検出能力を超え、又は、選択されたＰＤＣＣＨ傍受機会の制御チャネルエレメントＣＣＥ数が最大ＣＣＥ数を超えると、現在の間隔的に選択される一部のＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択するステップを繰り返し実行することと、
選択されたＰＤＣＣＨ傍受機会における前記端末のブラインド検出必要回数が前記最大ブラインド検出能力よりも小さく、且つＣＣＥ数が最大ＣＣＥ数よりも小さくなると、現在のＰＤＣＣＨ傍受機会集合のうちの選択されていないＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択するステップを繰り返し実行することと、を含み、
ここで、前記端末が、選択されていないＰＤＣＣＨ傍受機会の探索空間をスキップする。
【００７７】
なお、選択されたＰＤＣＣＨ傍受機会における前記端末のブラインド検出必要回数が前記最大ブラインド検出能力を超え、又は、選択されたＰＤＣＣＨ傍受機会のＣＣＥ数が最大ＣＣＥ数を超えると、現在の間隔的に選択される一部のＰＤＣＣＨ傍受機会を無効にして、選択された傍受機会内に統計しないようにする必要がある。例えば、前記特定時間領域範囲内にＭ０からＭ１０までの１１個のＰＤＣＣＨ傍受機会が含まれると、初回の間隔的選択により、偶数の傍受機会（Ｍ０、Ｍ２、Ｍ４、Ｍ６、Ｍ８、Ｍ１０）が得られる。しかし、これらの傍受機会のブラインド検出必要回数が最大ブラインド検出能力を超え、又はＣＣＥ数が最大ＣＣＥ数を超えると、Ｍ０、Ｍ２、Ｍ４、Ｍ６、Ｍ８、Ｍ１０を無効な選択とし、Ｍ０、Ｍ２、Ｍ４、Ｍ６、Ｍ８、Ｍ１０から間隔的な選択を行う。
【００７８】
なお、上記の選択されたＰＤＣＣＨ傍受機会は、現在の選択された全てのＰＤＣＣＨ傍受機会を指しているが、選択が無効となる傍受機会が含まれない。
【００７９】
ここで、上記の間隔的選択は、１つのＰＤＣＣＨ傍受機会おきに１つのＰＤＣＣＨ傍受機会を選択することである。例えば、上記特定時間領域範囲内にＭ０からＭ１０までの１１個のＰＤＣＣＨ傍受機会が含まれると、初回の間隔的選択により、該１１個のＰＤＣＣＨ傍受機会のうちの奇数の傍受機会（Ｍ１、Ｍ３、Ｍ５、Ｍ７、及びＭ９）、又は偶数の傍受機会（Ｍ０、Ｍ２、Ｍ４、Ｍ６、Ｍ８、及びＭ１０）が得られる。また、上記の前記ＰＤＣＣＨ傍受機会集合のうち一部のＰＤＣＣＨ傍受機会を間隔的に選択するステップを繰り返し実行することは、循環するたびにＰＤＣＣＨ傍受機会集合を更新し、更新されたＰＤＣＣＨ傍受機会集合で間隔的選択を行うと理解する。
【００８０】
上記の前記一部のＰＤＣＣＨ傍受機会における端末のブラインド検出必要回数が前記最大ブラインド検出能力を超え、又は、前記一部のＰＤＣＣＨ傍受機会のＣＣＥ数が最大ＣＣＥ数を超えることは、ブラインド検出必要回数が前記最大ブラインド検出能力を超えること、及びＣＣＥ数が最大ＣＣＥ数を超えることのいずれか一つの条件が満たされると、前記ＰＤＣＣＨ傍受機会集合のうち一部のＰＤＣＣＨ傍受機会を間隔的に選択するステップを繰り返し実行する。ここで、上記最大ＣＣＥ数は、端末に予め配置されるもの、プロトコルで予め定義されるもの、ネットワーク側機器から予め端末に対し配置されるものなどである。
【００８１】
上記の間隔的選択を循環することによって、最終的に選択した全てのＰＤＣＣＨ傍受機会における端末のブラインド検出回数が最大ブラインド検出能力に到達又は最も近くなるようにしたり、ＣＣＥ数が最大ＣＣＥ数に到達又は最も近くなるようにしたりして、端末の性能を最大化することができる。
【００８２】
なお、上記の選択されたＰＤＣＣＨ傍受機会は、現在累積されている選択済みの全てのＰＤＣＣＨ傍受機会を示す。上記の現在間隔的に選択される一部のＰＤＣＣＨ傍受機会は、ＰＤＣＣＨ傍受機会集合における一部のＰＤＣＣＨ傍受機会を間隔的に選択するステップで選択された一部のＰＤＣＣＨ傍受機会であると理解する。例えば、初回の間隔的に選択によりＭ０、Ｍ２、Ｍ４、Ｍ６、Ｍ８及びＭ１０が得られると、そのときの現在間隔的に選択される一部のＰＤＣＣＨは、Ｍ０、Ｍ２、Ｍ４、Ｍ６、Ｍ８及びＭ１０である。２回目の間隔的選択は、Ｍ０、Ｍ２、Ｍ４、Ｍ６、Ｍ８及びＭ１０の集合でＭ０、Ｍ４及びＭ８が選択され、そのときの現在間隔的に選択される一部のＰＤＣＣＨは、Ｍ０、Ｍ４及びＭ８である。ここでは枚挙しない。現在のＰＤＣＣＨ傍受機会集合は、毎回更新されたＰＤＣＣＨ傍受機会集合、又は、毎回の間隔的選択の前に更新されたＰＤＣＣＨ傍受機会集合であると理解する。
【００８３】
好ましくは、前記のＰＤＣＣＨ傍受機会集合のうち一部のＰＤＣＣＨ傍受機会を間隔的に選択するステップの停止条件は、
選択されたＰＤＣＣＨ傍受機会内のブラインド検出必要回数が前記最大ブラインド検出能力に等しく、且つＣＣＥ数が前記最大ＣＣＥ数以下であること、又は、
選択されたＰＤＣＣＨ傍受機会内のＣＣＥ数が前記最大ＣＣＥ数と等しく、且つブラインド検出必要回数が前記最大ブラインド検出能力以下であること、又は、
選択されたＰＤＣＣＨ傍受機会内の全てのＰＤＣＣＨ候補位置に対応するブラインド検出回数が前記最大ブラインド検出能力を超えるか、又は対応するＣＣＥ数が前記最大ＣＣＥ数を超え、且つ前記端末が傍受するＰＤＣＣＨ傍受機会として、現在の間隔的に選択される一部のＰＤＣＣＨ傍受機会を含まないこと、又は、
前記のＰＤＣＣＨ傍受機会集合のうち一部のＰＤＣＣＨ傍受機会を間隔的に選択するステップで１つのＰＤＣＣＨ傍受機会のみが選択される場合、選択されたＰＤＣＣＨ傍受機会内のブラインド検出必要回数が前記最大ブラインド検出能力を超えるか又はＣＣＥ数が最大ＣＣＥ数を超え、且つ前記端末が傍受するＰＤＣＣＨ傍受機会として、前記１つのＰＤＣＣＨ傍受機会を含まないこと、を含む。
【００８４】
選択されたＰＤＣＣＨ傍受機会内の全てのＰＤＣＣＨ候補位置に対応するブラインド検出回数が前記最大ブラインド検出能力を超えるか、又は対応するＣＣＥ数が前記最大ＣＣＥ数を超えることは、上記のＰＤＣＣＨ傍受機会集合のうち一部のＰＤＣＣＨ傍受機会を間隔的に選択するステップが１回又は複数回繰り返される場合、選択されたＰＤＣＣＨ傍受機会内の全てのＰＤＣＣＨ候補位置に対応するブラインド検出回数が前記最大ブラインド検出能力を超えるか、又は対応するＣＣＥ数が前記最大ＣＣＥ数を超えると、サイクルを停止し、且つ現在間隔的に選択される一部のＰＤＣＣＨ傍受機会を無効な選択とするか、破棄する。これは、現在選択されているＰＤＣＣＨ傍受機会内の全てのＰＤＣＣＨ候補位置が全てマッピングされず、その傍受機会を破棄し、選択を停止する。
【００８５】
ここで、前記のＰＤＣＣＨ傍受機会集合のうち一部のＰＤＣＣＨ傍受機会を間隔的に選択するステップで１つのＰＤＣＣＨ傍受機会のみが選択されることは、ＰＤＣＣＨ傍受機会集合が１回又は複数回更新された後に、間隔的選択の規則に従って選択する際に、１つのＰＤＣＣＨ傍受機会のみが選択されることである。例えば、更新後のＰＤＣＣＨ傍受機会集合が２つ又は３つのＰＤＣＣＨ傍受機会である場合、選択されるＰＤＣＣＨ傍受機会は、１つのＰＤＣＣＨ傍受機会のみである可能性がある。
【００８６】
この実施形態において、あるサイクルで１つのＰＤＣＣＨ傍受機会のみが選択されるため、選択された全てのＰＤＣＣＨ傍受機会（現在選択されている１つのＰＤＣＣＨ傍受機会を含む）のブラインド検出必要回数が前記最大ブラインド検出能力を超え、又はＣＣＥ数が最大ＣＣＥ数を超えると、最後に１つのＰＤＣＣＨ傍受機会を選択する必要がないときに、ブラインド検出必要回数が既に最大ブラインド検出能力に最も近く、ＣＣＥ数が最大ＣＣＥ数に最も近いことを示す。
【００８７】
例えば、上記特定時間領域範囲内にＭ０からＭ１０までの１１個のＰＤＣＣＨ傍受機会が含まれると、初回の間隔的選択により、該１１個のＰＤＣＣＨ傍受機会のうち偶数の傍受機会（Ｍ０、Ｍ２、Ｍ４、Ｍ６、Ｍ８及びＭ１０）が得られるが、偶数の傍受機会（Ｍ０、Ｍ２、Ｍ４、Ｍ６、Ｍ８及びＭ１０）内の端末のブラインド検出回数が最大ブラインド検出能力を超え、又はＣＣＥ数が最大ＣＣＥ数を超えると、偶数の傍受機会（Ｍ０、Ｍ２、Ｍ４、Ｍ６、Ｍ８及びＭ１０）をＰＤＣＣＨ傍受機会集合とし、該集合内で２回目の間隔的選択を行って、Ｍ０、Ｍ４及びＭ８の３つのＰＤＣＣＨ傍受機会が得られる。
【００８８】
Ｍ０、Ｍ４及びＭ８の３つのＰＤＣＣＨ傍受機会におけるブラインド検出必要回数が前記最大ブラインド検出能力よりも小さく、且つＣＣＥ数が最大ＣＣＥ数よりも小さくなると、現在のＰＤＣＣＨ傍受機会集合（Ｍ０、Ｍ２、Ｍ４、Ｍ６、Ｍ８及びＭ１０）の中で選択されていないＰＤＣＣＨ傍受機会（Ｍ２、Ｍ６及びＭ１０）を前記ＰＤＣＣＨ傍受機会集合とし、３回目の間隔的選択を行ってＭ２及びＭ１０が得られる。このとき、選択されたＰＤＣＣＨ傍受機会は、（Ｍ０、Ｍ２、Ｍ４、Ｍ８及びＭ１０）を含む。
【００８９】
このとき、ブラインド検出必要回数が前記最大ブラインド検出能力に等しく、且つＣＣＥ数が前記最大ＣＣＥ数以下であり、又は、ＣＣＥ数が前記最大ＣＣＥ数に等しく、且つブラインド検出必要回数が前記最大ブラインド検出能力以下であると、選択を停止する。
【００９０】
選択されたＰＤＣＣＨ傍受機会（Ｍ０、Ｍ２、Ｍ４、Ｍ８及びＭ１０）におけるブラインド検出回数が前記最大ブラインド検出能力を超え、又はＣＣＥ数が最大ＣＣＥ数を超えると、現在間隔的に選択される一部のＰＤＣＣＨ傍受機会Ｍ２及びＭ１０をＰＤＣＣＨ傍受機会集合とし、４回目の間隔的選択を行ってＭ２を得る。選択されたＭ０、Ｍ２、Ｍ４及びＭ８におけるブラインド検出回数が前記最大ブラインド検出能力を超え、又はＣＣＥ数が最大ＣＣＥ数を超えると、ＰＤＣＣＨ傍受機会Ｍ２を放棄し、Ｍ０、Ｍ４及びＭ８を最終的に傍受が必要なＰＤＣＣＨ傍受機会とする。
【００９１】
以下、引き続き、上記の実施形態を、４つの実施例を用いて例示して説明する。
【００９２】
実施例１：
本実施例では、ＤＣＩのペイロードサイズ（ｐａｙｌｏａｄ  ｓｉｚｅ）が同じであるとするため、ＰＤＣＣＨ  ｃａｎｄｉｄａｔｅ数は、ブラインド検出数に等しい。ｓｌｏｔ  Ｎでは、ＣＳＳ１とＵＳＳ１が同時に出現すると仮定する。ここで、ＣＳＳ１には、ＣＣＥが１６個、ＰＤＣＣＨ  ｃａｎｄｉｄａｔｅが７個含まれ、ＵＳＳ１には、ＡＬ４のｃａｎｄｉｄａｔｅが２個、即ちＣＣＥが８個含まれている。同時に、図６に示すように、ＵＳＳ１は、該ｓｌｏｔに７つの傍受機会を有すると仮定する。最大ブラインド検出回数は、４４回であり、最大ＣＣＥは、５６個である。本実施例では、ＣＳＳ＋ＵＳＳのＣＣＥ総数は、７２個であり、最大ＣＣＥ数の制限を超える。ＰＤＣＣＨ傍受機会について、ネットワーク側機器による送信又は端末による選択のステップは、以下の通りである。
【００９３】
ステップ１において、傍受機会が出現する時間順に傍受機会を間隔的に選択し、例えば、偶数のインデックス（ｉｎｄｅｘ）を有する傍受機会｛Ｍ０  Ｍ２  Ｍ４  Ｍ６｝を選択する。
【００９４】
ステップ２において、ステップ１で選択されたＵＳＳの４個の傍受機会及びＣＳＳに含まれるブラインド検出数並びにＣＣＥ数は、１５及び４８であり、いずれも最大数の制限を超えていない。ステップ１に戻り、選択されなかった傍受機会｛Ｍ１  Ｍ３  Ｍ５｝において、引き続き、ＰＤＣＣＨを送受信する傍受機会を選択する。
【００９５】
ステップ１´において、傍受機会が出現する時間順に｛Ｍ１  Ｍ３  Ｍ５｝において傍受機会｛Ｍ１  Ｍ５｝を間隔的に選択し、このときのブラインド検出数及びＣＣＥ数は、それぞれ１９及び６４であると算出する。ここで、ＣＣＥの数が最大数の制限を超えるので、ステップ１に戻って、｛Ｍ１  Ｍ５｝で引き続きＰＤＣＣＨの送受信が必要なブラインド検出数を選択する。
【００９６】
ステップ２´において、｛Ｍ１  Ｍ５｝からＭ１を選択し、そのときのＢＤ数が１９、ＣＣＥ数が５６であると算出する。ここで、ＣＣＥ数が最大数の制限に達したので、選択が完了する。
【００９７】
以上の手順により、図７に示すように、最終的に選択されたブラインド検出数の番号は、｛Ｍ０  Ｍ１  Ｍ２  Ｍ４  Ｍ６｝となる。即ち、ネットワーク側機器は、前記５個のブラインド検出数で下り制御チャネルを送信し、端末は、前記５個のブラインド検出数で下り制御チャネルを傍受する。
【００９８】
実施例２：
本実施例では、ＤＣＩのペイロードサイズ（ｐａｙｌｏａｄ  ｓｉｚｅ）が同じであるとするため、ＰＤＣＣＨ  ｃａｎｄｉｄａｔｅ数は、ブラインド検出数に等しい。ｓｌｏｔ  ＮではＣＳＳ１とＣＳＳ２とＵＳＳ１が同時に出現すると仮定する。ここで、ＣＳＳ１、ＣＳＳ２には、ＣＣＥがそれぞれ１６個、ＵＳＳ１には、ＡＬ４のｃａｎｄｉｄａｔｅが２個、即ちＣＣＥが８個含まれている。同時に、図８に示すように、ＵＳＳ１は、該ｓｌｏｔに７つの傍受機会を有すると仮定する。最大ブラインド検出回数は、４４回であり、最大ＣＣＥは、５６個である。本実施例では、ＣＳＳ＋ＵＳＳのＣＣＥ総数は、８８個であり、最大ＣＣＥ数の制限を超える。ＰＤＣＣＨ傍受機会について、ネットワーク側機器による送信又は端末による選択のステップは、以下の通りである。
【００９９】
ステップ１において、傍受機会が出現する時間順に傍受機会を間隔的に選択し、例えば、偶数のインデックス（ｉｎｄｅｘ）を有する傍受機会｛Ｍ０  Ｍ２  Ｍ４  Ｍ６｝を選択する。
【０１００】
ステップ２において、ステップ１で選択されたＵＳＳの４個の傍受機会及びＣＳＳに含まれるブラインド検出数並びにＣＣＥ数は、２２及び６４である。ここで、ＣＣＥ数は、最大数の制限を超えている。この場合、以下のステップ２−１ａを実行する。
【０１０１】
ステップ２−１ａにおいて、傍受機会が出現する時間順に｛Ｍ０  Ｍ２  Ｍ４  Ｍ６｝から傍受機会｛Ｍ０  Ｍ４｝を間隔的に選択する。このときのブラインド検出数及びＣＣＥ数は、それぞれ１８及び４８であると算出する。ブラインド検出数及びＣＣＥの数は、いずれも最大数の制限を超えないので、ステップ１を戻り、｛Ｍ２  Ｍ６｝から引き続きＰＤＣＣＨの送受信を必要とする傍受機会を選択する。
【０１０２】
ステップ１´において、｛Ｍ２  Ｍ６｝からＭ２を選択し、そのときのＢＤ数が２０、ＣＣＥ数が５６であると算出する。ここで、ＣＣＥ数が最大数の制限に達したので、選択が完了する。
【０１０３】
以上の手順により、図９に示すように、最終的に選択された傍受機会の番号は、｛Ｍ０  Ｍ２  Ｍ４｝となる。即ち、ネットワーク側機器は、前記３個の傍受機会で下り制御チャネルを送信し、端末は、前記３個の傍受機会で下り制御チャネルを傍受する。
【０１０４】
実施例３：
本実施例では、ＤＣＩのペイロードサイズ（ｐａｙｌｏａｄ  ｓｉｚｅ）が同じであるとするため、ＰＤＣＣＨ  ｃａｎｄｉｄａｔｅ数は、ブラインド検出数に等しい。ｓｌｏｔ  Ｎでは、ＣＳＳ１とＵＳＳ１が同時に出現すると仮定する。ここで、ＣＳＳ１には、ＣＣＥが１４個、ＰＤＣＣＨ  ｃａｎｄｉｄａｔｅが７個含まれ、ＵＳＳ１には、ｃａｎｄｉｄａｔｅが６個、ＣＣＥが６個含まれている。同時に、ＵＳＳ１は、該ｓｌｏｔに７つの傍受機会を有すると仮定する。最大ブラインド検出回数は、４４回であり、最大ＣＣＥは、５６個である。本実施例では、ＣＳＳ＋ＵＳＳのＣＣＥ総数は、５６個であり、ＢＤ数が４９であるため、最大ＢＤ数の制限を超えている。ＰＤＣＣＨ傍受機会について、ネットワーク側機器による送信又は端末による選択のステップは、以下の通りである。
【０１０５】
ステップ１において、傍受機会が出現する時間順に傍受機会を間隔的に選択し、例えば、偶数のインデックス（ｉｎｄｅｘ）を有する傍受機会｛Ｍ０  Ｍ２  Ｍ４  Ｍ６｝を選択する。
【０１０６】
ステップ２において、ステップ１で選択されたＵＳＳの４個の傍受機会及びＣＳＳに含まれるＢＤ数並びにＣＣＥ数は、３１及び３８であり、いずれも最大数の制限を超えていない。ステップ１に戻り、選択されなかった傍受機会｛Ｍ１  Ｍ３  Ｍ５｝において、引き続きＰＤＣＣＨを送受信する傍受機会を選択する。
【０１０７】
ステップ１′において、傍受機会が出現する時間順に｛Ｍ１  Ｍ３  Ｍ５｝において傍受機会｛Ｍ１  Ｍ５｝を間隔的に選択し、このときのブラインド検出数及びＣＣＥ数は、それぞれ４３及び５０であると算出し、いずれも最大数の制限を超えていない。従って、ステップ１に戻って、｛Ｍ３｝で引き続きＰＤＣＣＨの送受信が必要な傍受機会を選択する。
【０１０８】
ステップ２′において、Ｍ３を選択し、そのときのＢＤ数が４９であり、ＣＣＥ数が５６であると算出し、ここで、ＢＤ数が最大数の制限を超えている。Ｍ３が最後の選択されない傍受機会であるので、該傍受機会をスキップする必要があり、選択が完了する。
【０１０９】
以上の手順により、最終的に選択されたｍｏｎｉｔｏｒｉｎｇ  ｏｃｃａｓｉｏｎの番号は、｛Ｍ０  Ｍ１  Ｍ２  Ｍ４  Ｍ５  Ｍ６｝となる。即ち、ネットワーク側機器は、前記６個のｍｏｎｉｔｏｒｉｎｇ  ｏｃｃａｓｉｏｎで下り制御チャネルを送信し、端末は、前記６個のｍｏｎｉｔｏｒｉｎｇ  ｏｃｃａｓｉｏｎで下り制御チャネルを傍受する。
【０１１０】
実施例４：
本実施例では、ＤＣＩのペイロードサイズ（ｐａｙｌｏａｄ  ｓｉｚｅ）が同じであるとするため、ＰＤＣＣＨ  ｃａｎｄｉｄａｔｅ数は、ブラインド検出数に等しい。ｓｌｏｔ  Ｎでは、ＣＳＳ１とＣＳＳ２とＵＳＳ１が同時に出現すると仮定する。ここで、ＣＳＳ１、ＣＳＳ２には、計２６個のｃａｎｄｉｄａｔｅが含まれ、ＵＳＳ１内には、ｃａｎｄｉｄａｔｅが６個含まれている。同時に、ＵＳＳ１は、該ｓｌｏｔに７つの傍受機会を有すると仮定する。最大ブラインド検出回数は、４４回であり、最大ＣＣＥは、５６個であり、且つＣＣＥ総数が最大数の制限を超えないと仮定する。本実施例では、ＣＳＳ＋ＵＳＳのＢＤ総数は、６８個であり、最大ＢＤ数の制限を超える。ＰＤＣＣＨ傍受機会について、ネットワーク側機器による送信又は端末による選択のステップは、以下の通りである。
【０１１１】
ステップ１において、傍受機会が出現する時間順に傍受機会を間隔的に選択し、例えば、偶数のインデックス（ｉｎｄｅｘ）を有する傍受機会｛Ｍ０  Ｍ２  Ｍ４  Ｍ６｝を選択する。
【０１１２】
ステップ２において、ステップ１で選択されたＵＳＳの４個の傍受機会及びＣＳＳに含まれるブラインド検出数は、５０回であり、最大数の制限を超えている。この場合、以下のステップ２−１ａを実行する。
【０１１３】
ステップ２−１ａにおいて、傍受機会が出現する時間順に｛Ｍ０  Ｍ２  Ｍ４  Ｍ６｝から傍受機会｛Ｍ０  Ｍ４｝を間隔的に選択する。このときのブラインド検出数が３８であり、ブラインド検出及びＣＣＥの数は、いずれも最大数の制限を超えていない。従って、ステップ１を戻り、｛Ｍ２  Ｍ６｝から引き続きＰＤＣＣＨの送受信を必要とする傍受機会を選択する。
【０１１４】
ステップ１′において、｛Ｍ２  Ｍ６｝からＭ２を選択し、そのときのブランインド検出数が４４であると算出する。ここで、ブラインド検出数が最大数の制限に達したので、選択が完了する。
【０１１５】
以上の手順により、最終的に選択された傍受機会の番号は、｛Ｍ０  Ｍ２  Ｍ４｝となる。即ち、基地局は、前記３個の傍受機会で下り制御チャネルを送信し、端末は、前記３個の傍受機会で下り制御チャネルを傍受する。
【０１１６】
選択可能に、前記端末が、前記特定時間領域範囲内の探索空間内の少なくとも１つのＡＬの一部のＰＤＣＣＨ候補位置をスキップすることは、
前記特定時間領域範囲内の探索空間毎にＡＬ毎に複数のＰＤＣＣＨ候補位置が存在する場合、特定時間領域範囲内の余剰ブラインド検出必要回数が前記最大ブラインド検出能力を超えなくなるまで、前記端末が、前記特定時間領域範囲内の探索空間毎にＡＬ毎の一部のＰＤＣＣＨ候補位置を順次スキップすること、又は、
前記特定時間領域範囲内に１つのＰＤＣＣＨ候補位置のみを有するＡＬが存在する場合、前記端末が、前記特定時間領域範囲内の探索空間毎に複数のＰＤＣＣＨ候補位置を有する他のＡＬの一部のＰＤＣＣＨ候補位置をスキップすること、又は、
前記端末が、前記特定時間領域範囲内の探索空間毎のＡＬの一部のＰＤＣＣＨ候補位置を、前記特定時間領域範囲における前記端末のブラインド検出必要回数が前記最大ブラインド検出能力を超えなくなるまで、特定ＡＬ順にスキップし、ここで、ＰＤＣＣＨ候補位置をスキップするプロセスでは、１つのＰＤＣＣＨ候補位置しか残っていないＡＬに対し、前記端末が、該ＡＬのＰＤＣＣＨ候補位置のスキップを一時停止すること、を含む。
【０１１７】
この実施形態において、特定時間領域範囲内の探索空間毎にＡＬ毎に複数のＰＤＣＣＨ候補位置が存在する場合、探索空間毎にＡＬ毎の一部のＰＤＣＣＨ候補位置をスキップする。例えば、探索空間毎にＡＬ毎の１又は複数のＰＤＣＣＨ候補位置をスキップするが、ＡＬ毎に少なくとも１つのＰＤＣＣＨ候補位置がスキップされないことを保証し、且つＡＬ毎にスキップされるＰＤＣＣＨ候補位置の数は、同じであってもよいし、異なっていてもよいが、これについて限定しない。
【０１１８】
この実施形態において、探索空間毎に同じスキップ操作が行われることが可能であり、且つ、ＡＬ毎に少なくとも１つのＰＤＣＣＨ候補位置がスキップされないことが保証されることを実現し、それによって、ＡＬによってはブラインド検出が行われないことが回避され、端末のブラインド検出性能が向上する。
【０１１９】
また、この実施形態において、１つのＰＤＣＣＨ候補位置のみを有するＡＬは、端末が探索空間内に配置された１つ又は複数のＡＬにおけるブラインド検出が必要なＰＤＣＣＨ  ｃａｎｄｉｄａｔｅ数が１つであることから、１つのＰＤＣＣＨ候補位置のみを有するＡＬが高い優先度を有するように設定されると理解する。まず複数のＰＤＣＣＨ  ｃａｎｄｉｄａｔｅを有するＡＬにおけるＰＤＣＣＨ  ｃａｎｄｉｄａｔｅをスキップし、ＡＬ毎に少なくとも１つのＰＤＣＣＨ候補位置がスキップされないことを保証することにより、ＡＬによってはブラインド検出されないことを回避し、端末のブラインド検出性能を向上させる。
【０１２０】
また、この実施形態において、１つのＰＤＣＣＨ候補位置のみを有するＡＬが存在するか否かを区別することなく、前記特定時間領域範囲における前記端末のブラインド検出必要回数が前記最大ブラインド検出能力を超えなくなるまで、前記特定時間領域範囲内の探索空間毎のＡＬの一部のＰＤＣＣＨ候補位置を前記特定ＡＬ順にスキップする。これは、同様に、ＡＬ毎に少なくとも１つのＰＤＣＣＨ候補位置がスキップされないことを保証して、端末のブラインド検出性能を向上させることができる。ここで、上記特定ＡＬ順は、端末に予め配置されるもの、プロトコルで定義されるもの、ネットワーク側から端末に配置するものなどである。例えば、端末の最大ブラインド検出能力の制限を満たすまで、まず、比較的大きいＡＬのＰＤＣＣＨ  ｃａｎｄｉｄａｔｅをスキップし、次に、比較的小さいＡＬのＰＤＣＣＨ  ｃａｎｄｉｄａｔｅをスキップする。
【０１２１】
以下、この実施形態を２つの例で説明する。
【０１２２】
例１：
基地局が端末のために２つの探索空間ＳＳ１及びＳＳ２を配置していると仮定する。両者の傍受周期は、異なり、例えばＳＳ１の傍受周期は、Ｎであり、ＳＳ２の傍受周期は、２Ｎ個のｓｌｏｔであり、説明の便宜上、ここではＮ＝１とする。ＳＳ１及びＳＳ２に含まれるＰＤＣＣＨ  ｃａｎｄｉｄａｔｅの数を、６個のＡＬ＝１、６個のＡＬ＝２、２個のＡＬ＝４、２個のＡＬ＝８とする。端末は、２種類の下り制御情報ＤＣＩ（Ｄｏｗｎｌｉｎｋ  Ｃｏｎｔｒｏｌ  Ｉｎｆｏｒｍａｔｉｏｎ）有効ペイロードサイズ（ｐａｙｌｏａｄ  ｓｉｚｅ）で下り制御チャネルをブラインド検出する必要があるため、１つのＳＳ内で実行するべきブラインド検出数は、３２個となる。ＳＳ１とＳＳ２が同じｓｌｏｔ内に出現した場合、ブラインド検出回数は、３２×２＝６４＞４４であるため、一部の候補（ｃａｎｄｉｄａｔｅ）を破棄（ｄｒｏｐ）する必要がある。端末は、一部のブラインド検出をスキップするとき、以下の規則に従う。
【０１２３】
ステップ１において、ＡＬ１の１つのＰＤＣＣＨ  ｃａｎｄｉｄａｔｅをスキップするために実行するべきブラインド検出回数を６０と算出し、４４よりも大きい。
【０１２４】
ステップ２において、更にＡＬ２の１つのＰＤＣＣＨ  ｃａｎｄｉｄａｔｅをスキップするために実行するべきブラインド検出回数を５６と算出し、４４よりも大きい。
【０１２５】
ステップ３において、更にＡＬ４の１つのＰＤＣＣＨ  ｃａｎｄｉｄａｔｅをスキップするために実行するべきブラインド検出回数を５２と算出し、４４よりも大きい。
【０１２６】
ステップ４において、更にＡＬ８の１つのＰＤＣＣＨ  ｃａｎｄｉｄａｔｅをスキップするために実行するべきブラインド検出回数を４８と算出し、４４よりも大きい。
【０１２７】
ステップ５において、更にＡＬ＝１の１つのＰＤＣＣＨ  ｃａｎｄｉｄａｔｅをスキップするために実行するべきブラインド検出回数を４４と算出し、４４を超えていない。
【０１２８】
最終的に、端末は、ブラインド検出の実行に際して、４個のＡＬ＝１のＰＤＣＣＨ  ｃａｎｄｉｄａｔｅをブラインド検出し、５個のＡＬ＝２のＰＤＣＣＨ  ｃａｎｄｉｄａｔｅをブラインド検出し、１個のＡＬ＝４のＰＤＣＣＨ  ｃａｎｄｉｄａｔｅをブラインド検出すると決定する。１個のＡＬ＝８のＰＤＣＣＨ  ｃａｎｄｉｄａｔｅをブラインド検出する。
【０１２９】
端末は、異なるＡＬに応じて、スキップすべきＰＤＣＣＨ  ｃａｎｄｉｄａｔｅ数を算出する際に、まず、全ての配置されたＡＬで傍受すべきＰＤＣＣＨ  ｃａｎｄｉｄａｔｅ数がゼロでないことを保証するべきである。
【０１３０】
例２：
基地局が端末のために２つの探索空間ＳＳ１及びＳＳ２を配置していると仮定する。両者の傍受周期は、異なり、例えばＳＳ１の傍受周期は、Ｎであり、ＳＳ２の傍受周期は、２Ｎ個のｓｌｏｔであり、説明の便宜上、ここではＮ＝１とする。ＳＳ１及びＳＳ２に含まれるＰＤＣＣＨ  ｃａｎｄｉｄａｔｅの数を、９個のＡＬ＝１、９個のＡＬ＝２、２個のＡＬ＝４、２個のＡＬ＝８とする。端末は、２種類のＤＣＩ  ｐａｙｌｏａｄ  ｓｉｚｅで下り制御チャネルをブラインド検出する必要があるため、１ＳＳ内で行うべきブラインド検出数は、４４個となる。ＳＳ１とＳＳ２が同じｓｌｏｔ内に出現した場合、ブラインド検出回数は、４４×２＝８８＞４４となるため、一部のｃａｎｄｉｄａｔｅをｄｒｏｐする必要がある。端末は、一部のブラインド検出をスキップするとき、以下の規則に従う。
【０１３１】
ステップ１において、ＡＬ１の１つのＰＤＣＣＨ  ｃａｎｄｉｄａｔｅをスキップするために実行するべきブラインド検出回数を８４と算出し、４４よりも大きい。
【０１３２】
ステップ２において、更にＡＬ２の１つのＰＤＣＣＨ  ｃａｎｄｉｄａｔｅをスキップするために実行するべきブラインド検出回数を８０と算出し、４４よりも大きい。
【０１３３】
ステップ３において、更にＡＬ４の１つのＰＤＣＣＨ  ｃａｎｄｉｄａｔｅをスキップするために実行されるべきブラインド検出回数を７６と算出し、４４よりも大きい。
【０１３４】
ステップ４において、更にＡＬ８の１つのＰＤＣＣＨ  ｃａｎｄｉｄａｔｅをスキップするために実行するべきブラインド検出回数を７２と算出し、４４よりも大きい。
【０１３５】
ステップ５において、更にＡＬ＝１の１つのＰＤＣＣＨ  ｃａｎｄｉｄａｔｅをスキップするために実行するべきブラインド検出回数を６８と算出し、４４よりも大きい。
【０１３６】
ステップ６において、更にＡＬ＝２の１つのＰＤＣＣＨ  ｃａｎｄｉｄａｔｅをスキップするために実行するべきブラインド検出回数を６４と算出し、４４よりも大きい。
【０１３７】
ステップ７において、このとき、ＡＬ＝４のＰＤＣＣＨ  ｃａｎｄｉｄａｔｅは、１つだけ残り、高い優先度を有し、一旦スキップされない。
【０１３８】
ステップ８において、このとき、ＡＬ＝８のＰＤＣＣＨ  ｃａｎｄｉｄａｔｅは、１つだけ残り、高い優先度を有し、一旦スキップされない。
【０１３９】
ステップ９において、更にＡＬ＝１の１つのＰＤＣＣＨ  ｃａｎｄｉｄａｔｅをスキップするために実行するべきブラインド検出回数を６０と算出し、４４よりも大きい。
【０１４０】
ステップ１０において、更にＡＬ＝２の１つのＰＤＣＣＨ  ｃａｎｄｉｄａｔｅをスキップするために実行するべきブラインド検出回数を５６と算出し、４４よりも大きい。
【０１４１】
ステップ１１において、更にＡＬ＝１の１つのＰＤＣＣＨ  ｃａｎｄｉｄａｔｅをスキップするために実行するべきブラインド検出回数を５２と算出し、４４よりも大きい。
【０１４２】
ステップ１２において、更にＡＬ＝２の１つのＰＤＣＣＨ  ｃａｎｄｉｄａｔｅをスキップするために実行するべきブラインド検出回数を４８と算出し、４４よりも大きい。
【０１４３】
ステップ１３において、更にＡＬ＝１の１つのＰＤＣＣＨ  ｃａｎｄｉｄａｔｅをスキップするために実行するべきブラインド検出回数を４４と算出し、４４を超えない。
【０１４４】
最終的に、端末は、ブラインド検出の実行に際して、ｓｅａｒｃｈ  ｓｐａｃｅ毎に、４個のＡＬ＝１のＰＤＣＣＨ  ｃａｎｄｉｄａｔｅを、５個のＡＬ＝２のＰＤＣＣＨ  ｃａｎｄｉｄａｔｅを、１個のＡＬ＝４のＰＤＣＣＨ  ｃａｎｄｉｄａｔｅをブラインド検出すると決定する。１個のＡＬ＝８のＰＤＣＣＨ  ｃａｎｄｉｄａｔｅをブラインド検出する。
【０１４５】
選択可能に、上記実施形態において、前記端末は、特定時間領域範囲内の余剰ブラインド検出必要回数が前記最大ブラインド検出能力を超えなくなるまで、先に探索空間、次に傍受機会、その後ＡＬの順にＰＤＣＣＨ候補位置のスキップを行う。
【０１４６】
なお、以上で紹介した３種類のＡＬの一部のＰＤＣＣＨ候補位置をスキップすることは、いずれも、特定時間領域範囲内の余剰ブラインド検出必要回数が前記最大ブラインド検出能力を超えなくなるまで、上記の順序でスキップする。上記の順序でスキップすることにより、特定時間領域範囲内の余剰ブラインド検出必要回数があまりにも低下することなく、特定時間領域範囲内の余剰ブラインド検出必要回数が最大ブランインド検出能力と同等又はほぼ同等になるようにすることができ、端末のブラインド検出性能を保証することができる。
【０１４７】
例えば、基地局が端末のために２つの探索空間ＳＳ１及びＳＳ２を配置していると仮定する。両者の傍受周期は、異なり、例えばＳＳ１の傍受周期は、Ｎであり、ＳＳ２の傍受周期は、２Ｎ個のｓｌｏｔであり、説明の便宜上、ここでは図１０に示すようにＮ＝１とする。ＳＳ１及びＳＳ２に含まれるＰＤＣＣＨ  ｃａｎｄｉｄａｔｅの数を、４個のＡＬ＝１、４個のＡＬ＝２、２個のＡＬ＝４、１個のＡＬ＝８とする。端末は、２種類のＤＣＩ  ｐａｙｌｏａｄ  ｓｉｚｅで下り制御チャネルをブラインド検出する必要があるため、１ＳＳ内で実行するべきブラインド検出数は、２２個となる。ＳＳ１とＳＳ２が同じｓｌｏｔ内に出現した場合、ブラインド検出回数は、２２×３＝６６＞４４となるため、一部のｃａｎｄｉｄａｔｅを破棄する必要がある。端末は、一部のブラインド検出をスキップするとき、以下の規則に従う。
【０１４８】
ステップ１において、ｍｏｎｉｔｏｒｉｎｇ  ｏｃｃａｓｉｏｎ０において、ＳＳ１の１つのＡＬ１のＰＤＣＣＨ  ｃａｎｄｉｄａｔｅをスキップし、ブラインド検出必要回数６４は、４４よりも大きい。
【０１４９】
ステップ２において、ｍｏｎｉｔｏｒｉｎｇ  ｏｃｃａｓｉｏｎ０において、ＳＳ２の１つのＡＬ１のＰＤＣＣＨ  ｃａｎｄｉｄａｔｅをスキップし、ブラインド検出必要回数６２は、４４よりも大きい。
【０１５０】
ステップ３において、ｍｏｎｉｔｏｒｉｎｇ  ｏｃｃａｓｉｏｎ１において、ＳＳ１の１つのＡＬ１のＰＤＣＣＨ  ｃａｎｄｉｄａｔｅをスキップし、ブラインド検出必要回数６０は、４４よりも大きい。
【０１５１】
ステップ４において、ｍｏｎｉｔｏｒｉｎｇ  ｏｃｃａｓｉｏｎ０において、ＳＳ１の１つのＡＬ２のＰＤＣＣＨ  ｃａｎｄｉｄａｔｅをスキップし、ブラインド検出必要回数５８は、４４よりも大きい。
【０１５２】
ステップ５において、ｍｏｎｉｔｏｒｉｎｇ  ｏｃｃａｓｉｏｎ０において、ＳＳ２の１つのＡＬ２のＰＤＣＣＨ  ｃａｎｄｉｄａｔｅをスキップし、ブラインド検出必要回数５６は、４４よりも大きい。
【０１５３】
ステップ６において、ｍｏｎｉｔｏｒｉｎｇ  ｏｃｃａｓｉｏｎ１において、ＳＳ１の１つのＡＬ２のＰＤＣＣＨ  ｃａｎｄｉｄａｔｅをスキップし、ブラインド検出必要回数５４は、４４よりも大きい。
【０１５４】
ステップ７において、ｍｏｎｉｔｏｒｉｎｇ  ｏｃｃａｓｉｏｎ０において、ＳＳ１の１つのＡＬ４のＰＤＣＣＨ  ｃａｎｄｉｄａｔｅをスキップし、ブラインド検出必要回数５２は、４４よりも大きい。
【０１５５】
ステップ８において、ｍｏｎｉｔｏｒｉｎｇ  ｏｃｃａｓｉｏｎ０において、ＳＳ２の１つのＡＬ４のＰＤＣＣＨ  ｃａｎｄｉｄａｔｅをスキップし、ブラインド検出必要回数５０は、４４よりも大きい。
【０１５６】
ステップ９において、ｍｏｎｉｔｏｒｉｎｇ  ｏｃｃａｓｉｏｎ１において、ＳＳ１の１つのＡＬ４のＰＤＣＣＨ  ｃａｎｄｉｄａｔｅをスキップし、ブラインド検出必要回数４８は、４４よりも大きい。
【０１５７】
ステップ１０において、ＳＳ１及びＳＳ２は、ＡＬ８のＰＤＣＣＨ  ｃａｎｄｉｄａｔｅが１つしかないので、一旦スキップされない。
【０１５８】
ステップ１１において、ｍｏｎｉｔｏｒｉｎｇ  ｏｃｃａｓｉｏｎ０において、ＳＳ１の１つのＡＬ１のＰＤＣＣＨ  ｃａｎｄｉｄａｔｅをスキップし、ブラインド検出必要回数４６は、４４よりも大きい。
【０１５９】
ステップ１２において、ｍｏｎｉｔｏｒｉｎｇ  ｏｃｃａｓｉｏｎ０において、ＳＳ２の１つのＡＬ１のＰＤＣＣＨ  ｃａｎｄｉｄａｔｅをスキップし、ブラインド検出必要回数４４である。
【０１６０】
従って、端末は、ｓｌｏｔ  Ｎ＋１において、各ｍｏｎｉｔｏｒｉｎｇ  ｏｃｃａｓｉｏｎでの異なるＳＳ内のブラインド検出回数は、表１に示す。
【０１６１】
【表１】
2021516920.tif 000003
【０１６２】
なお、本開示の実施例において、上述した順序でスキップすることに限定されず、他の順序を採用してもよく、これについて限定しない。
【０１６３】
選択可能に、前記端末が、前記特定時間領域範囲内の一部の探索空間をスキップすることは、
前記端末が、傍受周期の大きさに応じて、前記特定時間領域範囲内の一部の探索空間をスキップすること、又は、
前記端末が、ＲＮＴＩに従って、前記特定時間領域範囲内の一部の探索空間をスキップすること、又は、
前記端末が、ＣＳＳを伝送するＣＯＲＥＳＥＴである特定ＣＯＲＥＳＥＴ内のユーザ専用探索空間ＵＳＳをスキップすること、を含む。
【０１６４】
この実施形態において、傍受周期の大きさに応じて、前記特定時間領域範囲内の一部の探索空間をスキップすることが実現される。具体的には、傍受周期の大きい探索空間を優先的にスキップし、又は、傍受周期の小さい探索空間を優先的にスキップする。例えば、基地局が端末のために２つの探索空間ＳＳ１及びＳＳ２を配置していると仮定する。両者の傍受周期は、異なり、例えばＳＳ１の傍受周期は、Ｎであり、ＳＳ２の傍受周期は、２Ｎ個のｓｌｏｔであり、説明の便宜上、ここではＮ＝１とする。ＳＳ１及びＳＳ２に含まれるＰＤＣＣＨ  ｃａｎｄｉｄａｔｅの数を、９個のＡＬ＝１、９個のＡＬ＝２、２個のＡＬ＝４、２個のＡＬ＝８とする。端末は、２種類のＤＣＩ  ｐａｙｌｏａｄ  ｓｉｚｅで下り制御チャネルをブラインド検出する必要があるため、１ＳＳ内で行うべきブラインド検出数は、４４個となる。ＳＳ１とＳＳ２が同じｓｌｏｔ内に出現した場合、ブラインド検出回数は４４×２＝８８＞４４となるため、一部の候補位置（ｃａｎｄｉｄａｔｅ）を放棄する（ｄｒｏｐ）必要がある。端末は、一部のブラインド検出をスキップするとき、以下の規則に従う。
端末は、ＳＳに対応する傍受周期サイズに応じて、その中の１つのＳＳをスキップすることを選択する。例えば、図５に示すように、端末は、周期の小さいＳＳをスキップし、又は、周期の大きいＳＳをスキップする。
【０１６５】
また、この実施形態において、探索空間に対応するＲＮＴＩに従って、前記一部の探索空間をスキップすることが実現される。例えば、基地局が端末に配置したＳＳに対応するＲＮＴＩが異なると仮定すると、例えば、ＳＳ１に対応するＲＮＴＩは、Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）であり、ＳＳ２に対応するＲＮＴＩは、ＣＳ−ＲＮＴＩ（Ｃｏｎｆｉｇｕｒｅｄ  Ｓｃｈｅｄｕｌｉｎｇ  Ｒａｄｉｏ  Ｎｅｔｗｏｒｋ  Ｔｅｍｐｏｒａｒｙ  Ｉｄｅｎｔｉｆｉｅｒ）であり、ＳＳ３に対応するＲＮＴＩは、Ｘ−ＲＮＴＩである。ここで、Ｘ−ＲＮＴＩは、任意の可能なＲＮＴＩ値であり、本開示の実施例は、何ら限定されない。端末は、異なるＳＳに対応するＲＮＴＩ値に基づいて、その中の一部の探索空間をスキップすることを選択する。
【０１６６】
例えば、端末は、次のような順序で、対応する探索空間をスキップする。
端末は、まず、対応するＲＮＴＩがＣ−ＲＮＴＩである探索空間をスキップする。
又は、端末は、他のＲＮＴＩ値に対応する探索空間を優先的にスキップする。
【０１６７】
即ち、例えば、ＳＩ−ＲＮＴＩ（Ｓｙｓｔｅｍ  Ｉｎｆｏｒｍａｔｉｏｎ  Ｒａｄｉｏ  Ｎｅｔｗｏｒｋ  Ｔｅｍｐｏｒａｒｙ  Ｉｄｅｎｔｉｆｉｅｒ）＝Ｐ−ＲＮＴＩ（Ｐａｇｉｎｇ−Ｒａｄｉｏ  Ｎｅｔｗｏｒｋ  Ｔｅｍｐｏｒａｒｙ  Ｉｄｅｎｔｉｔｙ）＝ＲＡ−ＲＮＴＩ（Ｒａｎｄｏｍ  Ａｃｃｅｓｓ  Ｒａｄｉｏ  Ｎｅｔｗｏｒｋ  Ｔｅｍｐｏｒａｒｙ  Ｉｄｅｎｔｉｆｉｅｒ）＝ＳＦＩ−ＲＮＴＩ（Ｓｌｏｔ  Ｆｏｒｍａｔ  Ｉｎｄｉｃａｔｏｒ  Ｒａｄｉｏ  Ｎｅｔｗｏｒｋ  Ｔｅｍｐｏｒａｒｙ  Ｉｄｅｎｔｉｆｉｅｒ）＞ＣＳ−ＲＮＴＩ＞Ｃ−ＲＮＴＩのような、ＲＮＴＩの値の優先度を定義する必要がある。もちろん、本実施例では、他の優先順位を排除するものではない。
【０１６８】
また、この実施形態において、ＣＳＳを伝送するＣＯＲＥＳＥＴで伝送されるＵＳＳを優先的にスキップして端末のブラインド検出性能を保証することも実現される。実際の応用では、ネットワーク側機器から送信される信号がＣＳＳ内でブラインド検出される可能性が高いためである。
【０１６９】
選択可能に、前記端末は、前記特定時間領域範囲内の一部のＣＯＲＥＳＥＴ内の探索空間をスキップすることは、探索空間が存在するＣＯＲＥＳＥＴの配置に応じて、その中の１つ又は複数のＣＯＲＥＳＥＴ内の探索空間をスキップする。
例えば、前記端末が、前記特定時間領域範囲内の一部のＣＯＲＥＳＥＴ内の探索空間をスキップすることは、
前記端末が、マッピング方式に応じて、前記特定時間領域範囲内の一部のＣＯＲＥＳＥＴ内の探索空間をスキップすること、又は、
前記端末が、前記特定時間領域範囲内で、前記特定時間領域範囲内の複数のＣＯＲＥＳＥＴのうち疑似コロケーションＱＣＬとビーム管理（ｂｅａｍ  ｍａｎａｇｅｍｅｎｔ）による目標ＱＣＬとの整合度が最も低いＣＯＲＥＳＥＴである特定ＣＯＲＥＳＥＴ内の探索空間を優先的にスキップすることを含む。
【０１７０】
この実施形態において、ＣＯＲＥＳＥＴの配置に応じて、一部のＣＯＲＥＳＥＴ内の探索空間をスキップすることが実現され、ブラインド検出機会をスキップする柔軟性を向上させ、異なるサービス又はシナリオのニーズに対応することができる。
【０１７１】
選択可能に、前記端末が、マッピング方式に応じて、前記特定時間領域範囲内の一部のＣＯＲＥＳＥＴ内の探索空間をスキップすることは、
前記端末が、前記特定時間領域範囲内のローカルマッピング（ｌｏｃａｌｉｚｅｄ  ｍａｐｐｉｎｇ）のＣＯＲＥＳＥＴ内の探索空間を優先的にスキップすること、又は、
前記端末が、前記特定時間領域範囲内の分散マッピング（ｄｉｓｔｒｉｂｕｔｅｄ  ｍａｐｐｉｎｇ）のＣＯＲＥＳＥＴ内の探索空間を優先的にスキップすること、を含む。
【０１７２】
この実施形態において、異なる探索空間が異なるＣＯＲＥＳＥＴ内を伝送する場合に、端末がｌｏｃａｌｉｚｅｄ  ｍａｐｐｉｎｇ（ローカルマッピング）のＣＯＲＥＳＥＴを優先的にスキップし、又は、ｄｉｓｔｒｉｂｕｔｅｄ  ｍａｐｐｉｎｇ（分散マッピング）のＣＯＲＥＳＥＴを優先的にスキップし、又は、ｂｅａｍ  ｍａｎａｇｅｍｅｎｔ（ビーム管理）によるＱＣＬとの整合度が最も小さいＣＯＲＥＳＥＴを優先的にスキップする。
【０１７３】
例えば、基地局が端末のために配置したＳＳが異なるＣＯＲＥＳＥＴ内で伝送されると仮定する。異なるＣＯＲＥＳＥＴが異なる配置パラメータを有する。例えばＣＯＲＥＳＥＴ１のマッピング方式は、ｌｏｃａｌｉｚｅｄマッピングであり且つＱＣＬパラメータがＱＣＬ１であり、ＣＯＲＥＳＥＴ２のマッピング方式は、ｄｉｓｔｒｉｂｕｔｅｄマッピングであり且つＱＣＬパラメータがＱＣＬ２である。端末は、ＣＯＲＥＳＥＴに対応する異なる配置に応じて、どのＣＯＲＥＳＥＴ内のｓｅａｒｃｈ  ｓｐａｃｅをスキップするかを決定する。
【０１７４】
端末は、対応するｓｅａｒｃｈ  ｓｐａｃｅを、以下の順序でスキップする。
端末は、ｂｅａｍ  ｍａｎａｇｅｍｅｎｔによるＱＣＬと最も整合しないＣＯＲＥＳＥＴを優先的にスキップする。
又は、端末は、ｌｏｃａｌｉｚｅｄ  ｍａｐｐｉｎｇ又はｄｉｓｔｒｉｂｕｔｅｄ  ｍａｐｐｉｎｇのＣＯＲＥＳＥＴを優先的にスキップする。
【０１７５】
本開示の実施例において、特定時間領域範囲における端末のブラインド検出必要回数が最大ブラインド検出能力を超える場合、端末は、前記特定時間領域範囲内のブラインド検出機会の一部をスキップし、残りのブラインド検出機会でチャネルのブラインド検出を行う。ここで、前記最大ブラインド検出能力は、前記特定時間領域範囲における前記端末の最大ブラインド検出回数であり、前記特定時間領域範囲における前記端末の余剰ブラインド検出必要回数は、前記最大ブラインド検出能力を超えない。ブラインド検出機会の一部をスキップすることによって、前記特定時間領域範囲における端末の余剰ブラインド検出必要回数が前記最大ブラインド検出能力を超えないようにするので、端末の性能を向上させる。
【０１７６】
図１１を参照する。図１１は、本開示の実施例による信号伝送方法のフローチャートである。図１１に示すように、以下のステップを含む。
ステップ１１０１において、特定時間領域範囲における端末のブラインド検出必要回数が、前記特定時間領域範囲における前記端末の最大ブラインド検出回数である最大ブラインド検出能力を超えると、ネットワーク側機器は、前記端末がスキップする前記特定時間領域範囲内のブラインド検出機会の一部を決定する。
ステップ１１０２において、前記ネットワーク側機器は、残りのブラインド検出機会で信号を伝送する。ここで、前記特定時間領域範囲における前記端末の余剰ブラインド検出必要回数は、前記最大ブラインド検出能力を超えない。
【０１７７】
なお、本実施例において、ステップ１１０１とステップ１１０２の実行順序は、限定されない。例えば、図１１に示すように、ステップ１１０１を先に実行してからステップ１１０２を実行し、又は、ステップ１１０１とステップ１１０２の実行は、時間的に重なる。例えば、ステップ１１０２の実行中にステップ１１０１を同時に実行して端末がスキップするブラインド検出機会を決定し、更にステップ１１０２でこれらのブラインド検出機会で信号を送信しない。
【０１７８】
また、本開示の実施例において、スキップするように決定されるブラインド検出機会と、ネットワーク側機器によって決定される端末がスキップするブラインド検出機会とは同じであってもよく、前記特定時間領域範囲における端末の余剰ブラインド検出必要回数が前記最大ブラインド検出能力を超えないようにすることを実現し、端末の性能を向上させつつ、通信システムの伝送性能が低下しないことを保証することができる。
【０１７９】
選択可能に、前記ネットワーク側機器が、前記端末がスキップする前記特定時間領域範囲内のブラインド検出機会の一部を決定することは、
前記ネットワーク側機器が、前記端末がスキップする前記特定時間領域範囲内の探索空間内の少なくとも１つのＡＬの一部のＰＤＣＣＨ候補位置を決定すること、
前記ネットワーク側機器が、前記端末がスキップする前記特定時間領域範囲内の一部の探索空間を決定すること、
前記ネットワーク側機器が、前記端末がスキップする前記特定時間領域範囲内の一部のＣＯＲＥＳＥＴ内の探索空間を決定すること、
の少なくとも１つを含む。
【０１８０】
選択可能に、前記特定時間領域範囲内に複数のＰＤＣＣＨ傍受機会又は複数の探索空間タイプが存在し、前記ネットワーク側機器が、前記端末がスキップする前記特定時間領域範囲内の一部の探索空間を決定することは、
前記ネットワーク側機器が、前記端末が連続的にスキップする前記特定時間領域範囲内の一部のＰＤＣＣＨ傍受機会の探索空間を、傍受機会の出現する時間順に決定すること、又は、
前記ネットワーク側機器が、前記端末が間隔的にスキップする前記特定時間領域範囲内の一部のＰＤＣＣＨ傍受機会の探索空間を、傍受機会の出現する時間順に決定することを含む。
【０１８１】
選択可能に、前記ネットワーク側機器が、前記端末が間隔的にスキップする前記特定時間領域範囲内の一部のＰＤＣＣＨ傍受機会の探索空間を、傍受機会の出現する時間順に決定することは、
前記ネットワーク側機器が、初回の間隔的に選択する際に前記特定時間領域範囲内の全てのＰＤＣＣＨ傍受機会であるＰＤＣＣＨ傍受機会集合のうち、一部のＰＤＣＣＨ傍受機会を、傍受機会の出現する時間順に間隔的に選択することと、
選択されたＰＤＣＣＨ傍受機会における前記端末のブラインド検出必要回数が前記最大ブラインド検出能力を超え、又は、選択されたＰＤＣＣＨ傍受機会の制御チャネルエレメントＣＣＥ数が最大ＣＣＥ数を超えると、現在の間隔的に選択される一部のＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択するステップを繰り返し実行することと、
選択されたＰＤＣＣＨ傍受機会における前記端末のブラインド検出必要回数が前記最大ブラインド検出能力よりも小さく、且つＣＣＥ数が最大ＣＣＥ数よりも小さくなると、現在のＰＤＣＣＨ傍受機会集合のうちの選択されていないＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択するステップを繰り返し実行することと、を含み、
ここで、前記端末が、選択されていないＰＤＣＣＨ傍受機会の探索空間をスキップする。
【０１８２】
選択可能に、前記のＰＤＣＣＨ傍受機会集合のうち一部のＰＤＣＣＨ傍受機会を間隔的に選択するステップの停止条件は、
選択されたＰＤＣＣＨ傍受機会内のブラインド検出必要回数が前記最大ブラインド検出能力に等しく、且つＣＣＥ数が前記最大ＣＣＥ数以下であること、又は、
選択されたＰＤＣＣＨ傍受機会内のＣＣＥ数が前記最大ＣＣＥ数と等しく、且つブラインド検出必要回数が前記最大ブラインド検出能力以下であること、又は
選択されたＰＤＣＣＨ傍受機会内の全てのＰＤＣＣＨ候補位置に対応するブラインド検出回数が前記最大ブラインド検出能力を超えるか、又は対応するＣＣＥ数が前記最大ＣＣＥ数を超え、且つ前記端末が傍受するＰＤＣＣＨ傍受機会として、現在の間隔的に選択される一部のＰＤＣＣＨ傍受機会を含まないこと、又は、
前記のＰＤＣＣＨ傍受機会集合のうち一部のＰＤＣＣＨ傍受機会を間隔的に選択するステップで１つのＰＤＣＣＨ傍受機会のみが選択される場合、選択されたＰＤＣＣＨ傍受機会内のブラインド検出必要回数が前記最大ブラインド検出能力を超えるか又はＣＣＥ数が最大ＣＣＥ数を超え、且つ前記端末が傍受するＰＤＣＣＨ傍受機会として、前記１つのＰＤＣＣＨ傍受機会を含まないこと、を含む。
【０１８３】
選択可能に、前記ネットワーク側機器が、前記端末がスキップする前記特定時間領域範囲内の探索空間内の少なくとも１つのＡＬの一部のＰＤＣＣＨ候補位置を決定することは、
前記特定時間領域範囲内の探索空間毎にＡＬ毎に複数のＰＤＣＣＨ候補位置が存在する場合、前記ネットワーク側機器が、前記端末が順次スキップする前記特定時間領域範囲内の探索空間毎にＡＬ毎の一部のＰＤＣＣＨ候補位置を決定すること、又は、
前記特定時間領域範囲内に１つのＰＤＣＣＨ候補位置のみを有するＡＬが存在する場合、前記ネットワーク側機器が、前記端末がスキップする前記特定時間領域範囲内の探索空間毎に複数のＰＤＣＣＨ候補位置を有する他のＡＬの一部のＰＤＣＣＨ候補位置を決定すること、又は、
前記ネットワーク側機器が、前記端末がスキップする前記特定時間領域範囲内の探索空間毎のＡＬの一部のＰＤＣＣＨ候補位置を、特定ＡＬ順に決定し、ここで、ＰＤＣＣＨ候補位置をスキップするプロセスでは、１つのＰＤＣＣＨ候補位置しか残っていないＡＬに対し、前記端末が、該ＡＬのＰＤＣＣＨ候補位置のスキップを一時停止すること、を含む。
【０１８４】
選択可能に、前記端末は、特定時間領域範囲内の余剰ブラインド検出必要回数が前記最大ブラインド検出能力を超えなくなるまで、先に探索空間、次に傍受機会、その後ＡＬの順にＰＤＣＣＨ候補位置のスキップを行う。
【０１８５】
選択可能に、前記ネットワーク側機器が、前記端末がスキップする前記特定時間領域範囲内の一部の探索空間を決定することは、
前記ネットワーク側機器が、傍受周期の大きさに応じて、前記端末がスキップする前記特定時間領域範囲内の一部の探索空間を決定すること、又は、
前記ネットワーク側機器が、ＲＮＴＩに従って、前記端末がスキップする前記特定時間領域範囲内の一部の探索空間を決定すること、又は、
前記ネットワーク側機器が、前記端末がスキップするＣＳＳを伝送するＣＯＲＥＳＥＴである特定ＣＯＲＥＳＥＴ内のＵＳＳを決定することを含む。
【０１８６】
選択可能に、前記ネットワーク側機器が、端末がスキップする前記特定時間領域範囲内の一部のＣＯＲＥＳＥＴ内の探索空間を決定することは、
前記ネットワーク側機器が、マッピング方式に応じて、前記端末がスキップする前記特定時間領域範囲内の一部のＣＯＲＥＳＥＴ内の探索空間を決定すること、又は、
前記ネットワーク側機器が、前記端末が優先的にスキップする前記特定時間領域範囲内の特定ＣＯＲＥＳＥＴ内の探索空間を決定することを含み、ここで、前記特定ＣＯＲＥＳＥＴは、前記特定時間領域範囲内の複数のＣＯＲＥＳＥＴのうちＱＣＬとビーム管理による目標ＱＣＬとの整合度が最も低いＣＯＲＥＳＥＴである。
【０１８７】
選択可能に、前記ネットワーク側機器が、マッピング方式に応じて、前記端末がスキップする前記特定時間領域範囲内の一部のＣＯＲＥＳＥＴ内の探索空間を決定することは、
前記ネットワーク側機器が、前記端末が優先的にスキップする前記特定時間領域範囲内のローカルマッピングのＣＯＲＥＳＥＴ内の探索空間を決定すること、又は、
前記ネットワーク側機器が、前記端末が優先的にスキップする前記特定時間領域範囲内の分散マッピングのＣＯＲＥＳＥＴ内の探索空間を決定することを含む。
【０１８８】
選択可能に、前記特定時間領域範囲は、ｓｌｏｔである。
【０１８９】
以下、ネットワーク側機器を基地局として、上記のように提供される様々な技術的解決策を例示する。
【０１９０】
基地局側は、送信又は端末のスケジューリングの際に、端末が対応する一部のＰＤＣＣＨ  ｃａｎｄｉｄａｔｅをスキップする挙動を同時に考慮する。
【０１９１】
方式１：１ｓｌｏｔ内で端末のブラインド検出必要回数が端末の能力を超える場合、
基地局は、傍受機会（ｍｏｎｉｔｏｒｉｎｇ  ｏｃｃａｓｉｏｎ）の時間順に、上位Ｎ個の傍受機会の探索空間で下り制御チャネルを優先的に伝送する。
又は、基地局は、傍受機会の時間順に、間隔を置いた傍受機会のｓｅａｒｃｈ  ｓｐａｃｅで櫛型（ｃｏｍｂ）方式で下り制御チャネルを伝送する。
又は、基地局は、ＣＳＳで下り制御チャネルを送信する必要がある場合、ＣＳＳで対応する下り制御チャネルを送信する。
【０１９２】
方式２：１ｓｌｏｔ内で端末のブラインド検出必要回数が端末の能力を超える場合、
基地局は、端末側との取り決めに従って、ＡＬ毎の一部のＰＤＣＣＨ  ｃａｎｄｉｄａｔｅの範囲内で下り制御チャネルを送信する。
【０１９３】
方式３：１ｓｌｏｔ内で端末のブラインド検出必要回数が端末の能力を超える場合、
基地局は、ＰＤＣＣＨの傍受周期に従って、特定の傍受機会の探索空間内で下り制御チャネルを送信する。
【０１９４】
方式４：１ｓｌｏｔ内で端末のブラインド検出必要回数が端末の能力を超える場合、
基地局は、ＣＯＲＥＳＥＴの異なる配置に基づいて、端末側に応じた規則に従って、一部のＣＯＲＥＳＥＴ内で下り制御チャネルを送信する。
【０１９５】
方式５：１ｓｌｏｔ内で端末のブラインド検出必要回数が端末の能力を超える場合、
基地局は、ＣＳＳが伝送されないＣＯＲＥＳＥＴ内で下り制御チャネルを送信する。
【０１９６】
なお、本実施例は、図２に示す実施例に対応するネットワーク側機器の実施形態であり、その具体的な実施形態については、図２に示す実施例の関連説明を参照し、重複を避けるために、本実施例では繰り返して記載せず、且つ同一又は類似の効果を奏することもできる。
【０１９７】
図１２を参照する。図１２は、本開示の実施例による端末の構造図である。
図１２に示すように、端末１２００は、
特定時間領域範囲における端末のブラインド検出必要回数が最大ブラインド検出能力を超えると、前記特定時間領域範囲内のブラインド検出機会の一部をスキップし、残りのブラインド検出機会でチャネルのブラインド検出を行うためのブラインド検出モジュール１２０１を含み、
ここで、前記最大ブラインド検出能力は、前記特定時間領域範囲における前記端末の最大ブラインド検出回数であり、前記特定時間領域範囲における前記端末の余剰ブラインド検出必要回数は、前記最大ブラインド検出能力を超えない。
【０１９８】
選択可能に、図１３に示すように、前記ブラインド検出モジュール１２０１は、
特定時間領域範囲における端末のブラインド検出必要回数が最大ブラインド検出能力を超えると、前記特定時間領域範囲内の探索空間内の少なくとも１つのアグリゲーションレベルＡＬの一部の物理ダウンリンク制御チャネルＰＤＣＣＨ候補位置をスキップし、残りのＰＤＣＣＨ候補位置に対してチャネルのブラインド検出を行うための第１ブラインド検出ユニット１２０１１と、
特定時間領域範囲における端末のブラインド検出必要回数が最大ブラインド検出能力を超えると、前記特定時間領域範囲内の一部の探索空間をスキップし、残りの探索空間でチャネルのブラインド検出を行うための第２ブラインド検出ユニット１２０１２と、
特定時間領域範囲における端末のブラインド検出必要回数が最大ブラインド検出能力を超えると、前記特定時間領域範囲内の一部のＣＯＲＥＳＥＴ内の探索空間をスキップし、残りのＣＯＲＥＳＥＴ内の探索空間でチャネルのブラインド検出を行うための第３ブラインド検出ユニット１２０１３と、
の少なくとも１つを含む。
【０１９９】
選択可能に、前記特定時間領域範囲内に複数のＰＤＣＣＨ傍受機会又は複数の探索空間タイプが存在し、第２ブラインド検出ユニット１２０１２は、前記特定時間領域範囲内の一部のＰＤＣＣＨ傍受機会の探索空間を、傍受機会の出現する時間順に連続的にスキップすることに用いられる。
又は、第２ブラインド検出ユニット１２０１２は、前記特定時間領域範囲内の一部のＰＤＣＣＨ傍受機会の探索空間を、傍受機会の出現する時間順に間隔的にスキップすることに用いられる。
【０２００】
選択可能に、第２ブラインド検出ユニット１２０１２は、
初回の間隔的に選択する際に前記特定時間領域範囲内の全てのＰＤＣＣＨ傍受機会であるＰＤＣＣＨ傍受機会集合のうち、一部のＰＤＣＣＨ傍受機会を、傍受機会の出現する時間順に間隔的に選択することと、
選択されたＰＤＣＣＨ傍受機会における前記端末のブラインド検出必要回数が前記最大ブラインド検出能力を超え、又は、選択されたＰＤＣＣＨ傍受機会のＣＣＥ数が最大ＣＣＥ数を超えると、現在の間隔的に選択される一部のＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択するステップを繰り返し実行することと、
選択されたＰＤＣＣＨ傍受機会における前記端末のブラインド検出必要回数が前記最大ブラインド検出能力よりも小さく、且つＣＣＥ数が最大ＣＣＥ数よりも小さくなると、現在のＰＤＣＣＨ傍受機会集合のうちの選択されていないＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択するステップを繰り返し実行することとに用いられ、
ここで、前記端末が、選択されていないＰＤＣＣＨ傍受機会の探索空間をスキップする。
【０２０１】
選択可能に、前記のＰＤＣＣＨ傍受機会集合のうち一部のＰＤＣＣＨ傍受機会を間隔的に選択するステップの停止条件は、
選択されたＰＤＣＣＨ傍受機会内のブラインド検出必要回数が前記最大ブラインド検出能力に等しく、且つＣＣＥ数が前記最大ＣＣＥ数以下であること、又は、
選択されたＰＤＣＣＨ傍受機会内のＣＣＥ数が前記最大ＣＣＥ数と等しく、且つブラインド検出必要回数が前記最大ブラインド検出能力以下であること、又は、
選択されたＰＤＣＣＨ傍受機会内の全てのＰＤＣＣＨ候補位置に対応するブラインド検出回数が前記最大ブラインド検出能力を超えるか、又は対応するＣＣＥ数が前記最大ＣＣＥ数を超え、且つ前記端末が傍受するＰＤＣＣＨ傍受機会として、現在の間隔的に選択される一部のＰＤＣＣＨ傍受機会を含まないこと、又は、
前記のＰＤＣＣＨ傍受機会集合のうち一部のＰＤＣＣＨ傍受機会を間隔的に選択するステップで１つのＰＤＣＣＨ傍受機会のみが選択される場合、選択されたＰＤＣＣＨ傍受機会内のブラインド検出必要回数が前記最大ブラインド検出能力を超えるか又はＣＣＥ数が最大ＣＣＥ数を超え、且つ前記端末が傍受するＰＤＣＣＨ傍受機会として、前記１つのＰＤＣＣＨ傍受機会を含まないことを含む。
【０２０２】
選択可能に、第１ブラインド検出ユニット１２０１１は、前記特定時間領域範囲内の探索空間毎にＡＬ毎に複数のＰＤＣＣＨ候補位置が存在する場合、特定時間領域範囲内の余剰ブラインド検出必要回数が前記最大ブラインド検出能力を超えなくなるまで、前記特定時間領域範囲内の探索空間毎にＡＬ毎の一部のＰＤＣＣＨ候補位置を順次スキップすることに用いられる。
又は、第１ブラインド検出ユニット１２０１１は、前記特定時間領域範囲内に１つのＰＤＣＣＨ候補位置のみを有するＡＬが存在する場合、前記特定時間領域範囲内の探索空間毎に複数のＰＤＣＣＨ候補位置を有する他のＡＬの一部のＰＤＣＣＨ候補位置をスキップすることに用いられる。
又は、第１ブラインド検出ユニット１２０１１は、前記特定時間領域範囲内の探索空間毎のＡＬの一部のＰＤＣＣＨ候補位置を、前記特定時間領域範囲における前記端末のブラインド検出必要回数が前記最大ブラインド検出能力を超えなくなるまで、特定ＡＬ順にスキップすることに用いられ、
ここで、ＰＤＣＣＨ候補位置をスキップするプロセスでは、１つのＰＤＣＣＨ候補位置しか残っていないＡＬに対し、前記端末が、該ＡＬのＰＤＣＣＨ候補位置のスキップを一時停止する。
【０２０３】
選択可能に、前記端末は、特定時間領域範囲内の余剰ブラインド検出必要回数が前記最大ブラインド検出能力を超えなくなるまで、先に探索空間、次に傍受機会、その後ＡＬの順にＰＤＣＣＨ候補位置のスキップを行う。
【０２０４】
選択可能に、第２ブラインド検出ユニット１２０１２は、傍受周期の大きさに応じて、前記特定時間領域範囲内の一部の探索空間をスキップすることに用いられる。
又は、第２ブラインド検出ユニット１２０１２は、無線ネットワーク一時識別ＲＮＴＩに従って、前記特定時間領域範囲内の一部の探索空間をスキップすることに用いられる。
又は、第２ブラインド検出ユニット１２０１２は、共通伝送探索空間ＣＳＳを伝送するＣＯＲＥＳＥＴである特定ＣＯＲＥＳＥＴ内のユーザ専用探索空間ＵＳＳをスキップすることに用いられる。
【０２０５】
選択可能に、第３ブラインド検出ユニット１２０１３は、マッピング方式に応じて、前記特定時間領域範囲内の一部のＣＯＲＥＳＥＴ内の探索空間をスキップすることに用いられる。
又は、第３ブラインド検出ユニット１２０１３は、前記特定時間領域範囲内で、前記特定時間領域範囲内の複数のＣＯＲＥＳＥＴのうち疑似コロケーションＱＣＬとビーム管理による目標ＱＣＬとの整合度が最も低いＣＯＲＥＳＥＴである特定ＣＯＲＥＳＥＴ内の探索空間を優先的にスキップすることに用いられる。
【０２０６】
選択可能に、第３ブラインド検出ユニット１２０１３は、前記特定時間領域範囲内のローカルマッピングのＣＯＲＥＳＥＴ内の探索空間を優先的にスキップすることに用いられる。
又は、第３ブラインド検出ユニット１２０１３は、前記特定時間領域範囲内の分散マッピングのＣＯＲＥＳＥＴ内の探索空間を優先的にスキップすることに用いられる。
【０２０７】
選択可能に、前記特定時間領域範囲は、ｓｌｏｔである。
【０２０８】
なお、本実施例における上記端末１２００は、本開示の実施例の方法実施例における任意の実施形態の端末であってもよく、本開示の実施例の方法実施例における端末の任意の実施形態を本実施例における上記端末１２００によって実現可能であり、同一又は類似の効果を達するので、ここでは繰り返して記載しない。
【０２０９】
図１４を参照する。図１４は、本開示の実施例によるネットワーク側機器の構造図である。図１４に示すように、ネットワーク側機器１４００は、
特定時間領域範囲における端末のブラインド検出必要回数が、前記特定時間領域範囲における前記端末の最大ブラインド検出回数である最大ブラインド検出能力を超えると、前記端末がスキップする前記特定時間領域範囲内のブラインド検出機会の一部を決定するための決定モジュール１４０１と、
残りのブラインド検出機会で信号を伝送するための伝送モジュール１４０２とを含み、
ここで、前記特定時間領域範囲における前記端末の余剰ブラインド検出必要回数は、前記最大ブラインド検出能力を超えない。
【０２１０】
選択可能に、図１５に示すように、前記決定モジュール１４０１は、
特定時間領域範囲における端末のブラインド検出必要回数が最大ブラインド検出能力を超えると、前記端末がスキップする前記特定時間領域範囲内の探索空間内の少なくとも１つのＡＬの一部のＰＤＣＣＨ候補位置を決定するための第１決定ユニット１４０１１と、
特定時間領域範囲における端末のブラインド検出必要回数が最大ブラインド検出能力を超えると、前記端末がスキップする前記特定時間領域範囲内の一部の探索空間を決定するための第２決定ユニット１４０１２と、
特定時間領域範囲における端末のブラインド検出必要回数が最大ブラインド検出能力を超えると、前記端末がスキップする前記特定時間領域範囲内の一部のＣＯＲＥＳＥＴ内の探索空間を決定するための第３決定ユニット１４０１３と、
の少なくとも１つを含む。
【０２１１】
選択可能に、前記特定時間領域範囲内に複数のＰＤＣＣＨ傍受機会又は複数の探索空間タイプが存在し、第２決定ユニット１４０１２は、前記端末が連続的にスキップする前記特定時間領域範囲内の一部のＰＤＣＣＨ傍受機会の探索空間を、傍受機会の出現する時間順に決定することに用いられる。又は、第２決定ユニット１４０１２は、前記端末が間隔的にスキップする前記特定時間領域範囲内の一部のＰＤＣＣＨ傍受機会の探索空間を、傍受機会の出現する時間順に決定することに用いられる。
【０２１２】
選択可能に、第２決定ユニット１４０１２は、
初回の間隔的に選択する際に前記特定時間領域範囲内の全てのＰＤＣＣＨ傍受機会であるＰＤＣＣＨ傍受機会集合のうち、一部のＰＤＣＣＨ傍受機会を、傍受機会の出現する時間順に間隔的に選択することと、
選択されたＰＤＣＣＨ傍受機会における前記端末のブラインド検出必要回数が前記最大ブラインド検出能力を超え、又は、選択されたＰＤＣＣＨ傍受機会の制御チャネルエレメントＣＣＥ数が最大ＣＣＥ数を超えると、現在の間隔的に選択される一部のＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択するステップを繰り返し実行することと、
選択されたＰＤＣＣＨ傍受機会における前記端末のブラインド検出必要回数が前記最大ブラインド検出能力よりも小さく、且つＣＣＥ数が最大ＣＣＥ数よりも小さくなると、現在のＰＤＣＣＨ傍受機会集合のうちの選択されていないＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択するステップを繰り返し実行することとに用いられ、
ここで、前記端末が、選択されていないＰＤＣＣＨ傍受機会の探索空間をスキップする。
【０２１３】
選択可能に、前記のＰＤＣＣＨ傍受機会集合のうち一部のＰＤＣＣＨ傍受機会を間隔的に選択するステップの停止条件は、
選択されたＰＤＣＣＨ傍受機会内のブラインド検出必要回数が前記最大ブラインド検出能力に等しく、且つＣＣＥ数が前記最大ＣＣＥ数以下であること、又は、
選択されたＰＤＣＣＨ傍受機会内のＣＣＥ数が前記最大ＣＣＥ数と等しく、且つブラインド検出必要回数が前記最大ブラインド検出能力以下であること、又は、
選択されたＰＤＣＣＨ傍受機会内の全てのＰＤＣＣＨ候補位置に対応するブラインド検出回数が前記最大ブラインド検出能力を超えるか、又は対応するＣＣＥ数が前記最大ＣＣＥ数を超え、且つ前記端末が傍受するＰＤＣＣＨ傍受機会として、現在の間隔的に選択される一部のＰＤＣＣＨ傍受機会を含まないこと、又は、
前記のＰＤＣＣＨ傍受機会集合のうち一部のＰＤＣＣＨ傍受機会を間隔的に選択するステップで１つのＰＤＣＣＨ傍受機会のみが選択される場合、選択されたＰＤＣＣＨ傍受機会内のブラインド検出必要回数が前記最大ブラインド検出能力を超えるか又はＣＣＥ数が最大ＣＣＥ数を超え、且つ前記端末が傍受するＰＤＣＣＨ傍受機会として、前記１つのＰＤＣＣＨ傍受機会を含まないことを含む。
【０２１４】
選択可能に、第１決定ユニット１４０１１は、前記特定時間領域範囲内の探索空間毎にＡＬ毎に複数のＰＤＣＣＨ候補位置が存在する場合、前記端末が順次スキップする前記特定時間領域範囲内の探索空間毎にＡＬ毎の一部のＰＤＣＣＨ候補位置を決定することに用いられる。
又は、第１決定ユニット１４０１１は、前記特定時間領域範囲内に１つのＰＤＣＣＨ候補位置のみを有するＡＬが存在する場合、前記端末がスキップする前記特定時間領域範囲内の探索空間毎に複数のＰＤＣＣＨ候補位置を有する他のＡＬの一部のＰＤＣＣＨ候補位置を決定することに用いられる。
又は、第１決定ユニット１４０１１は、前記端末がスキップする前記特定時間領域範囲内の探索空間毎のＡＬの一部のＰＤＣＣＨ候補位置を、特定ＡＬ順に決定することに用いられ、
ここで、ＰＤＣＣＨ候補位置をスキップするプロセスでは、１つのＰＤＣＣＨ候補位置しか残っていないＡＬに対し、前記端末は、該ＡＬのＰＤＣＣＨ候補位置のスキップを一時停止する。
【０２１５】
選択可能に、前記端末は、特定時間領域範囲内の余剰ブラインド検出必要回数が前記最大ブラインド検出能力を超えなくなるまで、先に探索空間、次に傍受機会、その後ＡＬの順にＰＤＣＣＨ候補位置のスキップを行う。
【０２１６】
選択可能に、第２決定ユニット１４０１２は、傍受周期の大きさに応じて、前記端末がスキップする前記特定時間領域範囲内の一部の探索空間を決定することに用いられる。
又は、第２決定ユニット１４０１２は、ＲＮＴＩに従って、前記端末がスキップする前記特定時間領域範囲内の一部の探索空間を決定することに用いられる。
又は、第２決定ユニット１４０１２は、前記端末がスキップする特定ＣＯＲＥＳＥＴ内のＵＳＳを決定することに用いられ、ここで、前記特定ＣＯＲＥＳＥＴは、ＣＳＳを伝送するＣＯＲＥＳＥＴである。
【０２１７】
選択可能に、第３決定ユニット１４０１３は、マッピング方式に応じて、前記端末がスキップする前記特定時間領域範囲内の一部のＣＯＲＥＳＥＴ内の探索空間を決定することに用いられる。
又は、第３決定ユニット１４０１３は、前記端末が優先的にスキップする前記特定時間領域範囲内の特定ＣＯＲＥＳＥＴ内の探索空間を決定することに用いられ、ここで、前記特定ＣＯＲＥＳＥＴは、前記特定時間領域範囲内の複数のＣＯＲＥＳＥＴのうちＱＣＬとビーム管理による目標ＱＣＬとの整合度が最も低いＣＯＲＥＳＥＴである。
【０２１８】
選択可能に、第３決定ユニット１４０１３は、前記端末が優先的にスキップする前記特定時間領域範囲内のローカルマッピングのＣＯＲＥＳＥＴ内の探索空間を前記ネットワーク側機器が決定することに用いられる。
又は、第３決定ユニット１４０１３は、前記端末が優先的にスキップする前記特定時間領域範囲内の分散マッピングのＣＯＲＥＳＥＴ内の探索空間を決定することに用いられる。
【０２１９】
選択可能に、前記特定時間領域範囲は、ｓｌｏｔである。
【０２２０】
なお、本実施例における上記ネットワーク側機器１４００は、本開示の実施例の方法実施例における任意の実施形態のネットワーク側機器であってもよく、本開示の実施例の方法実施例におけるネットワーク側機器の任意の実施形態を本実施例における上記ネットワーク側機器１４００によって実現可能であり、同一又は類似の効果を達するので、ここでは繰り返して記載しない。
【０２２１】
図１６を参照する。図１６は、本開示の実施例による別の端末の構造図である。図１６に示すように、該端末は、トランシーバ１６１０と、メモリ１６２０と、プロセッサ１６００と、前記メモリ１６２０に格納されて前記プロセッサで動作可能なコンピュータプログラムを含む。
前記プロセッサ１６００は、特定時間領域範囲における端末のブラインド検出必要回数が最大ブラインド検出能力を超えると、前記特定時間領域範囲内のブラインド検出機会の一部をスキップし、残りのブラインド検出機会でチャネルのブラインド検出を行うことに用いられる。
ここで、前記最大ブラインド検出能力は、前記特定時間領域範囲における前記端末の最大ブラインド検出回数であり、前記特定時間領域範囲における前記端末の余剰ブラインド検出必要回数は、前記最大ブラインド検出能力を超えない。
【０２２２】
ここで、トランシーバ１６１０は、プロセッサ１６００による制御でデータを送受信することに用いられる。
【０２２３】
図１６において、バスアーキテクチャは、任意数の相互接続するバスとブリッジを含み、具体的に、プロセッサ１６００をはじめとする１つ又は複数のプロセッサとメモリ１６２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１６１０は、複数の部品であってもよく、即ち送信機と受信機を含み、伝送媒体でほかの各種類の装置と通信するユニットとして提供される。
【０２２４】
プロセッサ１６００は、バスアーキテクチャと通常の処理を管理する。メモリ１６２０は、プロセッサ１６００による作業時に使用されるデータを記憶できる。
【０２２５】
なお、メモリ１６２０は、端末にあることに限定されず、メモリ１６２０とプロセッサを異なる地理的位置に分離させてもよい。
【０２２６】
選択可能に、前記の前記特定時間領域範囲内のブラインド検出機会の一部をスキップし、残りのブラインド検出機会でチャネルのブラインド検出を行うことは、
前記特定時間領域範囲内の探索空間内の少なくとも１つのＡＬの一部のＰＤＣＣＨ候補位置をスキップし、残りのＰＤＣＣＨ候補位置に対してチャネルのブラインド検出を行うこと、
前記特定時間領域範囲内の一部の探索空間をスキップし、残りの探索空間でチャネルのブラインド検出を行うこと、
前記特定時間領域範囲内の一部のＣＯＲＥＳＥＴ内の探索空間をスキップし、残りのＣＯＲＥＳＥＴ内の探索空間でチャネルのブラインド検出を行うことの少なくとも１つを含む。
【０２２７】
選択可能に、前記特定時間領域範囲内に複数のＰＤＣＣＨ傍受機会又は複数の探索空間タイプが存在し、前記の前記特定時間領域範囲内の一部の探索空間をスキップすることは、
前記特定時間領域範囲内の一部のＰＤＣＣＨ傍受機会の探索空間を、傍受機会の出現する時間順に連続的にスキップすること、又は、
前記特定時間領域範囲内の一部のＰＤＣＣＨ傍受機会の探索空間を、傍受機会の出現する時間順に間隔的にスキップすることを含む。
【０２２８】
選択可能に、前記の前記特定時間領域範囲内の一部のＰＤＣＣＨ傍受機会の探索空間を、傍受機会の出現する時間順に間隔的にスキップすることは、
前記端末が、初回の間隔的に選択する際に前記特定時間領域範囲内の全てのＰＤＣＣＨ傍受機会であるＰＤＣＣＨ傍受機会集合のうち、一部のＰＤＣＣＨ傍受機会を、傍受機会の出現する時間順に間隔的に選択することと、
選択されたＰＤＣＣＨ傍受機会における前記端末のブラインド検出必要回数が前記最大ブラインド検出能力を超え、又は、選択されたＰＤＣＣＨ傍受機会の制御チャネルエレメントＣＣＥ数が最大ＣＣＥ数を超えると、現在の間隔的に選択される一部のＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択するステップを繰り返し実行することと、
選択されたＰＤＣＣＨ傍受機会における前記端末のブラインド検出必要回数が前記最大ブラインド検出能力よりも小さく、且つＣＣＥ数が最大ＣＣＥ数よりも小さくなると、現在のＰＤＣＣＨ傍受機会集合のうちの選択されていないＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択するステップを繰り返し実行することとを含み、
ここで、前記端末が、選択されていないＰＤＣＣＨ傍受機会の探索空間をスキップする。
【０２２９】
選択可能に、前記のＰＤＣＣＨ傍受機会集合のうち一部のＰＤＣＣＨ傍受機会を間隔的に選択するステップの停止条件は、
選択されたＰＤＣＣＨ傍受機会内のブラインド検出必要回数が前記最大ブラインド検出能力に等しく、且つＣＣＥ数が前記最大ＣＣＥ数以下であること、又は、
選択されたＰＤＣＣＨ傍受機会内のＣＣＥ数が前記最大ＣＣＥ数と等しく、且つブラインド検出必要回数が前記最大ブラインド検出能力以下であること、又は、
選択されたＰＤＣＣＨ傍受機会内の全てのＰＤＣＣＨ候補位置に対応するブラインド検出回数が前記最大ブラインド検出能力を超えるか、又は対応するＣＣＥ数が前記最大ＣＣＥ数を超え、且つ前記端末が傍受するＰＤＣＣＨ傍受機会として、現在の間隔的に選択される一部のＰＤＣＣＨ傍受機会を含まないこと、又は、
前記のＰＤＣＣＨ傍受機会集合のうち一部のＰＤＣＣＨ傍受機会を間隔的に選択するステップで１つのＰＤＣＣＨ傍受機会のみが選択される場合、選択されたＰＤＣＣＨ傍受機会内のブラインド検出必要回数が前記最大ブラインド検出能力を超えるか又はＣＣＥ数が最大ＣＣＥ数を超え、且つ前記端末が傍受するＰＤＣＣＨ傍受機会として、前記１つのＰＤＣＣＨ傍受機会を含まないことを含む。
【０２３０】
選択可能に、前記の前記特定時間領域範囲内の探索空間内の少なくとも１つのＡＬの一部のＰＤＣＣＨ候補位置をスキップすることは、
前記特定時間領域範囲内の探索空間毎にＡＬ毎に複数のＰＤＣＣＨ候補位置が存在する場合、特定時間領域範囲内の余剰ブラインド検出必要回数が前記最大ブラインド検出能力を超えなくなるまで、前記特定時間領域範囲内の探索空間毎にＡＬ毎の一部のＰＤＣＣＨ候補位置を順次スキップすること、又は、
前記特定時間領域範囲内に１つのＰＤＣＣＨ候補位置のみを有するＡＬが存在する場合、前記特定時間領域範囲内の探索空間毎に複数のＰＤＣＣＨ候補位置を有する他のＡＬの一部のＰＤＣＣＨ候補位置をスキップすること、又は、
前記特定時間領域範囲内の探索空間毎のＡＬの一部のＰＤＣＣＨ候補位置を、前記特定時間領域範囲における前記端末のブラインド検出必要回数が前記最大ブラインド検出能力を超えなくなるまで、特定ＡＬ順にスキップし、ここで、ＰＤＣＣＨ候補位置をスキップするプロセスでは、１つのＰＤＣＣＨ候補位置しか残っていないＡＬに対し、前記端末が、該ＡＬのＰＤＣＣＨ候補位置のスキップを一時停止することを含む。
【０２３１】
選択可能に、前記端末は、特定時間領域範囲内の余剰ブラインド検出必要回数が前記最大ブラインド検出能力を超えなくなるまで、先に探索空間、次に傍受機会、その後ＡＬの順にＰＤＣＣＨ候補位置のスキップを行う。
【０２３２】
選択可能に、前記の前記特定時間領域範囲内の一部の探索空間をスキップすることは、
傍受周期の大きさに応じて、前記特定時間領域範囲内の一部の探索空間をスキップすること、又は、
ＲＮＴＩに従って、前記特定時間領域範囲内の一部の探索空間をスキップすること、又は、
前記端末がＣＳＳを伝送するＣＯＲＥＳＥＴである特定ＣＯＲＥＳＥＴ内のＵＳＳをスキップすることを含む。
【０２３３】
選択可能に、前記の前記特定時間領域範囲内の一部のＣＯＲＥＳＥＴ内の探索空間をスキップすることは、
マッピング方式に応じて、前記特定時間領域範囲内の一部のＣＯＲＥＳＥＴ内の探索空間をスキップすること、又は、
前記特定時間領域範囲内で、前記特定時間領域範囲内の複数のＣＯＲＥＳＥＴのうち疑似コロケーションＱＣＬとビーム管理による目標ＱＣＬとの整合度が最も低いＣＯＲＥＳＥＴである特定ＣＯＲＥＳＥＴ内の探索空間を優先的にスキップすることを含む。
【０２３４】
選択可能に、前記端末がマッピング方式に応じて前記特定時間領域範囲内の一部のＣＯＲＥＳＥＴ内の探索空間をスキップすることは、
前記端末が前記特定時間領域範囲内のローカルマッピングのＣＯＲＥＳＥＴ内の探索空間を優先的にスキップすること、又は、
前記端末が前記特定時間領域範囲内の分散マッピングのＣＯＲＥＳＥＴ内の探索空間を優先的にスキップすることを含む。
【０２３５】
選択可能に、前記特定時間領域範囲は、ｓｌｏｔである。
【０２３６】
なお、本実施例における上記端末は、本開示の実施例の方法実施例における任意の実施形態の端末であってもよく、本開示の実施例の方法実施例における端末の任意の実施形態を本実施例における上記端末によって実現可能であり、同一又は類似の効果を達するので、ここでは繰り返して記載しない。
【０２３７】
図１７を参照する。図１７は、本開示の実施例による別のネットワーク側機器の構造図である。図１７に示すように、該ネットワーク側機器は、トランシーバ１７１０と、メモリ１７２０と、プロセッサ１７００と、前記メモリ１７２０に格納されて前記プロセッサで動作可能なコンピュータプログラムを含む。
前記プロセッサ１７００は、メモリに格納されているプログラムを読み取ることによって、特定時間領域範囲における端末のブラインド検出必要回数が、前記特定時間領域範囲における前記端末の最大ブラインド検出回数である最大ブラインド検出能力を超えると、前記端末がスキップする前記特定時間領域範囲内のブラインド検出機会の一部を決定するプロセスを実行することに用いられる。
前記プロセッサ１７００は、残りのブラインド検出機会で信号を伝送することに用いられる。ここで、前記特定時間領域範囲における前記端末の余剰ブラインド検出必要回数は、前記最大ブラインド検出能力を超えない。
又は、前記プロセッサ１７００は、特定時間領域範囲における端末のブラインド検出必要回数が、前記特定時間領域範囲における前記端末の最大ブラインド検出回数である最大ブラインド検出能力を超えると、前記端末がスキップする前記特定時間領域範囲内のブラインド検出機会の一部を決定し、
残りのブラインド検出機会で信号を伝送することに用いられ、ここで、前記特定時間領域範囲における前記端末の余剰ブラインド検出必要回数は、前記最大ブラインド検出能力を超えない。
【０２３８】
ここで、トランシーバ１７１０は、プロセッサ１７００による制御でデータを送受信することに用いられる。
【０２３９】
図１７において、バスアーキテクチャは、任意数の相互接続するバスとブリッジを含み、具体的に、プロセッサ１７００をはじめとする１つ又は複数のプロセッサとメモリ１７２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１７１０は、複数の部品であってもよく、即ち送信機と受信機を含み、伝送媒体でほかの各種類の装置と通信するユニットとして提供される。
【０２４０】
プロセッサ１７００は、バスアーキテクチャと通常の処理を管理する。メモリ１７２０は、プロセッサ１７００による作業時に使用されるデータを記憶できる。
【０２４１】
なお、メモリ１７２０は、ネットワーク側機器にあることに限定されず、メモリ１７２０とプロセッサ１７００を異なる地理的位置に分離させてもよい。
【０２４２】
選択可能に、前記の前記端末がスキップする前記特定時間領域範囲内のブラインド検出機会の一部を決定することは、
前記端末がスキップする前記特定時間領域範囲内の探索空間内の少なくとも１つのＡＬの一部のＰＤＣＣＨ候補位置を決定すること、
前記端末がスキップする前記特定時間領域範囲内の一部の探索空間を決定すること、
前記端末がスキップする前記特定時間領域範囲内の一部のＣＯＲＥＳＥＴ内の探索空間を決定すること、
の少なくとも１つを含む。
【０２４３】
選択可能に、前記特定時間領域範囲内に複数のＰＤＣＣＨ傍受機会又は複数の探索空間タイプが存在し、前記の前記端末がスキップする前記特定時間領域範囲内の一部の探索空間を決定することは、
前記端末が連続的にスキップする前記特定時間領域範囲内の一部のＰＤＣＣＨ傍受機会の探索空間を、傍受機会の出現する時間順に決定すること、又は、
前記端末が間隔的にスキップする前記特定時間領域範囲内の一部のＰＤＣＣＨ傍受機会の探索空間を、傍受機会の出現する時間順に決定することを含む。
【０２４４】
選択可能に、前記の前記端末が間隔的にスキップする前記特定時間領域範囲内の一部のＰＤＣＣＨ傍受機会の探索空間を、傍受機会の出現する時間順に決定することは、
初回の間隔的に選択する際に前記特定時間領域範囲内の全てのＰＤＣＣＨ傍受機会であるＰＤＣＣＨ傍受機会集合のうち、一部のＰＤＣＣＨ傍受機会を、傍受機会の出現する時間順に間隔的に選択することと、
選択されたＰＤＣＣＨ傍受機会における前記端末のブラインド検出必要回数が前記最大ブラインド検出能力を超え、又は、選択されたＰＤＣＣＨ傍受機会の制御チャネルエレメントＣＣＥ数が最大ＣＣＥ数を超えると、現在の間隔的に選択される一部のＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択するステップを繰り返し実行することと、
選択されたＰＤＣＣＨ傍受機会における前記端末のブラインド検出必要回数が前記最大ブラインド検出能力よりも小さく、且つＣＣＥ数が最大ＣＣＥ数よりも小さくなると、現在のＰＤＣＣＨ傍受機会集合のうちの選択されていないＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択するステップを繰り返し実行することとを含み、
ここで、前記端末が、選択されていないＰＤＣＣＨ傍受機会の探索空間をスキップする。
【０２４５】
選択可能に、前記のＰＤＣＣＨ傍受機会集合のうち一部のＰＤＣＣＨ傍受機会を間隔的に選択するステップの停止条件は、
選択されたＰＤＣＣＨ傍受機会内のブラインド検出必要回数が前記最大ブラインド検出能力に等しく、且つＣＣＥ数が前記最大ＣＣＥ数以下であること、又は、
選択されたＰＤＣＣＨ傍受機会内のＣＣＥ数が前記最大ＣＣＥ数と等しく、且つブラインド検出必要回数が前記最大ブラインド検出能力以下であること、又は、
選択されたＰＤＣＣＨ傍受機会内の全てのＰＤＣＣＨ候補位置に対応するブラインド検出回数が前記最大ブラインド検出能力を超えるか、又は対応するＣＣＥ数が前記最大ＣＣＥ数を超え、且つ前記端末が傍受するＰＤＣＣＨ傍受機会として、現在の間隔的に選択される一部のＰＤＣＣＨ傍受機会を含まないこと、又は、
前記のＰＤＣＣＨ傍受機会集合のうち一部のＰＤＣＣＨ傍受機会を間隔的に選択するステップで１つのＰＤＣＣＨ傍受機会のみが選択される場合、選択されたＰＤＣＣＨ傍受機会内のブラインド検出必要回数が前記最大ブラインド検出能力を超えるか又はＣＣＥ数が最大ＣＣＥ数を超え、且つ前記端末が傍受するＰＤＣＣＨ傍受機会として、前記１つのＰＤＣＣＨ傍受機会を含まないことを含む。
【０２４６】
選択可能に、前記の前記端末がスキップする前記特定時間領域範囲内の探索空間内の少なくとも１つのＡＬの一部のＰＤＣＣＨ候補位置を決定することは、
前記特定時間領域範囲内の探索空間毎にＡＬ毎に複数のＰＤＣＣＨ候補位置が存在する場合、前記端末が順次スキップする前記特定時間領域範囲内の探索空間毎にＡＬ毎の一部のＰＤＣＣＨ候補位置を決定すること、又は、
前記特定時間領域範囲内に１つのＰＤＣＣＨ候補位置のみを有するＡＬが存在する場合、前記端末がスキップする前記特定時間領域範囲内の探索空間毎に複数のＰＤＣＣＨ候補位置を有する他のＡＬの一部のＰＤＣＣＨ候補位置を決定すること、又は、
前記端末がスキップする前記特定時間領域範囲内の探索空間毎のＡＬの一部のＰＤＣＣＨ候補位置を、特定ＡＬ順に決定し、ここで、ＰＤＣＣＨ候補位置をスキップするプロセスでは、１つのＰＤＣＣＨ候補位置しか残っていないＡＬに対し、前記端末が、該ＡＬのＰＤＣＣＨ候補位置のスキップを一時停止することを含む。
【０２４７】
選択可能に、前記端末は、特定時間領域範囲内の余剰ブラインド検出必要回数が前記最大ブラインド検出能力を超えなくなるまで、先に探索空間、次に傍受機会、その後ＡＬの順にＰＤＣＣＨ候補位置のスキップを行う。
【０２４８】
選択可能に、前記の前記端末がスキップする前記特定時間領域範囲内の一部の探索空間を決定することは、
傍受周期の大きさに応じて、前記端末がスキップする前記特定時間領域範囲内の一部の探索空間を決定すること、又は、
ＲＮＴＩに従って、前記端末がスキップする前記特定時間領域範囲内の一部の探索空間を決定すること、又は、
前記端末がスキップするＣＳＳを伝送するＣＯＲＥＳＥＴである特定ＣＯＲＥＳＥＴ内のＵＳＳを決定することを含む。
【０２４９】
選択可能に、前記の端末がスキップする前記特定時間領域範囲内の一部のＣＯＲＥＳＥＴ内の探索空間を決定することは、
マッピング方式に応じて、前記端末がスキップする前記特定時間領域範囲内の一部のＣＯＲＥＳＥＴ内の探索空間を決定すること、又は、
前記端末が優先的にスキップする前記特定時間領域範囲内の特定ＣＯＲＥＳＥＴ内の探索空間を決定することを含み、
ここで、前記特定ＣＯＲＥＳＥＴは、前記特定時間領域範囲内の複数のＣＯＲＥＳＥＴのうちＱＣＬとビーム管理による目標ＱＣＬとの整合度が最も低いＣＯＲＥＳＥＴである。
【０２５０】
選択可能に、前記のマッピング方式に応じて、前記端末がスキップする前記特定時間領域範囲内の一部のＣＯＲＥＳＥＴ内の探索空間を決定することは、
前記端末が優先的にスキップする前記特定時間領域範囲内のローカルマッピングのＣＯＲＥＳＥＴ内の探索空間を決定すること、又は、
前記端末が優先的にスキップする前記特定時間領域範囲内の分散マッピングのＣＯＲＥＳＥＴ内の探索空間を決定することを含む。
【０２５１】
選択可能に、前記特定時間領域範囲は、ｓｌｏｔである。
【０２５２】
なお、本実施例における上記送信側は、本開示の実施例の方法実施例における任意の実施形態の送信側であってもよく、本開示の実施例の方法実施例における送信側の任意の実施形態を本実施例における上記送信側によって実現可能であり、同一又は類似の効果を達するので、ここでは繰り返して記載しない。
【０２５３】
本開示の実施例は、コンピュータプログラムが格納されているコンピュータ読み取り可能な記憶媒体を更に提供する。該プログラムがプロセッサによって実行されると、本開示の実施例によるチャネルブラインド検出方法のステップが実現され、又は、該プログラムがプロセッサによって実行されると、本開示の実施例による信号伝送方法のステップが実現される。
【０２５４】
本願で提供されるいくつかの実施例において、開示された方法及び装置は、他の方式で実施されることを理解されたい。例えば、以上に記載された装置の実施例は、単なる例示である。例えば、ユニットの区分は、単に論理機能の区分であり、実際に実現する際に別の区分方式がある。例えば、複数のユニット又はコンポーネントは、別のシステムに組み合わせられ又は一体化される。又は、一部の特徴は、無視されてもよく、又は実行されなくてもよい。また、示されており又は議論されている相互間の結合や直接結合や通信接続は、インタフェース、装置又はユニットを介した間接結合や通信接続であり、電気的、機械的、又は他の形式である。
【０２５５】
また、本開示の各実施例における各機能的ユニットは、１つの処理部に一体化されていてもよいし、別々に設けられていてもよいし、２つ以上が一体化されてもよい。上述した一体化ユニットは、ハードウェアの形態、又はハードウェアとソフトウェア機能ユニットの形態で実施することができる。
【０２５６】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例に記載の情報データブロックの処理方法のステップの一部を１台のコンピュータ装置（パーソナルコンピュータ、サーバ、又はネットワーク機器であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなど、プログラムコードを格納することができる様々な媒体を含む。
【０２５７】
以上記載されたのは、本開示の好適な実施形態である。当業者は、本開示に記載されている原理を逸脱せずに様々な改良や修飾をすることもできる。これらの改良や修飾も、本開示の保護範囲としてみなされるべきである。
【図１】
2021516920.tif 000004
【図２】
2021516920.tif 000005
【図３】
2021516920.tif 000006
【図４】
2021516920.tif 000007
【図５】
2021516920.tif 000008
【図６】
2021516920.tif 000009
【図７】
2021516920.tif 000010
【図８】
2021516920.tif 000011
【図９】
2021516920.tif 000012
【図１０】
2021516920.tif 000013
【図１１】
2021516920.tif 000014
【図１２】
2021516920.tif 000015
【図１３】
2021516920.tif 000016
【図１４】
2021516920.tif 000017
【図１５】
2021516920.tif 000018
【図１６】
2021516920.tif 000019
【図１７】
2021516920.tif 000020
【手続補正書】
【提出日】令和2年9月23日(2020.9.23)
【手続補正１】
【補正対象書類名】特許請求の範囲
【補正対象項目名】全文
【補正方法】変更
【補正の内容】
【特許請求の範囲】
【請求項１】
特定時間領域範囲における端末側機器のブラインド検出必要回数が最大ブラインド検出能力を超えると、端末側機器が、前記特定時間領域範囲内のブラインド検出機会の一部をスキップし、残りのブラインド検出機会でチャネルのブラインド検出を行うことを含み、
ここで、前記最大ブラインド検出能力は、前記特定時間領域範囲における前記端末側機器の最大ブラインド検出回数であり、前記特定時間領域範囲における前記端末側機器の余剰ブラインド検出必要回数は、前記最大ブラインド検出能力を超えない、チャネルブラインド検出方法。
【請求項２】
前記端末側機器が、前記特定時間領域範囲内のブラインド検出機会の一部をスキップし、残りのブラインド検出機会でチャネルのブラインド検出を行うことは、
前記端末側機器が、前記特定時間領域範囲内の探索空間内の少なくとも１つのアグリゲーションレベルＡＬの一部の物理ダウンリンク制御チャネルＰＤＣＣＨ候補位置をスキップし、残りのＰＤＣＣＨ候補位置に対してチャネルのブラインド検出を行うこと、
前記端末側機器が、前記特定時間領域範囲内の一部の探索空間をスキップし、残りの探索空間でチャネルのブラインド検出を行うこと、
前記端末側機器が、前記特定時間領域範囲内の一部の制御リソース集合ＣＯＲＥＳＥＴ内の探索空間をスキップし、残りのＣＯＲＥＳＥＴ内の探索空間でチャネルのブラインド検出を行うこと、
の少なくとも１つを含む、請求項１に記載の方法。
【請求項３】
前記特定時間領域範囲内に複数のＰＤＣＣＨ傍受機会又は複数の探索空間タイプが存在し、前記端末側機器が、前記特定時間領域範囲内の一部の探索空間をスキップすることは、
前記端末側機器が、前記特定時間領域範囲内の一部のＰＤＣＣＨ傍受機会の探索空間を、傍受機会の出現する時間順に連続的にスキップすること、又は
前記端末側機器が、前記特定時間領域範囲内の一部のＰＤＣＣＨ傍受機会の探索空間を、傍受機会の出現する時間順に間隔的にスキップすることを含み、
前記端末側機器が、前記特定時間領域範囲内の一部のＰＤＣＣＨ傍受機会の探索空間を、傍受機会の出現する時間順に間隔的にスキップすることは、
前記端末側機器が、初回の間隔的に選択する際に前記特定時間領域範囲内の全てのＰＤＣＣＨ傍受機会であるＰＤＣＣＨ傍受機会集合のうち、一部のＰＤＣＣＨ傍受機会を、傍受機会の出現する時間順に間隔的に選択することと、
選択されたＰＤＣＣＨ傍受機会における前記端末側機器のブラインド検出必要回数が前記最大ブラインド検出能力を超え、又は、選択されたＰＤＣＣＨ傍受機会の制御チャネルエレメントＣＣＥ数が最大ＣＣＥ数を超えると、現在の間隔的に選択される一部のＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択することを繰り返し実行することと、
選択されたＰＤＣＣＨ傍受機会における前記端末側機器のブラインド検出必要回数が前記最大ブラインド検出能力よりも小さく、且つＣＣＥ数が最大ＣＣＥ数よりも小さくなると、現在のＰＤＣＣＨ傍受機会集合のうちの選択されていないＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択することを繰り返し実行することとを含み、
ここで、前記端末側機器が、選択されていないＰＤＣＣＨ傍受機会の探索空間をスキップし、
前記のＰＤＣＣＨ傍受機会集合のうち一部のＰＤＣＣＨ傍受機会を間隔的に選択することの停止条件は、
選択されたＰＤＣＣＨ傍受機会内のブラインド検出必要回数が前記最大ブラインド検出能力に等しく、且つＣＣＥ数が前記最大ＣＣＥ数以下であること、又は
選択されたＰＤＣＣＨ傍受機会内のＣＣＥ数が前記最大ＣＣＥ数と等しく、且つブラインド検出必要回数が前記最大ブラインド検出能力以下であること、又は
選択されたＰＤＣＣＨ傍受機会内の全てのＰＤＣＣＨ候補位置に対応するブラインド検出回数が前記最大ブラインド検出能力を超えるか、又は対応するＣＣＥ数が前記最大ＣＣＥ数を超え、且つ前記端末側機器が傍受するＰＤＣＣＨ傍受機会として、現在の間隔的に選択される一部のＰＤＣＣＨ傍受機会を含まないこと、又は
前記のＰＤＣＣＨ傍受機会集合のうち一部のＰＤＣＣＨ傍受機会を間隔的に選択することで１つのＰＤＣＣＨ傍受機会のみが選択される場合、選択されたＰＤＣＣＨ傍受機会内のブラインド検出必要回数が前記最大ブラインド検出能力を超えるか又はＣＣＥ数が最大ＣＣＥ数を超え、且つ前記端末側機器が傍受するＰＤＣＣＨ傍受機会として、前記１つのＰＤＣＣＨ傍受機会を含まないことを含む、請求項２に記載の方法。
【請求項４】
前記端末側機器が、前記特定時間領域範囲内の探索空間内の少なくとも１つのＡＬの一部のＰＤＣＣＨ候補位置をスキップすることは、
前記特定時間領域範囲内の探索空間毎にＡＬ毎に複数のＰＤＣＣＨ候補位置が存在する場合、特定時間領域範囲内の余剰ブラインド検出必要回数が前記最大ブラインド検出能力を超えなくなるまで、前記端末側機器が、前記特定時間領域範囲内の探索空間毎にＡＬ毎の一部のＰＤＣＣＨ候補位置を順次スキップすること、又は
前記特定時間領域範囲内に１つのＰＤＣＣＨ候補位置のみを有するＡＬが存在する場合、前記端末側機器が、前記特定時間領域範囲内の探索空間毎に複数のＰＤＣＣＨ候補位置を有する他のＡＬの一部のＰＤＣＣＨ候補位置をスキップすること、又は
前記端末側機器が、前記特定時間領域範囲内の探索空間毎のＡＬの一部のＰＤＣＣＨ候補位置を、前記特定時間領域範囲における前記端末側機器のブラインド検出必要回数が前記最大ブラインド検出能力を超えなくなるまで、特定ＡＬ順にスキップし、ここで、ＰＤＣＣＨ候補位置をスキップするプロセスでは、１つのＰＤＣＣＨ候補位置しか残っていないＡＬに対し、前記端末側機器が、該ＡＬのＰＤＣＣＨ候補位置のスキップを一時停止することを含み、
前記端末側機器が、特定時間領域範囲内の余剰ブラインド検出必要回数が前記最大ブラインド検出能力を超えなくなるまで、先に探索空間、次に傍受機会、その後ＡＬの順にＰＤＣＣＨ候補位置のスキップを行う、請求項２に記載の方法。
【請求項５】
前記端末側機器が、前記特定時間領域範囲内の一部の探索空間をスキップすることは、
前記端末側機器が、傍受周期の大きさに応じて、前記特定時間領域範囲内の一部の探索空間をスキップすること、又は
前記端末側機器が、無線ネットワーク一時識別ＲＮＴＩに従って、前記特定時間領域範囲内の一部の探索空間をスキップすること、又は
前記端末側機器が、共通伝送探索空間ＣＳＳを伝送するＣＯＲＥＳＥＴである特定ＣＯＲＥＳＥＴ内のユーザ専用探索空間ＵＳＳをスキップすることを含む、請求項２に記載の方法。
【請求項６】
前記端末側機器が、前記特定時間領域範囲内の一部のＣＯＲＥＳＥＴ内の探索空間をスキップすることは、
前記端末側機器が、マッピング方式に応じて、前記特定時間領域範囲内の一部のＣＯＲＥＳＥＴ内の探索空間をスキップすること、又は
前記端末側機器が、前記特定時間領域範囲内の特定ＣＯＲＥＳＥＴ内の探索空間を優先的にスキップすることを含み、
ここで、前記特定ＣＯＲＥＳＥＴは、前記特定時間領域範囲内の複数のＣＯＲＥＳＥＴのうち疑似コロケーションＱＣＬとビーム管理による目標ＱＣＬとの整合度が最も低いＣＯＲＥＳＥＴであり、
前記端末側機器が、マッピング方式に応じて、前記特定時間領域範囲内の一部のＣＯＲＥＳＥＴ内の探索空間をスキップすることは、
前記端末側機器が、前記特定時間領域範囲内のローカルマッピングのＣＯＲＥＳＥＴ内の探索空間を優先的にスキップすること、又は
前記端末側機器が、前記特定時間領域範囲内の分散マッピングのＣＯＲＥＳＥＴ内の探索空間を優先的にスキップすることを含む、請求項２に記載の方法。
【請求項７】
前記特定時間領域範囲は、スロットｓｌｏｔである、請求項１〜６のいずれか１項に記載の方法。
【請求項８】
特定時間領域範囲における端末側機器のブラインド検出必要回数が、前記特定時間領域範囲における前記端末側機器の最大ブラインド検出回数である最大ブラインド検出能力を超えると、ネットワーク側機器が、前記端末側機器がスキップする前記特定時間領域範囲内のブラインド検出機会の一部を決定することと、
前記ネットワーク側機器が、残りのブラインド検出機会で信号を伝送することとを含み、
ここで、前記特定時間領域範囲における前記端末側機器の余剰ブラインド検出必要回数は、前記最大ブラインド検出能力を超えない、信号伝送方法。
【請求項９】
前記ネットワーク側機器が、前記端末側機器がスキップする前記特定時間領域範囲内のブラインド検出機会の一部を決定することは、
前記ネットワーク側機器が、前記端末側機器がスキップする前記特定時間領域範囲内の探索空間内の少なくとも１つのＡＬの一部のＰＤＣＣＨ候補位置を決定すること、
前記ネットワーク側機器が、前記端末側機器がスキップする前記特定時間領域範囲内の一部の探索空間を決定すること、
前記ネットワーク側機器が、前記端末側機器がスキップする前記特定時間領域範囲内の一部のＣＯＲＥＳＥＴ内の探索空間を決定すること、
の少なくとも１つを含む、請求項８に記載の方法。
【請求項１０】
前記特定時間領域範囲内に複数のＰＤＣＣＨ傍受機会又は複数の探索空間タイプが存在し、前記ネットワーク側機器が、前記端末側機器がスキップする前記特定時間領域範囲内の一部の探索空間を決定することは、
前記ネットワーク側機器が、前記端末側機器が連続的にスキップする前記特定時間領域範囲内の一部のＰＤＣＣＨ傍受機会の探索空間を、傍受機会の出現する時間順に決定すること、又は
前記ネットワーク側機器が、前記端末側機器が間隔的にスキップする前記特定時間領域範囲内の一部のＰＤＣＣＨ傍受機会の探索空間を、傍受機会の出現する時間順に決定することを含み、
前記ネットワーク側機器が、前記端末側機器が間隔的にスキップする前記特定時間領域範囲内の一部のＰＤＣＣＨ傍受機会の探索空間を、傍受機会の出現する時間順に決定することは、
前記ネットワーク側機器が、初回の間隔的に選択する際に前記特定時間領域範囲内の全てのＰＤＣＣＨ傍受機会であるＰＤＣＣＨ傍受機会集合のうち、一部のＰＤＣＣＨ傍受機会を、傍受機会の出現する時間順に間隔的に選択することと、
選択されたＰＤＣＣＨ傍受機会における前記端末側機器のブラインド検出必要回数が前記最大ブラインド検出能力を超え、又は、選択されたＰＤＣＣＨ傍受機会の制御チャネルエレメントＣＣＥ数が最大ＣＣＥ数を超えると、現在の間隔的に選択される一部のＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択することを繰り返し実行することと、
選択されたＰＤＣＣＨ傍受機会における前記端末側機器のブラインド検出必要回数が前記最大ブラインド検出能力よりも小さく、且つＣＣＥ数が最大ＣＣＥ数よりも小さくなると、現在のＰＤＣＣＨ傍受機会集合のうちの選択されていないＰＤＣＣＨ傍受機会を前記ＰＤＣＣＨ傍受機会集合とし、前記のＰＤＣＣＨ傍受機会集合のうち一部のＰＤＣＣＨ傍受機会を間隔的に選択することを繰り返し実行することとを含み、
ここで、前記端末側機器が、選択されていないＰＤＣＣＨ傍受機会の探索空間をスキップし、
前記のＰＤＣＣＨ傍受機会集合のうち一部のＰＤＣＣＨ傍受機会を間隔的に選択することの停止条件は、
選択されたＰＤＣＣＨ傍受機会内のブラインド検出必要回数が前記最大ブラインド検出能力に等しく、且つＣＣＥ数が前記最大ＣＣＥ数以下であること、又は
選択されたＰＤＣＣＨ傍受機会内のＣＣＥ数が前記最大ＣＣＥ数と等しく、且つブラインド検出必要回数が前記最大ブラインド検出能力以下であること、又は
選択されたＰＤＣＣＨ傍受機会内の全てのＰＤＣＣＨ候補位置に対応するブラインド検出回数が前記最大ブラインド検出能力を超えるか、又は対応するＣＣＥ数が前記最大ＣＣＥ数を超え、且つ前記端末側機器が傍受するＰＤＣＣＨ傍受機会として、現在の間隔的に選択される一部のＰＤＣＣＨ傍受機会を含まないこと、又は
前記のＰＤＣＣＨ傍受機会集合のうち一部のＰＤＣＣＨ傍受機会を間隔的に選択することで１つのＰＤＣＣＨ傍受機会のみが選択される場合、選択されたＰＤＣＣＨ傍受機会内のブラインド検出必要回数が前記最大ブラインド検出能力を超えるか又はＣＣＥ数が最大ＣＣＥ数を超え、且つ前記端末側機器が傍受するＰＤＣＣＨ傍受機会として、前記１つのＰＤＣＣＨ傍受機会を含まないことを含む、請求項９に記載の方法。
【請求項１１】
前記ネットワーク側機器が、前記端末側機器がスキップする前記特定時間領域範囲内の探索空間内の少なくとも１つのＡＬの一部のＰＤＣＣＨ候補位置を決定することは、
前記特定時間領域範囲内の探索空間毎にＡＬ毎に複数のＰＤＣＣＨ候補位置が存在する場合、前記ネットワーク側機器が、前記端末側機器が順次スキップする前記特定時間領域範囲内の探索空間毎にＡＬ毎の一部のＰＤＣＣＨ候補位置を決定すること、又は
前記特定時間領域範囲内に１つのＰＤＣＣＨ候補位置のみを有するＡＬが存在する場合、前記ネットワーク側機器が、前記端末側機器がスキップする前記特定時間領域範囲内の探索空間毎に複数のＰＤＣＣＨ候補位置を有する他のＡＬの一部のＰＤＣＣＨ候補位置を決定すること、又は
前記ネットワーク側機器が、前記端末側機器がスキップする前記特定時間領域範囲内の探索空間毎のＡＬの一部のＰＤＣＣＨ候補位置を、特定ＡＬ順に決定し、ここで、ＰＤＣＣＨ候補位置をスキップするプロセスでは、１つのＰＤＣＣＨ候補位置しか残っていないＡＬに対し、前記端末側機器が、該ＡＬのＰＤＣＣＨ候補位置のスキップを一時停止することを含み、
前記端末側機器が、特定時間領域範囲内の余剰ブラインド検出必要回数が前記最大ブラインド検出能力を超えなくなるまで、先に探索空間、次に傍受機会、その後ＡＬの順にＰＤＣＣＨ候補位置のスキップを行う、請求項９に記載の方法。
【請求項１２】
前記ネットワーク側機器が、前記端末側機器がスキップする前記特定時間領域範囲内の一部の探索空間を決定することは、
前記ネットワーク側機器が、傍受周期の大きさに応じて、前記端末側機器がスキップする前記特定時間領域範囲内の一部の探索空間を決定すること、又は
前記ネットワーク側機器が、ＲＮＴＩに従って、前記端末側機器がスキップする前記特定時間領域範囲内の一部の探索空間を決定すること、又は
前記ネットワーク側機器が、前記端末側機器がスキップするＣＳＳを伝送するＣＯＲＥＳＥＴである特定ＣＯＲＥＳＥＴ内のＵＳＳを決定することを含む、請求項９に記載の方法。
【請求項１３】
前記ネットワーク側機器が、端末側機器がスキップする前記特定時間領域範囲内の一部のＣＯＲＥＳＥＴ内の探索空間を決定することは、
前記ネットワーク側機器が、マッピング方式に応じて、前記端末側機器がスキップする前記特定時間領域範囲内の一部のＣＯＲＥＳＥＴ内の探索空間を決定すること、又は
前記ネットワーク側機器が、前記端末側機器が優先的にスキップする前記特定時間領域範囲内の特定ＣＯＲＥＳＥＴ内の探索空間を決定することを含み、
ここで、前記特定ＣＯＲＥＳＥＴは、前記特定時間領域範囲内の複数のＣＯＲＥＳＥＴのうちＱＣＬとビーム管理による目標ＱＣＬとの整合度が最も低いＣＯＲＥＳＥＴであり、
前記ネットワーク側機器が、マッピング方式に応じて、前記端末側機器がスキップする前記特定時間領域範囲内の一部のＣＯＲＥＳＥＴ内の探索空間を決定することは、
前記ネットワーク側機器が、前記端末側機器が優先的にスキップする前記特定時間領域範囲内のローカルマッピングのＣＯＲＥＳＥＴ内の探索空間を決定すること、又は
前記ネットワーク側機器が、前記端末側機器が優先的にスキップする前記特定時間領域範囲内の分散マッピングのＣＯＲＥＳＥＴ内の探索空間を決定することを含む、請求項９に記載の方法。
【請求項１４】
特定時間領域範囲における端末側機器のブラインド検出必要回数が最大ブラインド検出能力を超えると、前記特定時間領域範囲内のブラインド検出機会の一部をスキップし、残りのブラインド検出機会でチャネルのブラインド検出を行うためのブラインド検出モジュールを含み、
ここで、前記最大ブラインド検出能力は、前記特定時間領域範囲における前記端末側機器の最大ブラインド検出回数であり、前記特定時間領域範囲における前記端末側機器の余剰ブラインド検出必要回数は、前記最大ブラインド検出能力を超えない、端末側機器。
【請求項１５】
特定時間領域範囲における端末側機器のブラインド検出必要回数が、前記特定時間領域範囲における前記端末側機器の最大ブラインド検出回数である最大ブラインド検出能力を超えると、前記端末側機器がスキップする前記特定時間領域範囲内のブラインド検出機会の一部を決定するための決定モジュールと、
前記ネットワーク側機器が、残りのブラインド検出機会で信号を伝送するための伝送モジュールとを含み、
ここで、前記特定時間領域範囲における前記端末側機器の余剰ブラインド検出必要回数は、前記最大ブラインド検出能力を超えない、ネットワーク側機器。
【国際調査報告】
2021516920.tif 000021
2021516920.tif 000022
2021516920.tif 000023
2021516920.tif 000024